(57)【要約】ペット売買サーバーで実行されるペット売買方法は、オーダーメードペット購買者端末機から母親ペットおよび父親ペットを含むオーダーメードペット購買申込情報を受信すると、オーダーメードペット契約金の入金要請メッセージを前記オーダーメードペット購買者端末機に提供する段階、前記オーダーメードペット購買者端末機からオーダーメードペット契約金の入金情報を受信すると、前記オーダーメードペット購買申込情報を該当オーダーメードペット生産者端末機に提供して前記母親ペットおよび前記父親ペットの交配を要請する段階、前記オーダーメードペット生産者端末機から前記母親ペットおよび前記父親ペットの交配による情報を受信して前記オーダーメードペット購買者端末機に提供する段階、前記オーダーメードペット生産者端末機から前記母親ペットおよび前記父親ペットの交配により生まれたオーダーメード兄弟ペット情報を前記オーダーメードペット購買者端末機およびオーダーメード兄弟ペット購買者端末機に提供する段階および前記オーダーメードペット購買者端末機からオーダーメード兄弟ペットの最終選択情報を受信するか前記オーダーメード兄弟ペット購買者端末機からオーダーメード兄弟ペット購買申込情報を受信すると売買を処理する段階を含む。【選択図】図１
2019508833.tif 000002
【特許請求の範囲】
【請求項１】
ペット売買サーバーで実行されるペット売買方法において、
オーダーメードペット購買者端末機から母親ペットおよび父親ペットを含むオーダーメードペット購買申込情報を受信すると、オーダーメードペット契約金の入金要請メッセージを前記オーダーメードペット購買者端末機に提供する段階；
前記オーダーメードペット購買者端末機からオーダーメードペット契約金の入金情報を受信すると、前記オーダーメードペット購買申込情報を該当オーダーメードペット生産者端末機に提供して前記母親ペットおよび前記父親ペットの交配を要請する段階；
前記オーダーメードペット生産者端末機から前記母親ペットおよび前記父親ペットの交配による情報を受信して前記オーダーメードペット購買者端末機に提供する段階；
前記オーダーメードペット生産者端末機から前記母親ペットおよび前記父親ペットの交配により生まれたオーダーメード兄弟ペット情報を前記オーダーメードペット購買者端末機およびオーダーメード兄弟ペット購買者端末機に提供する段階；
前記オーダーメードペット購買者端末機からオーダーメード兄弟ペットの最終選択情報を受信するか前記オーダーメード兄弟ペット購買者端末機からオーダーメード兄弟ペット購買申込情報を受信すると売買を処理する段階；を含む
ことを特徴とするペット売買方法。
【請求項２】
前記オーダーメードペット購買者端末機からオーダーメード兄弟ペットの最終選択情報を受信するか前記オーダーメード兄弟ペット購買者端末機からオーダーメード兄弟ペット購買申込情報を受信すると購買を処理する段階は、
前記オーダーメード兄弟ペット購買者端末機から前記オーダーメード兄弟ペットのうち前記オーダーメードペット購買者によって選択されたオーダーメードペットを除いた残りのオーダーメード兄弟ペットに対するオーダーメード兄弟ペット購買申込情報を受信する段階；
前記オーダーメード兄弟ペットの契約金の入金要請メッセージを前記オーダーメード兄弟ペット購買者端末機に提供する段階；
前記オーダーメード兄弟ペット購買者端末機からオーダーメード兄弟ペットの契約金の入金情報を受信すると、オーダーメード兄弟ペットの最終選択情報をオーダーメード兄弟ペット購買者端末機に提供する段階；
前記オーダーメード兄弟ペット購買者端末機から受信したオーダーメード兄弟ペットの最終選択情報により売買を処理する段階；を含む
請求項１に記載のペット売買方法。
【請求項３】
前記オーダーメードペット購買者端末機からオーダーメード兄弟ペットの最終選択情報を受信するか前記オーダーメード兄弟ペット購買者端末機からオーダーメード兄弟ペット購買申込情報を受信すると売買を処理する段階は、
前記オーダーメードペット購買者端末機または前記オーダーメード兄弟ペット購買者端末機から前記オーダーメードペットおよびオーダーメード兄弟ペットの最終選択情報を受信すると、あらかじめ決定された配送日にオーダーメード兄弟ペット配送車両を通じてオーダーメードペットおよびオーダーメード兄弟ペットの配送を要請するメッセージを前記オーダーメードペット生産者端末機に提供する段階；
前記オーダーメード兄弟ペット配送車両でオーダーメードペットおよびオーダーメード兄弟ペットを受け取った後、前記オーダーメードペット購買者または前記オーダーメード兄弟ペット購買者からオーダーメードペットおよびオーダーメード兄弟ペットの残金の入金を受ける段階；を含む
請求項１に記載のペット売買方法。
【請求項４】
前記オーダーメードペット購買者の推薦により前記オーダーメード兄弟ペットを購入したユーザーがいれば、前記オーダーメード兄弟ペットの数だけオーダーメードペットの金額の一部を前記オーダーメードペット購買者の口座に入金する段階をさらに含む
請求項１に記載のペット売買方法。
【請求項５】
オーダーメードペット生産者が登録した選択交配可能な親ペット情報およびオーダーメードペット購買者の選択交配により生まれたオーダーメード兄弟ペット情報が保存される生産者情報ＤＢ；
オーダーメードペット購買者が選択交配を要請したオーダーメードペット情報およびオーダーメード兄弟ペット購買者が購買要請したオーダーメード兄弟ペット情報が保存される購買者情報ＤＢ；
一般のユーザー、オーダーメードペット生産者、オーダーメードペット購買者およびオーダーメード兄弟ペット購買者のそれぞれの会員情報が保存される会員情報ＤＢ；
オーダーメードペット生産者、オーダーメードペット購買者およびオーダーメード兄弟ペット購買者間に、互いに必要な情報のやりとりに用いられる要請情報ＤＢ；
オーダーメードペット購買者端末機から前記生産者情報ＤＢを通じて検索された母親ペットおよび父親ペットを含むオーダーメードペット購買申込情報を受信すると、オーダーメードペット契約金の入金要請メッセージを前記オーダーメードペット購買者端末機に提供し、前記オーダーメードペット購買者端末機からオーダーメードペット契約金の入金情報を受信すると、前記オーダーメードペット購買申込情報を該当オーダーメードペット生産者端末機に提供して前記母親ペットおよび前記父親ペットの交配を要請し、前記交配を要請したオーダーメードペット情報を前記購買者情報ＤＢに保存し、前記オーダーメードペット生産者端末機から前記母親ペットおよび前記父親ペットの交配による情報を受信して前記オーダーメードペット購買者端末機に提供し、前記オーダーメードペット生産者端末機から前記母親ペットおよび前記父親ペットの交配により生まれたオーダーメード兄弟ペット情報を前記オーダーメードペット購買者端末機およびオーダーメード兄弟ペット購買者端末機に提供し、前記オーダーメードペット購買者端末機からオーダーメード兄弟ペットの最終選択情報を受信するか前記オーダーメード兄弟ペット購買者端末機からオーダーメード兄弟ペット購買申込情報を受信すると、会員情報ＤＢを利用して売買を処理する制御部；を含む
ことを特徴とするペット売買サーバー。
【請求項６】
前記制御部は、
前記オーダーメード兄弟ペット購買者端末機から前記オーダーメード兄弟ペットのうち前記オーダーメードペット購買者によって選択されたオーダーメードペットを除いた残りのオーダーメード兄弟ペットに対するオーダーメード兄弟ペット購買申込情報を受信し、前記オーダーメード兄弟ペットの契約金の入金要請メッセージを前記オーダーメード兄弟ペット購買者端末機に提供し、前記オーダーメード兄弟ペット購買者端末機からオーダーメード兄弟ペットの契約金の入金情報を受信すると、オーダーメード兄弟ペットの最終選択情報をオーダーメード兄弟ペット購買者端末機に提供し、前記オーダーメード兄弟ペット購買者端末機から受信したオーダーメード兄弟ペットの最終選択情報により売買を処理する
請求項５に記載のペット売買サーバー。
【請求項７】
前記制御部は、
前記オーダーメードペット購買者端末機または前記オーダーメード兄弟ペット購買者端末機から前記オーダーメードペットおよびオーダーメード兄弟ペットの最終選択情報を受信すると、あらかじめ決定された配送日にオーダーメード兄弟ペット配送車両を通じてオーダーメードペットの配送を要請するメッセージを前記オーダーメードペット生産者端末機に提供し、前記オーダーメード兄弟ペット配送車両でオーダーメードペットおよびオーダーメード兄弟ペットを受け取った後、前記オーダーメードペット購買者または前記オーダーメード兄弟ペット購買者からオーダーメードペットおよびオーダーメード兄弟ペットの残金の入金を受ける
請求項５に記載のペット売買サーバー。
【請求項８】
前記制御部は、
前記オーダーメードペット購買者の推薦により前記オーダーメード兄弟ペットを購入したユーザーがいれば、前記オーダーメード兄弟ペットの数だけオーダーメードペットの金額の一部を前記オーダーメードペット購買者の口座に入金する
請求項５に記載のペット売買サーバー。
【発明の詳細な説明】
【技術分野】
【０００１】
本発明はオーダーメード型ペット選択交配を利用した売買方法に関するものであって、より詳細には、生産者が登録した選択交配可能なペットを購買者が直接選んだ後に選択交配を申し込んで売買するようにする、オーダーメード型ペット選択交配を利用した売買方法に関するものである。
【背景技術】
【０００２】
ペット市場は、高齢化および単独世帯の増加と共にペットを飼っている人達の増加により大きく伸びており、最近では単なるペットではなく伴侶に思う伴侶動物文化が拡散するにつれて関連産業が大きく伸びている。
【０００３】
このように伴侶としての養子縁組する家族を選択するにおいて、オンラインショップおよびオフラインショップ等を通してすでに出産されたペットの中から選択しなければならない画一的な問題点と、特にまだ販売先が決まっていない幼いペットは６０ｃｍにもならないあまりにも小さいショーケースの中で過ごしている。
【０００４】
換気排出、温度調節、紫外線消毒という装置を設けてはいるが、親ペットと離れてショールームに長い間陳列されていると、免疫力の低下から来る致命的な病気の問題には役に立たないのが現状である。
【０００５】
このように、ペットショップで販売先が決まってもいないうちに病気にかかったり斃死するなどの経済的な問題が引き起こされているが、ペットショップではショールーム自体の基本的な問題を解決できず、受動的なレベルの事後処理にのみ汲々としているのが現状である。
【０００６】
特許文献１はペット登録管理システムに関するものであって、ペットの歴史を理解し、無秩序な交配による奇妙な病気から保護し、市場流通の体系化と純血種の血統を保存することができるという内容が開示されているだけで、前記の問題点を解決するための方案は開示されていない。
【先行技術文献】
【特許文献】
【０００７】
【特許文献１】韓国公開特許第１０−２００２−００８５６５１号
【発明の概要】
【発明が解決しようとする課題】
【０００８】
本発明は、生産者が登録した選択交配可能なペットを購買者が直接選んだ後に選択交配を申し込んで売買するようにすることによって、オンライン上でペットの養子縁組をする家族が多様な選択によるペットの養子縁組を所望する時、すでに出産されたペットの中から選択しなければならない画一的な問題点を改善できるようにする、オーダーメード型ペット選択交配を利用したペット売買方法およびそれを実行するサーバーを提供することを目的とする。
【０００９】
また、本発明は選択交配を通してのオーダーメード生産によりペットの購買費用が節減され得るようにする、オーダーメード型ペット選択交配を利用したペット売買方法およびそれを実行するサーバーを提供することを目的とする。
【００１０】
また、本発明は養子縁組する前には親ペットと一緒に過ごし、養子縁組の時点になると、母親ペットと共にオーダーメード兄弟ペット配送車両に乗って同行して新しい養子縁組する家族のところに最短時間に安全に養子縁組されるようにする、オーダーメード型ペット選択交配を利用したペット売買方法およびそれを実行するサーバーを提供することを目的とする。
【００１１】
また、本発明は、ペットの購買者に親ペットの種類、親ペットの品種、母親ペット、父親ペットの状態および地域的位置を考慮した親ペット情報を購買者端末機に提供するので、ペット個体の種保全と所望するオーダーメードペットの品種の購買を可能にする、オーダーメード型ペット選択交配を利用したペット売買方法およびそれを実行するサーバーを提供することを目的とする。
【００１２】
また、本発明は、選択交配を通じて生まれたオーダーメード兄弟ペットを追加に購買する時、オーダーメードペットとオーダーメード兄弟ペットを同一時間および同一場所で本人または他人に養子縁組させる場合、オーダーメード兄弟ペットが養子縁組される数だけの手数料割引サービスを提供することによって、オーダーメードペット購買者は手数料を通じて直接的な収益を創り出せるようにする、オーダーメード型ペット選択交配を利用したペット売買方法およびそれを実行するサーバーを提供することを目的とする。
【００１３】
本発明が解決しようとする課題は以上で言及した課題に制限されず、言及されていないさらに他の課題は下記の記載から当業者に明確に理解される。
【課題を解決するための手段】
【００１４】
本発明に係る一実施例のペット売買サーバーで実行されるペット売買方法は、オーダーメードペット購買者端末機から母親ペットおよび父親ペットを含むオーダーメードペット購買申込情報を受信すると、オーダーメードペット契約金の入金要請メッセージを前記オーダーメードペット購買者端末機に提供する段階、前記オーダーメードペット購買者端末機からオーダーメードペット契約金の入金情報を受信すると、前記オーダーメードペット購買申込情報を該当オーダーメードペット生産者端末機に提供して前記母親ペットおよび前記父親ペットの交配を要請する段階、前記オーダーメードペット生産者端末機から前記母親ペットおよび前記父親ペットの交配による情報を受信して前記オーダーメードペット購買者端末機に提供する段階、前記オーダーメードペット生産者端末機から前記母親ペットおよび前記父親ペットの交配により生まれたオーダーメード兄弟ペット情報を前記オーダーメードペット購買者端末機およびオーダーメード兄弟ペット購買者端末機に提供する段階および前記オーダーメードペット購買者端末機からオーダーメード兄弟ペットの最終選択情報を受信するか前記オーダーメード兄弟ペット購買者端末機からオーダーメード兄弟ペット購買申込情報を受信すると売買を処理する段階を含む。
【００１５】
本発明に係る一実施例のペット売買サーバーは、オーダーメードペット生産者が登録した選択交配可能な親ペット情報およびオーダーメードペット購買者の選択交配により生まれたオーダーメード兄弟ペット情報が保存される生産者情報ＤＢ、オーダーメードペット購買者が選択交配を要請したオーダーメードペット情報およびオーダーメード兄弟ペット購買者が購買要請したオーダーメード兄弟ペット情報が保存される購買者情報ＤＢ、一般のユーザー、オーダーメードペット生産者、オーダーメードペット購買者およびオーダーメード兄弟ペット購買者のそれぞれの会員情報が保存される会員情報ＤＢ、オーダーメードペット生産者、オーダーメードペット購買者およびオーダーメード兄弟ペット購買者間に、互いに必要な情報のやりとりに用いられる要請情報ＤＢおよびオーダーメードペット購買者端末機から前記生産者情報ＤＢを通じて検索された母親ペットおよび父親ペットを含むオーダーメードペット購買申込情報を受信すると、オーダーメードペット契約金の入金要請メッセージを前記オーダーメードペット購買者端末機に提供し、前記オーダーメードペット購買者端末機からオーダーメードペット契約金の入金情報を受信すると、前記オーダーメードペット購買申込情報を該当オーダーメードペット生産者端末機に提供して前記母親ペットおよび前記父親ペットの交配を要請し、前記交配を要請したオーダーメードペット情報を前記購買者情報ＤＢに保存し、前記オーダーメードペット生産者端末機から前記母親ペットおよび前記父親ペットの交配による情報を受信して前記オーダーメードペット購買者端末機に提供し、前記オーダーメードペット生産者端末機から前記母親ペットおよび前記父親ペットの交配により生まれたオーダーメード兄弟ペット情報を前記オーダーメードペット購買者端末機およびオーダーメード兄弟ペット購買者端末機に提供し、前記オーダーメードペット購買者端末機からオーダーメード兄弟ペットの最終選択情報を受信するか前記オーダーメード兄弟ペット購買者端末機からオーダーメード兄弟ペット購買申込情報を受信すると、会員情報ＤＢを利用して売買を処理する制御部を含む。
【００１６】
その他の実施例の具体的な事項は、詳細な説明および添付図面に含まれている。
【００１７】
本発明の利点および／または特徴、そして、それらを達成する方法は、添付される図面と共に詳細に後述されている実施例を参照すると明確になるはずである。しかし、本発明は以下で開示される実施例に限定されるものではなく互いに異なる多様な形態で具現され得、ただし本実施例は本発明の開示を完全なものとし、本発明が属する技術分野で通常の知識を有する者に発明の範疇を完全に知らせるために提供されるものであり、本発明は請求項の範疇によってのみ定義される。明細書全体に亘って同一の参照符号は同一の構成要素を指し示す。
【発明の効果】
【００１８】
本発明によると、生産者が登録した選択交配可能なペットを購買者が直接選んだ後に選択交配を申し込んで売買するようにすることによって、オンライン上でペットの養子縁組をする家族が多様な選択によるペットの養子縁組を所望する時にすでに出産されたペットの中から選択しなければならない画一的な問題点を改善することができるという長所がある。
【００１９】
また、本発明によると、選択交配を通してのオーダーメード生産によりペットの購買費用が節減され得るという長所がある。
【００２０】
また、本発明によると、養子縁組される前には親ペットと一緒に過ごし、養子縁組の時点になると母親ペットと共にオーダーメード兄弟ペット配送車両に乗って同行して新しい養子縁組する家族のところに最短時間に安全に養子縁組され得るという長所がある。
【００２１】
また、本発明によると、ペットの購買者に親ペットの種類、親ペットの品種、母親ペット、父親ペットの状態および地域的位置を考慮した親ペット情報を購買者端末機に提供するので、ペット個体の種保全と所望するオーダーメードペットの品種の購買を可能にするという長所がある。
【００２２】
また、本発明によると、選択交配を通じて生まれたオーダーメード兄弟ペットを追加に購買する時、オーダーメードペットとオーダーメード兄弟ペットを同一時間および同一場所で本人または他人に養子縁組させる場合、オーダーメード兄弟ペットが養子縁組される数だけの手数料割引サービスを提供することによって、オーダーメードペット購買者は手数料を通じて直接的な収益を創り出すことができるという長所がある。
【図面の簡単な説明】
【００２３】
【図１】本発明の一実施例に係るペット売買システムのブロック図
【図２】図１のペット売買サーバーのブロック図
【図３】図２のペット売買サーバーによって実行されるペット売買方法のフローチャート
【図４】図２のペット売買サーバーによって実行されるペット売買方法のフローチャート
【図５】ユーザー端末機において、ユーザー会員加入申込のインタフェース入力画面の例示説明図
【図６】ユーザー端末機において、ユーザー会員加入申込のインタフェース入力画面の例示説明図
【図７】ユーザー端末機において、ユーザー会員加入申込のインタフェース入力画面の例示説明図
【図８】ユーザー端末機において、ユーザー会員加入申込のインタフェース入力画面の例示説明図
【図９】ユーザー端末機において、ユーザー会員加入申込のインタフェース入力画面の例示説明図
【図１０】ユーザー端末機において、ユーザー会員加入申込のインタフェース入力画面の例示説明図
【図１１】ユーザー端末機において、ユーザー会員ログインインタフェース入力画面の例示説明図
【図１２】オーダーメードペット生産者端末機において、選択交配可能な親ペット情報のインタフェース入力画面の説明図
【図１３】オーダーメードペット生産者端末機において、選択交配可能な親ペット情報のインタフェース入力画面の説明図
【図１４】オーダーメードペット生産者端末機において、選択交配可能な親ペット情報のインタフェース入力画面の説明図
【図１５】オーダーメードペット生産者端末機において、選択交配可能な親ペット情報のインタフェース入力画面の説明図
【図１６】オーダーメードペット生産者端末機において、選択交配可能な親ペット情報のインタフェース入力画面の説明図
【図１７】オーダーメードペット生産者端末機において、選択交配可能な親ペット情報のインタフェース入力画面の説明図
【図１８】オーダーメードペット生産者端末機において、選択交配可能な親ペット情報のインタフェース入力画面の説明図
【図１９】オーダーメードペット生産者端末機において、選択交配可能な親ペット情報のインタフェース入力画面の説明図
【図２０】オーダーメードペット生産者端末機において、選択交配可能な親ペット情報のインタフェース入力画面の説明図
【図２１】オーダーメードペット生産者端末機において、選択交配可能な親ペット情報のインタフェース入力画面の説明図
【図２２】オーダーメードペット生産者端末機において、選択交配可能な親ペット情報のインタフェース入力画面の説明図
【図２３】オーダーメードペット生産者端末機において、選択交配可能な親ペット情報のインタフェース入力画面の説明図
【図２４】オーダーメードペット生産者端末機において、選択交配可能な親ペット情報のインタフェース入力画面の説明図
【図２５】オーダーメードペット生産者端末機において、選択交配可能な親ペット情報のインタフェース入力画面の説明図
【図２６】オーダーメードペット生産者端末機において、選択交配可能な親ペット情報のインタフェース入力画面の説明図
【図２７】オーダーメードペット生産者端末機において、選択交配可能な親ペット情報のインタフェース入力画面の説明図
【図２８】オーダーメードペット購買者端末機において、オーダーメードペット生産者が入力した選択交配可能な親ペット情報を検索できる親ペット検索窓の例示説明図
【図２９】オーダーメードペット購買者端末機において、オーダーメードペット生産者が入力した選択交配可能な親ペット情報を検索できる親ペット検索窓の例示説明図
【図３０】オーダーメードペット購買者端末機において、オーダーメードペット生産者が入力した選択交配可能な親ペット情報を検索できる親ペット検索窓の例示説明図
【図３１】オーダーメードペット購買者端末機において、オーダーメードペット生産者が入力した選択交配可能な親ペット情報を検索できる親ペット検索窓の例示説明図
【図３２】オーダーメードペット購買者端末機において、オーダーメードペット生産者が入力した選択交配可能な親ペット情報を検索できる親ペット検索窓の例示説明図
【図３３】オーダーメードペット購買者端末機において、オーダーメードペット生産者が入力した選択交配可能な親ペット情報を検索できる親ペット検索窓の例示説明図
【図３４】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図３５】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図３６】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図３７】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図３８】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図３９】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図４０】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図４１】オーダーメードペット購買者端末機で選択交配可能な親ペット情報を検索した後、オーダーメードペットの購買を申し込む親ペット情報を含むオーダーメードペット購買申込情報のインタフェース入力画面の例示説明図
【図４２】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４３】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４４】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４５】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４６】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４７】オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の説明図
【図４８】オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示説明図
【図４９】オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示説明図
【図５０】オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示説明図
【図５１】オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示説明図
【図５２】オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示説明図
【図５３】オーダーメード兄弟ペット購買者端末機において、購買可能なオーダーメード兄弟ペットのうち購買を申し込むオーダーメード兄弟ペット購買申込情報のインタフェース入力画面の説明図
【図５４】オーダーメード兄弟ペット購買者端末機において、購買可能なオーダーメード兄弟ペットのうち購買を申し込むオーダーメード兄弟ペット購買申込情報のインタフェース入力画面の説明図
【図５５】オーダーメード兄弟ペット購買者端末機において、購買可能なオーダーメード兄弟ペットのうち購買を申し込むオーダーメード兄弟ペット購買申込情報のインタフェース入力画面の説明図
【図５６】オーダーメード兄弟ペット購買者端末機において、購買可能なオーダーメード兄弟ペットのうち購買を申し込むオーダーメード兄弟ペット購買申込情報のインタフェース入力画面の説明図
【図５７】オーダーメード兄弟ペット購買者端末機において、購買可能なオーダーメード兄弟ペットのうち購買を申し込むオーダーメード兄弟ペット購買申込情報のインタフェース入力画面の説明図
【図５８】オーダーメードペット購買者端末機において、オーダーメード兄弟ペットのうち最も気に入るオーダーメードペットを最終選択する情報のインタフェース入力画面の説明図
【図５９】オーダーメードペット購買者端末機において、オーダーメード兄弟ペットのうち最も気に入るオーダーメードペットを最終選択する情報のインタフェース入力画面の説明図
【図６０】オーダーメードペット購買者端末機において、オーダーメード兄弟ペットのうち最も気に入るオーダーメードペットを最終選択する情報のインタフェース入力画面の説明図
【図６１】オーダーメード兄弟ペット購買者端末機において、オーダーメードペット購買者およびオーダーメード兄弟ペット購買者が購入してから残ったオーダーメード兄弟ペットの中から最も気に入るオーダーメード兄弟ペットを最終選択する情報のインタフェース入力画面の説明図
【図６２】オーダーメード兄弟ペット購買者端末機において、オーダーメードペット購買者およびオーダーメード兄弟ペット購買者が購入してから残ったオーダーメード兄弟ペットの中から最も気に入るオーダーメード兄弟ペットを最終選択する情報のインタフェース入力画面の説明図
【図６３】オーダーメード兄弟ペット購買者端末機において、オーダーメードペット購買者およびオーダーメード兄弟ペット購買者が購入してから残ったオーダーメード兄弟ペットの中から最も気に入るオーダーメード兄弟ペットを最終選択する情報のインタフェース入力画面の説明図
【図６４】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【図６５】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【図６６】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【図６７】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【図６８】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【図６９】オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の説明図
【発明を実施するための形態】
【００２４】
以下、添付された図面を参照して本発明の実施例を詳細に説明する。
【００２５】
本明細書で用いられる用語のうち「オーダーメードペット」は、オーダーメードペット生産者が登録した選択交配可能なペットをオーダーメードペット購買者が直接選んだ後に選択交配を申し込んで生まれた動物を意味する。
【００２６】
本明細書で用いられる用語のうち「オーダーメードペット生産者」は交配可能なペットを保有するユーザーを意味する。
【００２７】
本明細書で用いられる用語のうち「オーダーメードペット購買者」は、オーダーメードペット生産者が登録した選択交配可能なペットを直接選んだ後に選択交配を申し込んで生まれた動物を購入するユーザーを意味する。
【００２８】
本明細書で用いられる用語のうち「オーダーメード兄弟ペット」は、オーダーメードペット購買者が直接選んだ後に選択交配を申し込んで生まれた動物の兄弟動物を意味する。
【００２９】
本明細書で用いられる用語のうち「オーダーメード兄弟ペット購買者」は、オーダーメードペット購買者が直接選んだ後に選択交配を申し込んで生まれた動物の兄弟動物を購入するユーザーを意味する。
【００３０】
本明細書で用いられる用語のうち「母親ペット」は、オーダーメードペットの親のうち雌の動物を意味する。
【００３１】
本明細書で用いられる用語のうち「父親ペット」は、オーダーメードペットの親のうち雄の動物を意味する。
【００３２】
図１は、本発明の一実施例に係るペット売買システムのブロック図である。
【００３３】
図１を参照すると、ペット売買システム１０は、ペット売買サーバー１００、ユーザー端末機２００および電子決済システム９００を含む。
【００３４】
ペット売買サーバー１００は、オーダーメードペット生産者端末機３００、オーダーメードペット購買者端末機４００およびオーダーメード兄弟ペット購買者端末機５００により使われる。例えば、ペット売買サーバー１００は一般的なサーバーコンピュータである。ペット売買サーバー１００もインターネットに接続するための有線通信手段と無線通信手段のうち一つ以上を含む。ペット売買サーバー１００は本発明に係るペット売買方法を遂行する。このような遂行を通じてペット売買サーバー１００は、インターネットに接続したオーダーメードペット生産者、オーダーメードペット購買者およびオーダーメード兄弟ペット購買者間にオンライン売買サービスを提供する。
【００３５】
ユーザー端末機２００は、ペット売買サーバー１００で提供されるペット売買サービスを利用するユーザー（すなわち、オーダーメードペット生産者、オーダーメードペット購買者、オーダーメード兄弟ペット購買者）が保有する端末機である。例えば、ユーザー端末機３００は、デスクトップＰＣ（Ｐｅｒｓｏｎａｌ  Ｃｏｍｐｕｔｅｒ）、ノートパソコン、タブレットパソコン、スマートフォンおよびインターネット接続が可能なすべての有無線機器である。オーダーメードペット生産者端末機３００は、インターネットに接続するための有線通信手段と無線通信手段のうち一つ以上を含む。インターネットは通信ネットワークの例示に該当する。
【００３６】
ユーザー端末機２００は、オーダーメードペット生産者端末機３００、オーダーメードペット購買者端末機４００およびオーダーメード兄弟ペット購買者端末機５００を含む。
【００３７】
オーダーメードペット生産者端末機３００は、交配可能なペットを保有するオーダーメードペット生産者によって使われる。オーダーメードペット購買者端末機４００は、オーダーメードペット生産者が登録した選択交配可能なペットを直接選んだ後に選択交配を申し込んで生まれた動物を購入するオーダーメードペット購買者によって使われる。
【００３８】
オーダーメードペット購買者端末機４００は、オーダーメードペット購買者が直接選んだ後に選択交配を申し込んで生まれた動物を購入するオーダーメード型ペットの購買者によって使われる。
【００３９】
オーダーメード兄弟ペット購買者端末機５００は、オーダーメードペット購買者が直接選んだ後に選択交配を申し込んで生まれた動物の兄弟動物を購入するオーダーメード兄弟ペット購買者によって使われる。
【００４０】
電子決済システム９００は、オーダーメードペット生産者とオーダーメードペット購買者またはオーダーメードペット生産者とオーダーメード兄弟ペット購買者の間でペットの代金決済がオンラインで行われ得るようにサービスする。電子決済システム９００は従来技術を活用して具現され得る。
【００４１】
電子決済システム９００にはＰＧ（Ｐａｙｍｅｎｔ  Ｇａｔｅｗａｙ）サーバーが含まれ得る。ＰＧサーバーは、インターネット上で金融機関との取り引きを代行するサービスを提供する。ＰＧサーバーは、クレジットカード、口座振込、携帯電話利用決済、ＡＲＳ（Ａｕｔｏｍａｔｉｃ  Ｒｅｓｐｏｎｓｅ  Ｓｅｒｖｉｃｅ）決済などの多様な小額決済サービスを代わりに提供する。
【００４２】
図２は、図１のペット売買サーバーのブロック図である。
【００４３】
図２を参照すると、ペット売買サーバー１００はメモリー部１１０、制御部１２０、受信部１３０、送信部１４０、会員情報ＤＢ１５０、生産者情報ＤＢ１６０、購買者情報ＤＢ１７０および要請情報ＤＢ１８０を含む。
【００４４】
メモリー部１１０はコンピュータプログラムを保存する。メモリー部１１０に保存されたコンピュータプログラムには、ＯＳ（Ｏｐｅｒａｔｉｎｇ  Ｓｙｓｔｅｍ）プログラム１１１およびアプリケーション１１２が含まれる。アプリケーション１１２には本発明に係るペット売買方法を遂行するためのコンピュータプログラムが含まれる。メモリー部１１０はコンピュータプログラムの他にも、本発明に係るペット売買方法の遂行に使われるデータを保存する。
【００４５】
制御部１２０は、受信部１３０、送信部１４０、会員情報ＤＢ１５０、生産者情報ＤＢ１６０、購買者情報ＤＢ１７０および要請情報ＤＢ１８０を制御して本発明に係るペット売買方法を遂行する
【００４６】
受信部１３０は有線または無線回線を通じてデータを受信する。有線または無線回線はインターネットに連結されるか他の装置に直接連結され得る。
【００４７】
送信部１４０は有線または無線回線を通じてデータを送信する。有線または無線回線はインターネットに連結されるか他の装置に直接連結され得る。送信部１４０がデータを送信する回線と受信部１３０がデータを受信する回線とは、同じであり得る。
【００４８】
会員情報ＤＢ１５０は、一般のユーザー、オーダーメードペット生産者、オーダーメードペット購買者およびオーダーメード兄弟ペット購買者の身上情報を表すデータの集まりである。会員情報ＤＢ１５０には、一般のユーザー、オーダーメードペット生産者、オーダーメードペット購買者およびオーダーメード兄弟ペット購買者のそれぞれのＩＤ、パスワード、名前、電話番号、携帯電話番号、Ｅメール、郵便番号、住所１、住所２および自動で生成される会員コードなどの個人の身上情報が保存される。会員情報ＤＢ１５０内の情報はセキュリティーのために暗号化され得る。
【００４９】
生産者情報ＤＢ１６０は、オーダーメードペット生産者の選択交配可能な親ペット情報を表すデータの集まりである。生産者情報ＤＢ１６０には、オンライン上で選択交配可能な親ペットをペット売買サーバー１００に登録したオーダーメードペット生産者のそれぞれの親ペットの種類、親ペットの品種、親ペットの地域、親ペットの性別、親ペットの名前、オーダーメードペットの金額、親ペットの年齢、親ペットの大きさ、親ペットの体重、親ペットの写真、血統書の写真、子供のペットの写真、親ペットのその他の情報および自動で生成される親ペットコードなどの親ペット情報と選択交配後に母親ペットから生まれたオーダーメード兄弟ペットのそれぞれの妊娠交配の有無、交配日、出産予定日、出産日、配送予定日、配送日、最終選択日、オーダーメード兄弟ペット数、オーダーメード兄弟ペットの映像、オーダーメード兄弟ペットの写真、オーダーメード兄弟ペットのその他の情報などのオーダーメード兄弟ペットに対する情報およびオーダーメードペット最終選択情報およびオーダーメード兄弟ペットの最終選択情報などの生産者情報が保存される。生産者情報ＤＢ１６０内の情報はセキュリティーのために暗号化され得る。
【００５０】
購買者情報ＤＢ１７０は、オーダーメードペット購買者が選択交配を要請したオーダーメードペット情報を表すデータの集まりである。購買者情報ＤＢ１７０には、オーダーメードペット生産者が入力した選択交配可能な親ペット情報のうちオーダーメードペット購買者のそれぞれが選択して交配を申し込んだ親ペットの、親ペットの種類、親ペットの品種、親ペットの地域、母親ペット、父親ペット、オーダーメードペットの金額、オーダーメードペット契約金などのオーダーメードペットの親ペット情報と選択交配を申し込んだオーダーメードペット購買者のオーダーメードペットの胎名、配送地域配送料、配送地郵便番号、配送地住所１、配送地住所２とオーダーメード兄弟ペット販売手数料用口座番号の銀行名、口座番号、預金者などのオーダーメードペット購買者情報と自動で生成されるオーダーメードペットコードおよびオーダーメードペット最終選択情報などのオーダーメードペット購買者情報が保存され、またオーダーメードペット購買者の選択交配により生まれたオーダーメード兄弟ペットのうちオーダーメード兄弟ペット購買者のそれぞれが購買を要請したオーダーメード兄弟ペットのオーダーメード兄弟ペットの種類、オーダーメード兄弟ペットの品種、オーダーメード兄弟ペットの地域、母親ペット、父親ペット、オーダーメード兄弟ペットの金額、オーダーメード兄弟ペットの契約金、配送地域配送料、配送地郵便番号、配送地住所１、配送地住所２等のオーダーメード兄弟ペット情報と自動で生成されるオーダーメード兄弟ペットの名前およびオーダーメード兄弟ペットコードおよびオーダーメード兄弟ペットの最終選択情報などのオーダーメード兄弟ペット購買者情報が保存される。購買者情報ＤＢ１７０内の情報はセキュリティーのために暗号化され得る。
【００５１】
要請情報ＤＢ１８０は、オーダーメードペット生産者、オーダーメードペット購買者およびオーダーメード兄弟ペット購買者間に、互いに必要な情報のやりとりに用いられる要請情報を表すデータの集まりである。要請情報ＤＢ１８０には、会員コード、親ペットコード、オーダーメードペットコード、オーダーメード兄弟ペットコード、名前、要請情報および登録日などの要請情報が保存される。要請情報ＤＢ１８０内の情報はセキュリティーのために暗号化され得る。
【００５２】
再び図２を参照すると、会員情報ＤＢ１５０、生産者情報ＤＢ１６０、購買者情報ＤＢ１７０および要請情報ＤＢ１８０はメモリー部１１０に保存されてもよく、通信ネットワークを通じて連結された外部装置に保存されてもよい。
【００５３】
図３および図４は、図２のペット売買サーバーによって実行されるペット売買方法のフローチャートである。
【００５４】
図２〜図４を参照すると、ユーザーはユーザー端末機でブラウザを駆動させる。そして、検索窓に本発明のオンライン購買者別のオーダーメード型ペット選択交配および売買システムを駆動するユーザー用ウェブサイトに接続する（Ｓ１０５）。
【００５５】
ペット売買サーバー１００は、オンライン上でユーザー用ウェブサイトに接続されたユーザー（すなわち、オーダーメードペット生産者、オーダーメードペット購買者、オーダーメード兄弟ペット購買者）端末機２００にユーザー会員ログインインターフェースを提供してＩＤとパスワードを要請する。ここで、ユーザー会員ログインインターフェースについては、以下の図１１でより具体的に説明する。
【００５６】
ユーザーから入力されたＩＤとパスワードは、ペット売買サーバー１００が会員情報ＤＢ１５０から受信したＩＤと一致するＩＤを検出すると、受信したパスワードが受信したＩＤと同じ行に記録されたパスワードと一致するかの可否を判断して、一致しないと再度ＩＤとパスワードを要請する（Ｓ１１０）。
【００５７】
ペット売買サーバー１００は、ユーザーから受信したＩＤとパスワードがすべて一致した場合に限って会員と見なし、ユーザー用ウェブサイトにあるすべてのウェブページを提供する（Ｓ１１５）。
【００５８】
オーダーメードペット生産者は、ペット売買サーバー１００が提供するオーダーメードペット生産者端末機３００の親ペット情報入力インターフェースで、オンライン上で選択交配可能な親ペット情報である親ペットの種類、親ペットの品種、親ペットの地域、親ペットの性別、親ペットの名前、オーダーメードペットの金額、親ペットの年齢、親ペットの大きさ、親ペットの体重、親ペットの写真、血統書の写真、子供のペットの写真、親ペットのその他の情報および自動で生成される親ペットコードなどの親ペット情報を入力した後、ペット売買サーバー１００に送信する（Ｓ１２０）。この時、親ペット情報入力インターフェースについては以下の図１２〜図２７でより具体的に説明する。
【００５９】
オーダーメードペット生産者は、ペット売買サーバー１００が提供するオーダーメードペット生産者端末機３００の親ペット情報入力インターフェースを通じて親ペット情報が受信されると、オーダーメードペット購買者端末機４００の親ペット検索インターフェースに親ペット情報を送信する（Ｓ１２５）。この時、親ペット検索インターフェースについては以下の図２８〜図３３を参照してより具体的に説明する。
【００６０】
第１の売買方法を説明すると、一番目の購買者であるオーダーメードペット購買者は、オーダーメードペット購買者端末機４００の親ペット検索インターフェースで提供された選択交配可能な親ペット情報のうち最上のオーダーメードペットとなるように、ペット売買サーバー１００が制限した三つの条件（例えば、同一の親ペットの種類、同一の親ペットの品種、同一の親ペットの地域）を先に選択した後に親ペットを検索すると、前記三つの条件を満足するオーダーメードペット生産者が入力した母親ペットリストと父親ペットリストが表示される。
【００６１】
この時、オーダーメードペット購買者は、オーダーメードペット購買者端末機４００の親ペット検索インターフェースで母親ペットリストと父親ペットリストのうち所望する母親ペットと父親ペットを選択して「オーダーメードペットの購買申込」アイコンをクリックする。
【００６２】
そうすると、ペット売買サーバー１００はオーダーメードペット購買者端末機４００のオーダーメードペット購買者インターフェースを通じて購買を申し込んだ親ペットの、親ペットの種類、親ペットの品種、親ペットの地域、母親ペット、父親ペット、オーダーメードペットの金額、オーダーメードペット契約金の情報とさらに入力しなければならないオーダーメードペットの胎名、配送地域配送料、配送地郵便番号、配送地住所１、配送地住所２、銀行名、口座番号、預金者および自動で生成されるオーダーメードペットコードなどのオーダーメードペット購買申込情報を入力した後、ペット売買サーバー１００に送信する（Ｓ１３０）。
【００６３】
ペット売買サーバー１００は、オーダーメードペット購買者端末機４００のオーダーメードペット購買者インターフェースからオーダーメードペット購買申込情報が受信されると、オーダーメードペット購買者端末機４００のユーザーペット売買管理インターフェースにオーダーメードペット契約金の入金を要請する（Ｓ１３５）。
【００６４】
ペット売買サーバー１００は、オーダーメードペット購買者からオーダーメードペット契約金が入金されると次の段階に進行し、入金されないとオーダーメードペット購買者端末機４００のユーザーペット売買管理インターフェースでオーダーメードペット契約金の再入金を要請する（Ｓ１４０）。
【００６５】
もし、オーダーメードペット契約金の再要請後に３日が過ぎても契約金が入金されない場合は、ペット売買サーバー１００が提供するオーダーメードペット購買者端末機４００のユーザーペット売買管理インターフェースでオーダーメードペットの契約が取り消しとなったことを通知する。
【００６６】
ペット売買サーバー１００は、オーダーメードペット購買者からオーダーメードペット契約金の入金情報を確認すると、ペット売買サーバー１００が提供するオーダーメードペット購買者端末機４００のオーダーメードペット購買者インターフェースから受信したオーダーメードペット購買申込情報を、ペット売買サーバー１００が提供するオーダーメードペット生産者端末機３００のユーザーペット売買管理インターフェースに送信し、オーダーメードペット購買申込情報の通りに親ペットの交配を要請する。
【００６７】
その後、ペット売買サーバー１００が提供するオーダーメードペット生産者端末機３００のオーダーメードペット情報およびオーダーメード兄弟ペット情報入力インターフェースから、交配した親ペットの交配の有無および交配日と母親ペットの出産予定日および出産日、そしてオーダーメードペットの配送予定日、配送日、最終選択日、オーダーメード兄弟ペット数、オーダーメード兄弟ペットの映像、オーダーメード兄弟ペットの写真およびオーダーメード兄弟ペットのその他の情報などのオーダーメード兄弟ペット情報の入力を要請する（Ｓ１４５）。この時、オーダーメードペット情報およびオーダーメード兄弟ペット情報入力インターフェースについては以下の図４２〜図４７を参照してより具体的に説明する。
【００６８】
ペット売買サーバー１００は、オーダーメードペット生産者端末機３００のオーダーメードペット情報およびオーダーメード兄弟ペット情報入力インターフェースから、オーダーメードペット購買者が選択交配を申し込んだ親ペットの交配の可否を判断できるオーダーメードペット情報およびオーダーメード兄弟ペット情報入力インターフェースの受信の有無を確認し、もしオーダーメードペット情報およびオーダーメード兄弟ペット情報入力インターフェースが受信されなければ親ペットの交配が行われていないと判断し、再び選択された親ペットの交配を要請し、オーダーメードペット情報およびオーダーメード兄弟ペット情報入力インターフェースが受信されると親ペットの交配が行われたと判断する（Ｓ１５０）。
【００６９】
ペット売買サーバー１００は、オーダーメードペット生産者端末機３００のオーダーメードペット情報およびオーダーメード兄弟ペット情報入力インターフェースからオーダーメード兄弟ペット情報を受信すると、受信したオーダーメード兄弟ペット情報をオーダーメードペット購買者端末機４００のユーザーペット売買管理インターフェースに送信し続ける。
【００７０】
そして、もしオーダーメード兄弟ペット購買者が存在すれば、同様にペット売買サーバー１００は、受信したオーダーメード兄弟ペット情報をオーダーメード兄弟ペット購買者端末機５００のユーザーペット売買管理インターフェースに送信し続ける。また、ペット売買サーバー１００は、オーダーメード兄弟ペット購買者端末機５００のオーダーメード兄弟ペット検索インターフェースにもオーダーメード兄弟ペット情報を送信する（Ｓ１５５）。
【００７１】
ペット売買サーバー１００は、オーダーメード兄弟ペットの最終選択１順位であるオーダーメードペット購買者に、オーダーメードペット購買者端末機４００のユーザーペット売買管理インターフェースでオーダーメード兄弟ペット情報を継続的に確認してから、オーダーメードペット購買者端末機４００のオーダーメードペットおよびオーダーメード兄弟ペット最終選択インターフェースから１順位のオーダーメードペットの最終選択日が過ぎる前に、オーダーメード兄弟ペットのうち最終選択した１順位のオーダーメードペットのオーダーメードペット最終選択情報を要請する（Ｓ１６４）。
【００７２】
ペット売買サーバー１００は、オーダーメードペット購買者端末機４００のオーダーメードペットおよびオーダーメード兄弟ペット最終選択インターフェースから購買を申し込んだオーダーメードペットの最終選択の可否を判断できるオーダーメードペット最終選択情報の受信の有無を確認する。
【００７３】
もし、ペット売買サーバー１００は、オーダーメードペット最終選択情報が受信されなければ、購買を申し込んだオーダーメードペットの最終選択が行われていないと判断して再度オーダーメードペットの最終選択を要請し、オーダーメードペット最終選択情報が受信されるとオーダーメードペットの最終選択が行われたと判断する（Ｓ１６５）。
【００７４】
ペット売買サーバー１００は、オーダーメードペット購買者端末機４００のオーダーメードペットおよびオーダーメード兄弟ペット最終選択インターフェースからオーダーメードペット最終選択情報が受信されると、ペット売買サーバー１００が提供するオーダーメード兄弟ペット購買者端末機５００のユーザーペット売買管理インターフェースでオーダーメードペット最終選択情報をオーダーメード兄弟ペット購買者端末機５００に送信する。
【００７５】
また、ペット売買サーバー１００が提供するオーダーメードペット生産者端末機３００のユーザーペット売買管理インターフェースにもオーダーメードペット最終選択情報を送信する（Ｓ１６６）。
【００７６】
ペット売買サーバー１００は、追って定められた配送日になると、ペット売買サーバー１００が提供するオーダーメードペット生産者端末機３００のユーザーペット売買管理インターフェースでオーダーメードペット生産者に、オーダーメードペット購買者が申し込んだ場所にオーダーメード兄弟ペット配送車両で訪問するように要請し、オーダーメードペット購買者は訪問したオーダーメード兄弟ペット配送車両で最終選択したオーダーメードペットを確認した後、オーダーメードペットの残金を入金するとオーダーメードペットの購買が終了する（Ｓ１８１）。
【００７７】
しかし、ペット売買サーバー１００は、オーダーメードペット購買者端末機４００のオーダーメードペットおよびオーダーメード兄弟ペット最終選択インターフェースからオーダーメードペット最終選択情報を定められた配送日の２日前までに受信しないと、ペット売買サーバー１００は、定められた配送日にオーダーメードペット生産者端末機３００のユーザーペット売買管理インターフェースでオーダーメードペット生産者に、オーダーメードペット購買者が申し込んだ場所にオーダーメード兄弟ペット配送車両で訪問するように要請し、オーダーメードペット購買者は訪問したオーダーメード兄弟ペット配送車両でオーダーメードペットを選択した後、オーダーメードペットの残金を入金するとオーダーメードペットの購買が終了するか、またはオーダーメード兄弟ペット購買者のうちオーダーメード兄弟ペット購買者端末機５００のオーダーメードペットおよびオーダーメード兄弟ペット最終選択インターフェースからオーダーメード兄弟ペットの最終選択情報が受信されたオーダーメード兄弟ペット購買者が先に選択してから残ったオーダーメード兄弟ペットの中からオーダーメードペットを最終選択した後、オーダーメードペットの残金を入金するとオーダーメードペットの購買が終了する（Ｓ１８２）。
【００７８】
第２の売買方法を説明すると、２番目の購買者であるオーダーメード兄弟ペット購買者は、ペット売買サーバー１００が提供するオーダーメード兄弟ペット購買者端末機５００のオーダーメード兄弟ペット検索インターフェースで提供されるオーダーメード兄弟ペット情報を探し続けて、気に入るオーダーメード兄弟ペットが見つかると「オーダーメード兄弟ペットの購買申込」のアイコンをクリックする。
【００７９】
そうすると、ペット売買サーバー１００は、オーダーメードペット生産者端末機３００のオーダーメード兄弟ペットの購買インターフェースから購買を申し込んだオーダーメード兄弟ペットのオーダーメードペットの胎名、オーダーメード兄弟ペットの種類、オーダーメード兄弟ペットの品種、オーダーメード兄弟ペットの地域、母親ペット、父親ペット、オーダーメード兄弟ペットの金額、オーダーメード兄弟ペットの契約金の情報とさらに入力しなければならない配送地域配送料、配送地郵便番号、配送地住所１、配送地住所２および自動で生成されるオーダーメード兄弟ペットの名前とオーダーメード兄弟ペットコードなどのオーダーメード兄弟ペット購買申込情報を入力した後、ペット売買サーバー１００に送信する（Ｓ１７１）。
【００８０】
ペット売買サーバー１００は、オーダーメード兄弟ペット購買者端末機５００のオーダーメード兄弟ペットの購買インターフェースからオーダーメード兄弟ペット購買申込情報が受信されると、ペット売買サーバー１００が提供するオーダーメード兄弟ペット購買者端末機５００のユーザーペット売買管理インターフェースにオーダーメード兄弟ペットの契約金の入金を要請する（Ｓ１７２）。
【００８１】
ペット売買サーバー１００は、オーダーメード兄弟ペット購買者からオーダーメード兄弟ペットの契約金が入金されると次の段階に進行し、入金されないと再びオーダーメード兄弟ペット購買者端末機５００のユーザーペット売買管理インターフェースにオーダーメードペット契約金の入金を再要請する（Ｓ１７３）。
【００８２】
もし、ペット売買サーバー１００は、オーダーメード兄弟ペットの契約金の再要請後に３日が過ぎても契約金が入金されなければオーダーメード兄弟ペット購買者端末機５００のユーザーペット売買管理インターフェースにオーダーメード兄弟ペットの契約が取り消しとなったことを通知する。
【００８３】
ペット売買サーバー１００は、オーダーメード兄弟ペット購買者からオーダーメード兄弟ペットの契約金の入金情報を確認すると、オーダーメード兄弟ペット購買者端末機５００のオーダーメード兄弟ペット購買者インターフェースから受信したオーダーメード兄弟ペット購買申込情報を、ペット売買サーバー１００が提供するオーダーメードペット生産者端末機３００のユーザーペット売買管理インターフェースに送信する。
【００８４】
また、ペット売買サーバー１００は、オーダーメード兄弟ペット最終選択２順位以下のオーダーメード兄弟ペット購買者に、オーダーメード兄弟ペット購買者端末機５００のユーザーペット売買管理インターフェースでオーダーメード兄弟ペット情報を継続的に確認してから、オーダーメード兄弟ペット購買者端末機５００のオーダーメードペットおよびオーダーメード兄弟ペット最終選択インターフェースから本人の順番のオーダーメード兄弟ペット最終選択日が過ぎる前に、オーダーメードペット購買者と先順位オーダーメード兄弟ペット購買者が選択して残ったオーダーメード兄弟ペットの中から最終選択するオーダーメード兄弟ペットの２順位以降のオーダーメード兄弟ペットなどのオーダーメード兄弟ペットの最終選択情報の入力を要請する（Ｓ１７４）。
【００８５】
ペット売買サーバー１００は、オーダーメード兄弟ペット購買者端末機５００のオーダーメードペットおよびオーダーメード兄弟ペット最終選択インターフェースから購買を申し込んだオーダーメード兄弟ペットの最終選択の可否を判断できるオーダーメード兄弟ペットの最終選択情報の受信の有無を確認し、もしオーダーメード兄弟ペットの最終選択情報が受信されなければ購買を申し込んだオーダーメード兄弟ペットの最終選択が行われていないと判断して再びオーダーメード兄弟ペットの最終選択を要請し、オーダーメード兄弟ペットの最終選択情報が受信されるとオーダーメード兄弟ペットの最終選択が行われたと判断する（Ｓ１７５）。
【００８６】
ペット売買サーバー１００は、オーダーメード兄弟ペット購買者端末機５００のオーダーメードペットおよびオーダーメード兄弟ペット最終選択インターフェースからオーダーメード兄弟ペットの最終選択情報が受信されると、オーダーメード兄弟ペット購買者端末機５００のユーザーペット売買管理インターフェースでオーダーメード兄弟ペットの最終選択情報をオーダーメード兄弟ペット購買者に送信する。また、ペット売買サーバー１００は、オーダーメードペット購買者端末機４００のユーザーペット売買管理インターフェースにもオーダーメード兄弟ペットの最終選択情報を送信する。同様にペット売買サーバー１００は、オーダーメードペット生産者端末機３００のユーザーペット売買管理インターフェースにもオーダーメード兄弟ペットの最終選択情報を送信する（Ｓ１７６）。
【００８７】
ペット売買サーバー１００は、追って定められた配送日になると、オーダーメードペット生産者端末機３００のユーザーペット売買管理インターフェースでオーダーメードペット生産者に、オーダーメード兄弟ペット購買者が申し込んだ場所にオーダーメード兄弟ペット配送車両で訪問するように要請し、オーダーメード兄弟ペット購買者は訪問したオーダーメード兄弟ペット配送車両で最終選択したオーダーメード兄弟ペットを確認した後、オーダーメード兄弟ペットの残金を入金するとオーダーメード兄弟ペットの購買が終了する（Ｓ１８１）。
【００８８】
しかし、ペット売買サーバー１００は、オーダーメード兄弟ペット購買者端末機５００のオーダーメードペットおよびオーダーメード兄弟ペット最終選択インターフェースからオーダーメード兄弟ペットの最終選択情報を配送日の２日前までに受信しないと、ペット売買サーバー１００は、定められた配送日にオーダーメードペット生産者端末機３００のユーザーペット売買管理インターフェースでオーダーメードペット生産者に、オーダーメード兄弟ペット購買者が申し込んだ場所にオーダーメード兄弟ペット配送車両で訪問するように要請し、オーダーメード兄弟ペット購買者は訪問したオーダーメード兄弟ペット配送車両でオーダーメード兄弟ペットを選択した後、オーダーメード兄弟ペットの残金を入金するとオーダーメード兄弟ペットの購買が終了するか、またはオーダーメード兄弟ペット購買者のうちオーダーメードペット購買者端末機４００のオーダーメードペットおよびオーダーメード兄弟ペット最終選択インターフェースとオーダーメード兄弟ペット購買者端末機５００のオーダーメードペットおよびオーダーメード兄弟ペット最終選択インターフェースからオーダーメードペット最終選択情報およびオーダーメード兄弟ペットの最終選択情報が受信されたオーダーメードペット購買者とオーダーメード兄弟ペット購買者が先に選択してから残ったオーダーメード兄弟ペットの中からオーダーメード兄弟ペットを最終選択した後、オーダーメード兄弟ペットの残金を入金するとオーダーメード兄弟ペットの購買が終了する（Ｓ１８２）。
【００８９】
図５〜図１０はユーザー端末機において、ユーザー会員加入申込のインタフェース入力画面の例示図である。
【００９０】
図５〜図１０を参照すると、会員加入申込インターフェースは会員加入申込書情報を構成する項目であるＩＤ２１０、パスワード２１５、パスワードの確認２２０、名前２２５、電話番号２３０、携帯電話番号２３５、Ｅメール２４０、郵便番号２４５、住所１  ２５０、住所２  ２５５について、ユーザーが本人の会員加入申込書情報を入力できるようにする。
【００９１】
以下、対象ユーザー本人のＩＤ、パスワード、パスワードの確認、名前、電話番号、携帯電話番号、Ｅメール、郵便番号、住所１、住所２がそれぞれ、「ｆａｒｍ１」、「ｆａｒｍ１」、「ｆａｒｍ１」、「生産者１」、「１１１１１１１１１１１」、「１１１１１１１１１１１」、「ｆａｒｍ１＠ｆａｒｍ１．ｋｒ」、「０７２３６」、「ソウル特別市永登浦区議事堂大路１」、「国会議事堂」である場合に、ユーザー端末機２００で表示される会員加入申込インターフェースを通じて対象ユーザー本人の会員加入申込書情報を入力する実施例を図６、図７で説明する。
【００９２】
そして、本発明の一実施例に係るペット売買方法である、オンライン上でペットを選択交配して販売するためにコンピュータで具現する方法を効率的に説明するために、さらに図８、図９、図１０でそれぞれ対象ユーザー本人の会員加入申込書情報をペット売買サーバー１００の会員情報ＤＢ１５０に入力した実施例である。
【００９３】
ユーザーは、本人の会員加入申込書情報を構成する項目の中から、まずＩＤ２１０について対象ユーザー本人の会員加入申込書情報を入力するために、マウスでＩＤ入力ボックス２１１をクリックする。
【００９４】
図６は、図５の会員加入申込インターフェースでＩＤ入力ボックス２１１をクリックしてＩＤを入力した後、「重複確認」アイコン２１２をクリックした状態を図示したものである。図６を参照すると、「重複確認」アイコン２１２のクリックによってＩＤ入力ボックス２１１からＩＤ重複チェック窓２１１−１が開かれる。
【００９５】
本実施例において、対象ユーザー本人のＩＤはｆａｒｍ１と仮定した。これに伴い、ユーザーはＩＤに「ｆａｒｍ１」を入力した後、「重複確認」アイコン２１２をクリックすると、ユーザーから入力されたＩＤはペット売買サーバー１００が会員情報ＤＢ１５０で入力されたＩＤと一致するＩＤを検出すると、「使用不可ＩＤです」という文面２１１−１３で使用不可を通知するＩＤ重複チェック窓２１１−１が開かれる。これに伴い、重複するＩＤは使用することができず、他のＩＤを入力した後重複チェックをしなければならない。しかし、ユーザーから入力されたＩＤがペット売買サーバー１００の会員情報ＤＢ１５０のＩＤと一致するＩＤを検出できないと「使用可能ＩＤです。」という文面２１１−１３で使用可能であることを通知するＩＤ重複チェック窓２１１−１が開かれる。そうすると、ＩＤ重複チェック窓２１１−１にある「使用」アイコン２１１−１４をクリックしてＩＤを入力する。入力された「ｆａｒｍ１」は、ＩＤに対して対象ユーザー本人の会員加入申込書情報として入力される。
【００９６】
図７は、図５の会員加入申込インターフェースで対象ユーザー本人の会員加入申込書情報をそれぞれの該当入力ボックスに入力した後、「会員加入申込書保存」アイコン２９２をクリックした状態を図示したものである。図７を参照すると、「会員加入申込書保存」アイコン２９２のクリックによってそれぞれの入力ボックスの値がペット売買サーバー１００の会員情報ＤＢ１５０に保存される。
【００９７】
本実施例において、対象ユーザー本人のＩＤ、パスワード、パスワードの確認、名前、電話番号、携帯電話番号、Ｅメール、郵便番号、住所１、住所２がそれぞれ、「ｆａｒｍ１」、「ｆａｒｍ１」、「ｆａｒｍ１」、「生産者１」、「１１１１１１１１１１１」、「１１１１１１１１１１１」、「ｆａｒｍ１＠ｆａｒｍ１．ｋｒ」、「０７２３６」、「ソウル特別市永登浦区議事堂大路１」、「国会議事堂」と仮定した。
【００９８】
これに伴い、ユーザーは本人のＩＤ、パスワード、名前、電話番号、携帯電話番号、Ｅメール、郵便番号、住所１、住所２がそれぞれ、「ｆａｒｍ１」、「ｆａｒｍ１」、「ｆａｒｍ１」、「生産者１」、「１１１１１１１１１１１」、「１１１１１１１１１１１」、「ｆａｒｍ１＠ｆａｒｍ１．ｋｒ」、「０７２３６」、「ソウル特別市永登浦区議事堂大路１」、「国会議事堂」と入力した後、「会員加入申込書保存」アイコン２９２をクリックすると、入力されたそれぞれの会員加入申込書情報をペット売買サーバー１００に送信する。
【００９９】
この時、「生産者１」会員を他の会員と区分できるようにする「生産者１」会員の会員コード２９９を「００００００１」としてペット売買サーバー１００が会員加入順序により００００００１から順次自動生成した後、ペット売買サーバー１００の会員情報ＤＢ１５０に「生産者１」会員の会員情報として共に保存する。会員コードは、ユーザーがユーザー用ウェブサイトを利用する時にユーザー本人であることを表す唯一のコードとして使われる。
【０１００】
図８は、図５の会員加入申込インターフェースで対象ユーザー本人の会員加入申込書情報をそれぞれの該当入力ボックスに入力した後、「会員加入申込書保存」アイコン２９２をクリックした状態を図示したものである。図９を参照すると、「会員加入申込書保存」アイコン２９２のクリックによってそれぞれの入力ボックスの値がペット売買サーバー１００の会員情報ＤＢ１５０に保存される。
【０１０１】
本実施例において、対象ユーザー本人のＩＤ、パスワード、パスワードの確認、名前、電話番号、携帯電話番号、Ｅメール、郵便番号、住所１、住所２がそれぞれ、「ｆａｒｍ２」、「ｆａｒｍ２」、「ｆａｒｍ２」、「生産者２」、「２２２２２２２２２２２」、「２２２２２２２２２２２」、「ｆａｒｍ２＠ｆａｒｍ２．ｋｒ」、「０３０４８」、「ソウル特別市鍾路区青瓦大路１」、「青瓦台」と仮定した。これに伴い、ユーザーは本人のＩＤ、パスワード、パスワードの確認、名前、電話番号、携帯電話番号、Ｅメール、郵便番号、住所１、住所２がそれぞれ、「ｆａｒｍ２」、「ｆａｒｍ２」、「ｆａｒｍ２」、「生産者２」、「２２２２２２２２２２２」、「２２２２２２２２２２２」、「ｆａｒｍ２＠ｆａｒｍ２．ｋｒ」、「０３０４８」、「ソウル特別市鍾路区青瓦大路１」、「青瓦台」と入力した後、「会員加入申込書保存」アイコン２９２をクリックすると、入力されたそれぞれの会員加入申込書情報をペット売買サーバー１００に送信する。
【０１０２】
この時、「生産者２」会員を他の会員と区分できるようにする「生産者２」の会員コード２９９を「００００００２」としてペット売買サーバー１００が会員加入順序により００００００１から順次自動生成した後、ペット売買サーバー１００の会員情報ＤＢ１５０に「生産者２」会員の会員情報として共に保存する。会員コードは、ユーザーがユーザー用ウェブサイトを利用する時にユーザー本人であることを表す唯一のコードとして使われる。
【０１０３】
図９は、図５の会員加入申込インターフェースで対象ユーザー本人の会員加入申込書情報をそれぞれの該当入力ボックスに入力した後、「会員加入申込書保存」アイコン２９２をクリックした状態を図示したものである。図９を参照すると、「会員加入申込書保存」アイコン２９２のクリックによってそれぞれの入力ボックスの値がペット売買サーバー１００の会員情報ＤＢ１５０に保存される。
【０１０４】
本実施例において、対象ユーザー本人のＩＤ、パスワード、名前、電話番号、携帯電話番号、Ｅメール、郵便番号、住所１、住所２がそれぞれ、「ｈｏｍｅ１」、「ｈｏｍｅ１」、「ｈｏｍｅ１」、「購買者１」、「３３３３３３３３３３３」、「３３３３３３３３３３３」、「ｈｏｍｅ１＠ｈｏｍｅ１．ｋｒ」、「０７３４５」、「ソウル特別市永登浦区６３路５０」、「６３スクエア」と仮定した。これに伴い、ユーザーは本人のＩＤ、パスワード、名前、電話番号、携帯電話番号、Ｅメール、郵便番号、住所１、住所２がそれぞれ、「ｈｏｍｅ１」、「ｈｏｍｅ１」、「ｈｏｍｅ１」、「購買者１」、「３３３３３３３３３３３」、「３３３３３３３３３３３」、「ｈｏｍｅ１＠ｈｏｍｅ１．ｋｒ」、「０７３４５」、「ソウル特別市永登浦区６３路５０」、「６３スクエア」と入力した後、「会員加入申込書保存」アイコン２９２をクリックすると、入力されたそれぞれの会員加入申込書情報をペット売買サーバー１００に送信し、この時、「購買者１」会員を他の会員と区分できるようにする「購買者１」会員の会員コード２９９を「００００００３」としてペット売買サーバー１００が会員加入順序により００００００１から順次自動生成した後、ペット売買サーバー１００の会員情報ＤＢ１５０に「購買者１」会員の会員情報として共に保存する。会員コードは、ユーザーがユーザー用ウェブサイトを利用する時にユーザー本人であることを表す唯一のコードとして使われる。
【０１０５】
図１０は、図５の会員加入申込インターフェースで対象ユーザー本人の会員加入申込書情報をそれぞれの該当入力ボックスに入力した後、「会員加入申込書保存」アイコン２９２をクリックした状態を図示したものである。図１０を参照すると、「会員加入申込書保存」アイコン２９２のクリックによってそれぞれの入力ボックスの値がペット売買サーバー１００の会員情報ＤＢ１５０に保存される。
【０１０６】
本実施例において、対象ユーザー本人のＩＤ、パスワード、パスワードの確認、名前、電話番号、携帯電話番号、Ｅメール、郵便番号、住所１、住所２がそれぞれ、「ｈｏｍｅ２」、「ｈｏｍｅ２」、「ｈｏｍｅ２」、「購買者２」、「４４４４４４４４４４４」、「４４４４４４４４４４４」、「ｈｏｍｅ２＠ｈｏｍｅ２．ｋｒ」、「２２３８２」、「仁川広域市中区空港路２７２」、「仁川国際空港」と仮定した。これに伴い、ユーザーは本人のＩＤ、パスワード、名前、電話番号、携帯電話番号、Ｅメール、郵便番号、住所１、住所２がそれぞれ、「ｈｏｍｅ２」、「ｈｏｍｅ２」、「ｈｏｍｅ２」、「購買者２」、「４４４４４４４４４４４」、「４４４４４４４４４４４」、「ｈｏｍｅ２＠ｈｏｍｅ２．ｋｒ」、「２２３８２」、「仁川広域市中区空港路２７２」、「仁川国際空港」と入力した後、「会員加入申込書保存」アイコン２９２をクリックすると、入力されたそれぞれの会員加入申込書情報をペット売買サーバー１００に送信する。
【０１０７】
この時、「購買者２」会員を他の会員と区分できるようにする「購買者２」会員の会員コード２９９を「００００００４」としてペット売買サーバー１００が会員加入順序により００００００１から順次自動生成した後、ペット売買サーバー１００の会員情報ＤＢ１５０に「購買者２」会員の会員情報として共に保存する。会員コードは、ユーザーがユーザー用ウェブサイトを利用する時にユーザー本人であることを表す唯一のコードとして使われる。
【０１０８】
図１１は、ユーザー端末機において、ユーザー会員ログインインタフェース入力画面の例示図である。
【０１０９】
図１１を参照すると、ユーザーは会員ログイン時に会員ログインインターフェースを通じてＩＤ２０１とパスワード２０２を入力し「ログイン」アイコン２０５をクリックする。
【０１１０】
ユーザーから入力されたＩＤとパスワードはペット売買サーバー１００が会員情報ＤＢ１５０から受信したＩＤと一致するＩＤを検出すると、受信したパスワードが受信したＩＤと同じ行に記録されたパスワードと一致するかの可否を検査する（Ｓ１１０）。
【０１１１】
もし、ペット売買サーバー１００はパスワードが一致すれば会員と見なしてユーザインタフェース入力画面のウェブページを提供する（Ｓ１１５）。しかし、受信したＩＤとパスワードが一致しなければユーザーが会員ではないと決定して再び会員情報を要請するだけで、ユーザインタフェース入力画面のウェブページは提供しない。
【０１１２】
これに伴い、会員でないユーザーは会員加入２０３をしないとユーザインタフェース入力画面のウェブページを使うことができないため会員加入をしなければならない。またはユーザー用ウェブサイトの会員加入者ではあるがＩＤ２０１とパスワード２０２が思い出せない場合は、ＩＤ／ＰＷ探し２０４をクリックして会員加入時に入力した携帯電話番号またはＥメールを通じて確認することができる。
【０１１３】
図１２〜図２７は、オーダーメードペット生産者端末機において、選択交配可能な親ペット情報のインタフェース入力画面の例示図である。
【０１１４】
図１２〜図２７を参照すると、図１２のように親ペット情報入力インタフェース（すなわち、「生産者１」会員が選択交配可能な親ペット情報を入力する親ペット情報入力書）を構成する項目である親ペットの種類３０５、親ペットの品種３１０、親ペットの地域３１５、親ペットの性別３２０、親ペットの名前３２５、オーダーメードペットの金額３３０、親ペットの年齢３３５、親ペットの大きさ３４０、親ペットの体重３４５、親ペットの写真３５０、血統書の写真３５５、子供のペットの写真３６０、親ペットのその他の情報３６５について、オーダーメードペット生産者が親ペット情報入力書情報を入力できるようにする。
【０１１５】
以下、対象親ペット個体の親ペットの種類、親ペットの品種、親ペットの地域、親ペットの性別、親ペットの名前、オーダーメードペットの金額、親ペットの年齢、親ペットの大きさ、親ペットの体重、親ペットの写真、血統書の写真、子供のペットの写真、親ペットのその他の情報がそれぞれ、「子犬」、「ボーダーコリー」、「ソウル特別市」、「母親ペット」、「母１」、「３５万ウォン」、「１」、「２０」、「１」、「母１写真．ＧＩＦ」、「母１血統書の写真．ＧＩＦ」、「母１子供写真．ＧＩＦ」、「母１は総５回の出産で３０匹の子供を出産」である場合に、オーダーメードペット生産者がオーダーメードペット生産者端末機３００で表示される親ペット情報入力インターフェースを通じて対象親ペット個体の親ペット情報入力書情報を入力する実施例を説明する。
【０１１６】
オーダーメードペット生産者は、親ペット情報入力インターフェースを構成する項目の中で、まず親ペットの種類３０５について対象親ペット個体の親ペット情報入力書情報を入力するために、マウスで親ペットの種類選択「▼」アイコン３０７をクリックする。
【０１１７】
図１３は、図１２の親ペット情報入力インターフェースで親ペットの種類選択「▼」アイコン３０７がクリックされた状態を図示したものである。図１３を参照すると、親ペットの種類選択「▼」アイコン３０７のクリックによって親ペットの種類入力ボックス３０６から親ペットの種類選択ボックス３０６−１が開かれる。
【０１１８】
親ペットの種類選択ボックス３０６−１には、親ペットの種類に対して入力され得る親ペットの種類のリストが羅列される。このような親ペットの種類は、子犬（１）、猫（２）、愛玩鳥（３）等で構成され得る。オーダーメードペット生産者は、親ペットの種類のリストから一つを選択する。
【０１１９】
親ペットの種類選択ボックス３０６−１に羅列するリストは多様に変形され得る。例えば、リストは牛、豚、馬、ヤギ、鹿、鶏、鴨、魚類などの親家畜で構成され得る。
【０１２０】
本実施例において、対象親ペット個体の親ペットの種類は子犬（１）と仮定した。これに伴い、オーダーメードペット生産者は、親ペットの種類のリストから「子犬（１）」を選択する。選択された「子犬（１）」は親ペットの種類に対して対象親ペット個体の親ペット情報入力書情報として入力される。
【０１２１】
再び図１２を参照すると、オーダーメードペット生産者は、引き続き親ペットの品種３１０に対して対象親ペット個体の親ペット情報入力書情報を入力するために、マウスで親ペットの品種選択「▼」アイコン３１２をクリックする。
【０１２２】
図１４は、図１２の親ペット情報入力インターフェースで親ペットの品種選択「▼」アイコン３１２がクリックされた状態を図示したものである。図１４を参照すると、親ペットの品種選択「▼」アイコン３１２のクリックによって親ペットの品種入力ボックス３１１から親ペットの品種選択ボックス３１１−１が開かれる。
【０１２３】
親ペットの品種選択ボックスには親ペットの品種に対して入力され得る親ペットの品種のリストが羅列される。このような親ペットの品種は、ボーダーコリー（０１）、プードル（０２）、ジャーマンシェパード（０３）、ゴールデンレトリバー（０４）、ドーベルマンピンシャー（０５）、シェットランドシープドッグ（０６）、レトリーバー（０７）、パピヨン（０８）、ロットワイラー（０９）、キャトルドッグ（１０）等で構成され得る。オーダーメードペット生産者は、親ペットの品種のリストから一つを選択する。
【０１２４】
本実施例において、対象親ペット個体の親ペットの品種はボーダーコリー（０１）と仮定した。これに伴い、オーダーメードペット生産者は、親ペットの品種のリストから「ボーダーコリー（０１）」を選択する。選択された「ボーダーコリー（０１）」は親ペットの品種に対して対象親ペット個体の親ペット情報入力書情報として入力される。
【０１２５】
再び図１２を参照すると、オーダーメードペット生産者は、引き続き親ペットの地域３１５に対して対象親ペット個体の親ペット情報入力書情報を入力するために、マウスで親ペットの地域選択「▼」アイコン３１７をクリックする。
【０１２６】
図１５は、図１２の親ペット情報入力インターフェースで親ペットの地域選択「▼」アイコン３１７がクリックされた状態を図示したものである。図１５を参照すると、親ペットの地域選択「▼」アイコン３１７のクリックによって親ペットの地域入力ボックス３１６から親ペットの地域選択ボックス３１６−１が開かれる。
【０１２７】
親ペットの地域選択ボックスには親ペットの地域に対して入力され得る親ペットの地域のリストが羅列される。このような親ペットの地域は、ソウル特別市（０１）、仁川広域市（０２）、大田広域市（０３）、大邱広域市（０４）、釜山広域市（０５）、蔚山広域市（０６）、光州広域市（０７）、忠清南道（０８）、忠清北道（０９）、慶尚南道（１０）、慶尚北道（１１）、全羅南道（１２）、全羅北道（１３）、京畿道（１４）、江原道（１５）、済州島（１６）等で構成され得る。オーダーメードペット生産者は、親ペットの地域のリストから一つを選択する。
【０１２８】
本実施例において、対象親ペット個体の親ペットの地域はソウル特別市（０１）と仮定した。これに伴い、オーダーメードペット生産者は、親ペットの地域のリストから「ソウル特別市（０１）」を選択する。選択された「ソウル特別市（０１）」は親ペットの地域に対して対象親ペット個体の親ペット情報入力書情報として入力される。
【０１２９】
再び図１２を参照すると、オーダーメードペット生産者は、引き続き親ペットの性別３２０に対して対象親ペット個体の親ペット情報入力書情報を入力するために、マウスで親ペットの性別選択「▼」アイコン３２２をクリックする。
【０１３０】
図１６は、図１２の親ペット情報入力インターフェースで親ペットの性別選択「▼」アイコン３２２がクリックされた状態を図示したものである。図１６を参照すると、親ペットの性別選択「▼」アイコン３２２のクリックによって親ペットの性別入力ボックス３２１から親ペットの性別選択ボックス３２１−１が開かれる。
【０１３１】
親ペットの性別選択ボックスには親ペットの性別に対して入力され得る親ペットの性別のリストが羅列される。このような親ペットの性別は、母親ペット（１）、父親ペット（２）等で構成され得る。オーダーメードペット生産者は、親ペットの性別のリストから一つを選択する。
【０１３２】
本実施例において、対象親ペット個体の親ペットの性別は母親ペット（１）と仮定した。これに伴い、オーダーメードペット生産者は、親ペットの性別のリストから「母親ペット（１）」を選択する。選択された「母親ペット（１）」は親ペットの性別に対して対象親ペット個体の親ペット情報入力書情報として入力される。
【０１３３】
再び図１２を参照すると、オーダーメードペット生産者は、引き続き親ペットの名前３２５に対して対象親ペット個体の親ペット情報入力書情報を入力するために、マウスで親ペットの名前入力ボックス３２６をクリックする。
【０１３４】
図１７は、図１２の親ペット情報入力インターフェースで親ペットの名前入力ボックス３２６をクリックして親ペットの名前を入力した状態を図示したものである。図１７を参照すると、親ペットの名前入力ボックス３２６をクリックして親ペットの名前を入力した。
【０１３５】
本実施例において、対象親ペット個体の親ペットの名前は母１と仮定した。これに伴い、オーダーメードペット生産者は、親ペットの名前は「母１」を入力する。入力された「母１」は親ペットの名前に対して対象親ペット個体の親ペット情報入力書情報として入力される。
【０１３６】
再び図１２を参照すると、オーダーメードペット生産者は、引き続きオーダーメードペットの金額３３０に対して対象親ペット個体の親ペット情報入力書情報を入力するために、マウスでオーダーメードペットの金額選択「▼」アイコン３３２をクリックする。
【０１３７】
図１８は、図１２の親ペット情報入力インターフェースでオーダーメードペットの金額選択「▼」アイコン３３２がクリックされた状態を図示したものである。図１８を参照すると、オーダーメードペットの金額選択「▼」アイコン３３２のクリックによってオーダーメードペットの金額入力ボックス３３１からオーダーメードペットの金額選択ボックス３３１−１が開かれる。
【０１３８】
オーダーメードペットの金額選択ボックスにはオーダーメードペットの金額に対して入力され得るオーダーメードペットの金額のリストが羅列される。このようなオーダーメードペットの金額は、５万ウォン（００５）、６万ウォン（００６）、７万ウォン（００７）、８万ウォン（００８）、９万ウォン（００９）、１０万ウォン（０１０）、１２万ウォン（０１２）、１４万ウォン（０１４）、１６万ウォン（０１６）、１８万ウォン（０１８）、２０万ウォン（０２０）、２５万ウォン（０２５）、３０万ウォン（０３０）、３５万ウォン（０３５）、４０万ウォン（０４０）、４５万ウォン（０４５）、５０万ウォン（０５０）、５５万ウォン（０５５）、６０万ウォン（０６０）、７０万ウォン（０７０）、８０万ウォン（０８０）、９０万ウォン（０９０）、１００万ウォン（１００）、１１０万ウォン（１１０）、１２０万ウォン（１２０）、１３０万ウォン（１３０）、１４０万ウォン（１４０）、１５０万ウォン（１５０）、１６０万ウォン（１６０）、１７０万ウォン（１７０）、１８０万ウォン（１８０）、１９０万ウォン（１９０）、２００万ウォン（２００）等で構成され得る。オーダーメードペット生産者は、オーダーメードペットの金額のリストから一つを選択する。
【０１３９】
本実施例において、対象親ペット個体のオーダーメードペットの金額は３５万ウォン（０３５）と仮定した。これに伴い、オーダーメードペット生産者は、オーダーメードペットの金額のリストから「３５万ウォン（０３５）」を選択する。選択された「３５万ウォン（０３５）」はオーダーメードペットの金額に対して対象親ペット個体の親ペット情報入力書情報として入力される。
【０１４０】
再び図１２を参照すると、オーダーメードペット生産者は、引き続き親ペットの年齢３３５に対して対象親ペット個体の親ペット情報入力書情報を入力するために、マウスで親ペットの年齢選択「▼」アイコン３３７をクリックする。
【０１４１】
図１９は、図１２の親ペット情報入力インターフェースで親ペットの年齢選択「▼」アイコン３３７がクリックされた状態を図示したものである。図１９を参照すると、親ペットの年齢選択「▼」アイコン３３７のクリックによって親ペットの年齢入力ボックス３３６から親ペットの年齢選択ボックス３３６−１が開かれる。
【０１４２】
親ペットの年齢選択ボックスには親ペットの年齢に対して入力され得る親ペットの年齢のリストが羅列される。このような親ペットの年齢は、１才（０１）、２才（０２）、３才（０３）、４才（０４）、５才（０５）、６才（０６）、７才（０７）、８才（０８）、９才（０９）、１０才（１０）、１１才（１１）、１２才（１２）、１３才（１３）、１４才（１４）、１５才（１５）、１６才（１６）、１７才（１７）、１８才（１８）、１９才（１９）、２０才（２０）、２１才（２１）、２２才（２２）、２３才（２３）、２４才（２４）、２５才（２５）等で構成され得る。オーダーメードペット生産者は、親ペットの年齢のリストから一つを選択する。
【０１４３】
本実施例において、対象親ペット個体の親ペットの年齢は１才（０１）と仮定した。これに伴い、オーダーメードペット生産者は、親ペットの年齢のリストから「１才（０１）」を選択する。選択された「１才（０１）」は親ペットの年齢に対して対象親ペット個体の親ペット情報入力書情報として入力される。
【０１４４】
再び図１２を参照すると、オーダーメードペット生産者は、引き続き親ペットの大きさ３４０に対して対象親ペット個体の親ペット情報入力書情報を入力するために、マウスで親ペットの大きさ選択「▼」アイコン３４２をクリックする。
【０１４５】
図２０は、図１２の親ペット情報入力インターフェースで親ペットの大きさ選択「▼」アイコン３４２がクリックされた状態を図示したものである。図２０を参照すると、親ペットの大きさ選択「▼」アイコン３４２のクリックによって親ペットの大きさ入力ボックス３４１から親ペットの大きさ選択ボックス３４１−１が開かれる。
【０１４６】
親ペットの大きさ選択ボックスには親ペットの大きさに対して入力され得る親ペットの大きさのリストが羅列される。このような親ペットの大きさは、２０ｃｍ（０２０）、２２ｃｍ（０２２）、２４ｃｍ（０２４）、２６ｃｍ（０２６）、２８ｃｍ（０２８）、３０ｃｍ（０３０）、３２ｃｍ（０３２）、３４ｃｍ（０３４）、３６ｃｍ（０３６）、３８ｃｍ（０３８）、４０ｃｍ（０４０）、４２ｃｍ（０４２）、４４ｃｍ（０４４）、４６ｃｍ（０４６）、４８ｃｍ（０４８）、５０ｃｍ（０５０）、５５ｃｍ（０５５）、６０ｃｍ（０６０）、６５ｃｍ（０６５）、７０ｃｍ（０７０）、７５ｃｍ（０７５）、８０ｃｍ（０８０）、８５ｃｍ（０８５）、９０ｃｍ（０９０）、１００ｃｍ（１００）、１１０ｃｍ（１１０）、１２０ｃｍ（１２０）、１３０ｃｍ（１３０）、１４０ｃｍ（１４０）、１５０ｃｍ（１５０）等で構成され得る。オーダーメードペット生産者は、親ペットの大きさのリストから一つを選択する。
【０１４７】
本実施例において、対象親ペット個体の親ペットの大きさは２０ｃｍと仮定した。これに伴い、オーダーメードペット生産者は、親ペットの大きさのリストから「２０ｃｍ（０２０）」を選択する。選択された「２０ｃｍ（０２０）」は親ペットの大きさに対して対象親ペット個体の親ペット情報入力書情報として入力される。
【０１４８】
再び図１２を参照すると、オーダーメードペット生産者は、引き続き親ペットの体重３４５に対して対象親ペット個体の親ペット情報入力書情報を入力するために、マウスで親ペットの体重選択「▼」アイコン３４７をクリックする。
【０１４９】
図２１は、図１２の親ペット情報入力インターフェースで親ペットの体重選択「▼」アイコン３４７がクリックされた状態を図示したものである。図２１を参照すると、親ペットの体重選択「▼」アイコン３４７のクリックによって親ペットの体重入力ボックス３４６から親ペットの体重選択ボックス３４６−１が開かれる。
【０１５０】
親ペットの体重選択ボックスには親ペットの体重に対して入力され得る親ペットの体重のリストが羅列される。このような親ペットの体重は、１ｋｇ（００１）、２ｋｇ（００２）、３ｋｇ（００３）、４ｋｇ（００４）、５ｋｇ（００５）、６ｋｇ（００６）、７ｋｇ（００７）、８ｋｇ（００８）、９ｋｇ（００９）、１０ｋｇ（０１０）、１２ｋｇ（０１２）、１４ｋｇ（０１４）、１６ｋｇ（０１６）、１８ｋｇ（０１８）、２０ｋｇ（０２０）、２５ｋｇ（０２５）、３０ｋｇ（０３０）、３５ｋｇ（０３５）、４０ｋｇ（０４０）、４５ｋｇ（０４５）、５０ｋｇ（０５０）、６０ｋｇ（０６０）、７０ｋｇ（０７０）、８０ｋｇ（０８０）、９０ｋｇ（０９０）等で構成され得る。オーダーメードペット生産者は、親ペットの体重のリストから一つを選択する。
【０１５１】
本実施例において、対象親ペット個体の親ペットの体重は１ｋｇと仮定した。これに伴い、オーダーメードペット生産者は、親ペットの体重のリストから「１ｋｇ（００１）」を選択する。選択された「１ｋｇ（００１）」は親ペットの体重に対して対象親ペット個体の親ペット情報入力書情報として入力される。
【０１５２】
再び図１２を参照すると、オーダーメードペット生産者は、引き続き親ペットの写真３５０に対して対象親ペット個体の親ペット情報入力書情報を入力するために、マウスで親ペットの写真検索「▼」アイコン３５２をクリックする。
【０１５３】
図２２は、図１２の親ペット情報入力インターフェースで「親ペットの写真検索」アイコン３５２がクリックされた状態を図示したものである。図２２を参照すると、「親ペットの写真検索」アイコン３５２のクリックによって親ペットの写真入力ボックス３５１から親ペットの写真検索窓３５１−１が開かれる。
【０１５４】
親ペットの写真検索窓には親ペットの写真に対して入力され得る親ペット関連写真および映像フォルダのリストが羅列される。このような親ペット関連写真および映像フォルダはオーダーメードペット生産者が撮影した写真および映像であって、オーダーメードペット生産者端末機３００のコンピュータを通じて読み込んだ情報であり、親ペットの写真、血統書の写真、子供のペットの写真、オーダーメード兄弟ペットの映像、オーダーメード兄弟ペットの写真などで構成され得る。オーダーメードペット生産者は、親ペット関連写真および映像フォルダのうち親ペットの写真フォルダを選択して親ペットの写真フォルダ中のリストから一つを選択する。
【０１５５】
本実施例において、対象親ペット個体の親ペットの写真は「母１．ＧＩＦ」と仮定した。これに伴い、オーダーメードペット生産者は、親ペットの写真のリストから「母１．ＧＩＦ」を選択する。選択された「母１．ＧＩＦ」は親ペットの写真に対して対象親ペット個体の親ペット情報入力書情報として入力される。
【０１５６】
再び図１２を参照すると、オーダーメードペット生産者は、引き続き血統書の写真３５５に対して対象親ペット個体の親ペット情報入力書情報を入力するために、マウスで「血統書の写真検索」アイコン３５７をクリックする。
【０１５７】
図２３は、図１２の親ペット情報入力インターフェースで「血統書の写真検索」アイコン３５７がクリックされた状態を図示したものである。図２３を参照すると、「血統書の写真検索」アイコン３５７のクリックによって血統書の写真入力ボックス３５６から血統書の写真検索窓３５６−１が開かれる。
【０１５８】
血統書の写真検索窓には親ペットの写真に対して入力され得る親ペット関連写真および映像フォルダのリストが羅列される。このような親ペット関連写真および映像フォルダはオーダーメードペット生産者が撮影した写真および映像であって、オーダーメードペット生産者端末機３００のコンピュータを通じて読み込んだ情報であり、親ペットの写真、血統書の写真、子供のペットの写真、兄弟ペットの映像、兄弟ペットの写真などで構成され得る。オーダーメードペット生産者は、親ペット関連写真および映像フォルダのうち血統書の写真フォルダを選択して血統書の写真フォルダ中のリストから一つを選択する。
【０１５９】
本実施例において、対象親ペット個体の血統書の写真は「母１血統書．ＧＩＦ」と仮定した。これに伴い、オーダーメードペット生産者は、血統書の写真のリストから「母１血統書．ＧＩＦ」を選択する。選択された「母１血統書．ＧＩＦ」は血統書の写真に対して対象親ペット個体の親ペット情報入力書情報として入力される。
【０１６０】
再び図１２を参照すると、オーダーメードペット生産者は、引き続き子供のペットの写真３６０に対して対象親ペット個体の親ペット情報入力書情報を入力するために、マウスで「子供のペットの写真検索」アイコン３６２をクリックする。
【０１６１】
図２４は、図１２の親ペット情報入力インターフェースで「子供のペットの写真検索」アイコン３６２がクリックされた状態を図示したものである。図２４を参照すると、「子供のペットの写真検索」アイコン３６２のクリックによって子供のペットの写真入力ボックス３６１から子供のペットの写真検索窓３６１−１が開かれる。
【０１６２】
子供のペットの写真検索窓には親ペットの写真に対して入力され得る親ペット関連写真および映像フォルダのリストが羅列される。このような親ペット関連写真および映像フォルダはオーダーメードペット生産者が撮影した写真および映像であって、オーダーメードペット生産者端末機３００のコンピュータを通じて読み込んだ情報であり、親ペットの写真、血統書の写真、子供のペットの写真、兄弟ペットの映像、兄弟ペットの写真などで構成され得る。オーダーメードペット生産者は、親ペット関連写真および映像フォルダのうち子供のペットの写真フォルダを選択して子供のペットの写真フォルダ中のリストから一つを選択する。
【０１６３】
本実施例において、対象親ペット個体の子供のペットの写真は「母１子供．ＧＩＦ」と仮定した。これに伴い、オーダーメードペット生産者は、子供のペットの写真のリストから「母１子供．ＧＩＦ」を選択する。選択された「母１子供．ＧＩＦ」は子供のペットの写真に対して対象親ペット個体の親ペット情報入力書情報として入力される。
【０１６４】
再び図１２を参照すると、オーダーメードペット生産者は、引き続き親ペットのその他の情報３６５に対して対象親ペット個体の親ペット情報入力書情報を入力するために、マウスで親ペットのその他の情報入力ボックス３６６をクリックする。
【０１６５】
図２５は、図１２の親ペット情報入力インターフェースで親ペットのその他の情報入力ボックス３６６をクリックして各種情報を入力した状態を図示したものである。図２５を参照すると、親ペットのその他の情報入力ボックス３６６をクリックして各種情報を入力した。
【０１６６】
本実施例において、対象親ペット個体の親ペットのその他の情報は、母１は総５回の出産で３０匹の子供を出産と仮定した。これに伴い、オーダーメードペット生産者は、親ペットのその他の情報に「母１は総５回の出産で３０匹の子供を出産」を入力する。入力された「母１は総５回の出産で３０匹の子供を出産」は親ペットのその他の情報に対して対象親ペット個体の親ペット情報入力書情報として入力される。
【０１６７】
図２６は、図１２の親ペット情報入力インターフェースでそれぞれの親ペット情報入力書情報をすべて入力した後、「親ペット情報入力書保存」アイコン３９２をクリックした状態を図示したものである。図２６を参照すると、オーダーメードペット生産者は、「親ペット情報入力書修正」アイコン３９１をクリックすることによって、いつでも情報の入力を修正することができる。オーダーメードペット生産者は、親ペット情報入力書情報の入力を完了すると、「親ペット情報入力書保存」アイコン３９２をクリックする。
【０１６８】
そうすると、オーダーメードペット生産者端末機３００は項目（３０５、３１０、３１５、３２０、３２５、３３０、３３５、３４０、３４５、３５０、３５５、３６０、３６５）に対して入力された対象親ペット個体の親ペット情報入力書情報をペット売買サーバー１００に伝送する（Ｓ１２０）。すなわち、オーダーメードペット生産者である「生産者１」会員の端末機３００は、親ペットの種類に対して入力された「子犬（１）」の値のうち親ペットの種類は「子犬」親ペットの種類コードは「１」、親ペットの品種に対して入力された「ボーダーコリー（０１）」の値のうち親ペットの品種値は「ボーダーコリー」親ペットの品種コード値は「０１」、親ペットの地域に対して入力された「ソウル特別市（０１）」の値のうち親ペットの地域値は「ソウル特別市」親ペットの地域コード値は「０１」、親ペットの性別に対して入力された「母親ペット（１）」の値のうち親ペットの性別値は「母親ペット」親ペットの性別コード値は「１」、親ペットの名前に対して入力された「母１」、オーダーメードペットの金額に対して入力された「３５万ウォン（０３５）」の値のうちオーダーメードペットの金額値は「３５万ウォン」オーダーメードペットの金額コード値は「０３５」、親ペットの年齢に対して入力された「１才（０１）」の値のうち親ペットの年齢値は「１才」親ペットの年齢コード値は「０１」、親ペットの大きさに対して入力された「２０ｃｍ（０２０）」の値のうち親ペットの大きさ値は「２０ｃｍ」親ペットの大きさコード値は「０２０」、親ペットの体重に対して入力された「１ｋｇ（００１）」の値のうち親ペットの体重値は「１ｋｇ」親ペットの体重コード値は「００１」、親ペットの写真に対して入力された「母１．ＧＩＦ」、血統書の写真に対して入力された「母１血統書．ＧＩＦ」、子供のペットの写真に対して入力された「母１子供．ＧＩＦ」、親ペットのその他の情報に対して入力された「母１は総５回の出産で３０匹の子供を出産」という親ペット情報入力書情報をペット売買サーバー１００に送信し、この時、「生産者１」会員が入力した選択交配可能な親ペットである「母１」を他の親ペットと区分できるようにする「母１」の親ペットコード３９９を「１０１０１１００００００１００１」に自動生成する。
【０１６９】
すなわち、親ペットの種類コード値で「１」を、親ペットの品種コード値で「０１」を、親ペットの地域コード値で「０１」を、親ペットの性別コード値で「１」を、「生産者１」会員の会員コード値で「００００００１」を前からそれぞれのコード値を羅列し、追加として「生産者１」会員が親ペットを登録するたびに「００１」から順次数字コードを付与して「生産者１」会員が登録した親ペット母１の親ペットコードを「１０１０１１００００００１００１」に自動生成した後、ペット売買サーバー１００の生産者情報ＤＢ１６０に「生産者１」会員が入力した「母１」の親ペット情報と共に入力される。親ペットコードは、オーダーメードペット生産者がユーザー用ウェブサイトを通じてオンライン上でペットを選択交配して売買する時に本人が登録した親ペットまたは他人が登録した親ペットを区分するときに使われる唯一のコードである。
【０１７０】
図２７は、図１２の親ペット情報入力インタフェース（すなわち、さらに他のオーダーメードペット生産者である「生産者２」会員が選択交配可能な親ペット情報を入力する親ペット情報入力書）でそれぞれの親ペット情報入力書情報をすべて入力した後、「親ペット情報入力書保存」アイコン３９２をクリックした状態を図示したものである。
【０１７１】
図２７を参照すると、オーダーメードペット生産者は、親ペット情報入力書情報の入力を完了すると、「親ペット情報入力書保存」アイコン３９２をクリックする。そうすると、オーダーメードペット生産者端末機３００は項目（３０５、３１０、３１５、３２０、３２５、３３０、３３５、３４０、３４５、３５０、３５５、３６０、３６５）に対して入力された対象親ペット個体の親ペット情報入力書情報をペット売買サーバー１００に伝送する。
【０１７２】
すなわち、さらに他のオーダーメードペット生産者である「生産者２」会員の端末機３００で親ペットの種類に対して入力された「子犬（１）」の値のうち親ペットの種類値は「子犬」親ペットの種類コード値は「１」、親ペットの品種に対して入力された「ボーダーコリー（０１）」の値のうち親ペットの品種値は「ボーダーコリー」親ペットの品種コード値は「０１」、親ペットの地域に対して入力された「ソウル特別市（０１）」の値のうち親ペットの地域値は「ソウル特別市」親ペットの地域コード値は「０１」、親ペットの性別に対して入力された「父親ペット（２）」の値のうち親ペットの性別値は「父親ペット」親ペットの性別コード値は「２」、親ペットの名前に対して入力された「父１」、オーダーメードペットの金額に対して入力された「５万ウォン（００５）」の値のうちオーダーメードペットの金額値は「５万ウォン」オーダーメードペットの金額コード値は「００５」、親ペットの年齢に対して入力された「１才（０１）」の値のうち親ペットの年齢値は「１才」親ペットの年齢コード値は「０１」、親ペットの大きさに対して入力された「２２ｃｍ（０２２）」の値のうち親ペットの大きさ値は「２２ｃｍ」親ペットの大きさコード値は「０２２」、親ペットの体重に対して入力された「２ｋｇ（００２）」の値のうち親ペットの体重値は「２ｋｇ」親ペットの体重コード値は「００２」、親ペットの写真に対して入力された「父１．ＧＩＦ」、血統書の写真に対して入力された「父１血統書．ＧＩＦ」、子供のペットの写真に対して入力された、親ペットのその他の情報に対して入力された「父１はおとなしい性格である」という親ペット情報入力書情報をペット売買サーバー１００に送信し、この時、「生産者２」会員が入力した選択交配可能な親ペットである「父１」を他の親ペットと区分できるようにする「父１」の親ペットコード３９９を「１０１０１２００００００２００１」に自動生成する。
【０１７３】
すなわち、親ペットの種類コード値で「１」を、親ペットの品種コード値で「０１」を、親ペットの地域コード値で「０１」を、親ペットの性別コード値で「２」を、「生産者２」会員の会員コード値で「００００００２」を前からそれぞれのコード値を羅列し、追加として「生産者２」会員が親ペットを登録するたびに「００１」から順次数字コードを付与して「生産者２」会員が登録した親ペット父１の親ペットコードを「１０１０１２００００００２００１」に自動生成した後、ペット売買サーバー１００の生産者情報ＤＢ１６０に「生産者２」会員が入力した「父１」の親ペット情報と共に入力される。親ペットコードはオーダーメードペット生産者がユーザー用ウェブサイトを通じてオンライン上でペットを選択交配して売買する時に本人が登録した親ペットまたは他人が登録した親ペットを区分するのに使われる唯一のコードである。
【０１７４】
ペット売買サーバー１００は、オーダーメードペット生産者端末機３００から親ペット情報入力書（図１２〜図２７）情報を受信する。受信した親ペット情報入力書情報はペット売買サーバー１００の生産者情報ＤＢ１６０に保存される。その後、オーダーメードペット購買者端末機４００の親ペット検索窓に送信する（Ｓ１２５）。後で図示されるオーダーメードペット検索窓（図２８〜図３３）は所望する親ペットを検索した後、オーダーメードペット購買申込書（図３４〜図３６、図３７〜図４０）に情報を入力する過程を図示したものである。
【０１７５】
図２８〜図３３はオーダーメードペット購買者端末機において、オーダーメードペット生産者が入力した選択交配可能な親ペット情報を検索できる親ペット検索窓の例示図である。
【０１７６】
図２８〜図３３を参照すると、図２８のように親ペット検索インタフェース（すなわち、「購買者１」会員が選択交配可能な親ペット情報を検索する親ペット検索窓）は、オーダーメードペット生産者が入力した選択交配可能な親ペット情報のうち親ペットの種類４０１、親ペットの品種４０３、親ペットの地域４０５を考慮して同一種類、同一品種、同一地域を先に選択するようにして最上のオーダーメードペットとなるように、親ペット情報を提供する。
【０１７７】
以下、対象親ペット個体の親ペットの種類、親ペットの品種、親ペットの地域がそれぞれ、「子犬」、「ボーダーコリー」、「ソウル特別市」である母親ペットと父親ペットのうち母親ペットは「母１」を父親ペットは「父１」を選択した場合に、オーダーメードペット購買者がオーダーメードペット購買者端末機４００に表示されたインタフェース入力画面ウェブページ（「購買者１」会員が選択交配可能な親ペット情報を検索する親ペット検索窓）を通じて対象母親ペットと父親ペットを選択してオーダーメードペットの購買を申し込む実施例を説明する。
【０１７８】
オーダーメードペット購買者は、オーダーメードペット生産者が提供した親ペット情報を構成する項目の中で、まず親ペットの種類４０１に対して親ペットの種類を選択するために、マウスで親ペットの種類選択「▼」アイコン４０２をクリックする。
【０１７９】
図２９は、図２８の親ペット検索インターフェースで親ペットの種類選択「▼」アイコン４０２がクリックされた状態を図示したものである。図２９を参照すると、親ペットの種類選択「▼」アイコン４０２のクリックによって親ペットの種類入力ボックス４０１から親ペットの種類選択ボックス４０１−１が開かれる。
【０１８０】
親ペットの種類選択ボックス４０１−１には親ペットの種類に対して出力され得る親ペットの種類のリストが羅列される。このような親ペットの種類は子犬（１）、猫（２）、愛玩鳥（３）で構成されている。オーダーメードペット購買者は親ペットの種類のリストから一つを選択する。
【０１８１】
本実施例において、対象親ペット個体の親ペットの種類は子犬（１）と仮定した。これに伴い、オーダーメードペット購買者は親ペットの種類のリストから「子犬（１）」を選択する。選択された「子犬（１）」のうち親ペットの種類コード値である「１」だけが親ペットの種類に対して対象親ペット個体の親ペット検索窓情報として選択される。
【０１８２】
再び図２８を参照すると、オーダーメードペット購買者は、引き続き親ペットの品種４０３に対して対象親ペット個体の親ペット検索窓情報を入力するために、マウスで親ペットの品種選択「▼」アイコン４０４をクリックする。
【０１８３】
図３０は、図２８のオーダーメードペット購買者インタフェース入力画面ウェブページ（「購買者１」会員が選択交配可能な親ペット情報を検索する親ペット検索窓）で親ペットの品種選択「▼」アイコン４０４がクリックされた状態を図示したものである。図３０を参照すると、親ペットの品種選択「▼」アイコン４０４のクリックによって親ペットの品種入力ボックス４０３から親ペットの品種選択ボックス４０３−１が開かれる。
【０１８４】
親ペットの品種選択ボックス４０３−１には親ペットの品種に対して出力され得る親ペットの品種のリストが羅列される。このような親ペットの品種は、ボーダーコリー（０１）、プードル（０２）、ジャーマンシェパード（０３）、ゴールデンレトリバー（０４）、ドーベルマンピンシャー（０５）、シェットランドシープドッグ（０６）、レトリーバー（０７）、パピヨン（０８）、ロットワイラー（０９）、キャトルドッグ（１０）等で構成されている。オーダーメードペット購買者は親ペットの品種のリストから一つを選択する。
【０１８５】
本実施例において、対象親ペット個体の親ペットの品種はボーダーコリー（０１）と仮定した。これに伴い、オーダーメードペット購買者は親ペットの品種のリストから「ボーダーコリー（０１）」を選択する。選択された「ボーダーコリー（０１）」のうち親ペットの品種コード値である「０１」だけが親ペットの品種に対して対象親ペット個体の親ペット検索窓情報として選択される。
【０１８６】
再び図２８を参照すると、オーダーメードペット購買者は、引き続き親ペットの地域４０５に対して対象親ペット個体の親ペット検索窓情報を入力するために、マウスで親ペットの地域選択「▼」アイコン４０６をクリックする。
【０１８７】
図３１は、図２８の親ペット検索インターフェースで親ペットの地域選択「▼」アイコン４０６がクリックされた状態を図示したものである。図３１を参照すると、親ペットの地域選択「▼」アイコン４０６のクリックによって親ペットの地域入力ボックス４０５から親ペットの地域選択ボックス４０５−１が開かれる。
【０１８８】
親ペットの地域選択ボックス４０５−１には親ペットの地域に対して出力され得る親ペットの地域のリストが羅列される。このような親ペットの地域はソウル特別市（０１）、仁川広域市（０２）、大田広域市（０３）、大邱広域市（０４）、釜山広域市（０５）、蔚山広域市（０６）、光州広域市（０７）、忠清南道（０８）、忠清北道（０９）、慶尚南道（１０）、慶尚北道（１１）、全羅南道（１２）、全羅北道（１３）、京畿道（１４）、江原道（１５）、済州島（１６）で構成されている。オーダーメードペット購買者は親ペットの地域のリストから一つを選択する。
【０１８９】
本実施例において、対象親ペット個体の親ペットの地域はソウル特別市（０１）と仮定した。これに伴い、オーダーメードペット購買者は親ペットの地域のリストから「ソウル特別市（０１）」を選択する。選択された「ソウル特別市（０１）」のうち親ペットの地域コード値である「０１」だけが親ペットの地域に対して対象親ペット個体の親ペット検索窓情報として選択される。
【０１９０】
図３２は、図２８の親ペット検索インターフェースでそれぞれの親ペット検索窓情報をすべて入力した後、「親ペット検索」アイコン４０７をクリックした状態を図示したものである。図３２を参照すると、オーダーメードペット購買者は親ペット検索窓の選択を完了すると、「親ペット検索」アイコン４０７をクリックする。そうすると、オーダーメードペット購買者端末機４００は項目（４０１、４０３、４０５）に対して入力された親ペット検索窓情報をペット売買サーバー１００に伝送する。すなわち、オーダーメードペット購買者端末機４００は親ペットの種類に対して入力された「１」、親ペットの品種に対して入力された「０１」、親ペットの地域に対して入力された「０１」という親ペット検索窓情報をペット売買サーバー１００に送信する。そうすると、ペット売買サーバー１００は、オーダーメードペット購買者から受信した「１」、「０１」、「０１」の値を生産者情報ＤＢ１６０に保存されたオーダーメードペット生産者が入力した親ペットコード値の最初の桁から５番目の桁まで比較し、すべての数字が一致する項目においての親ペットコード値の６番目の桁値が「１」であればオーダーメードペット購買者端末機４００上の「母親ペットリスト」出力ボックス４０７−１に出力し、「２」であれば「父親ペットリスト」出力ボックス４０７−２に出力する。
【０１９１】
本実施例において、対象オーダーメードペットの購買を申し込む母親ペット４０７−１１と父親ペット４０７−２１はそれぞれ母１と父１と仮定した。これに伴い、オーダーメードペット購買者は母親ペットリストから「母１（１０１０１２００００００１００１）」を父親ペットリストから「父１（１０１０１２００００００１００１）」を選択する。選択された「母１」と「父１」はオーダーメードペット購買者がオーダーメードペットの購買を申し込むオーダーメードペットに対して対象オーダーメードペット個体の母親ペットと父親ペットとして選択される。
【０１９２】
さらに、再び図２８を参照すると、オーダーメードペット購買者は、引き続き親ペット羅列順序４０８に対して対象親ペット個体の親ペット羅列順序を選択するために、マウスで親ペット羅列順序選択「▼」アイコン４０９をクリックして親ペット羅列順序を選択することもできる。図３３を参照すると、親ペット羅列順序選択「▼」アイコン４０９のクリックによって親ペット羅列順序入力ボックス４０８から親ペット羅列順序選択ボックス４０８−１が開かれる。このような親ペット羅列順序は親ペット登録順（１）、親ペットの金額順（２）、親ペット満足度順（３）、親ペット交配回数順（４）で構成されている。
【０１９３】
図３４〜図４１は、オーダーメードペット購買者端末機で選択交配可能な親ペット情報を検索した後、オーダーメードペットの購買を申し込む親ペット情報を含むオーダーメードペット購買申込情報のインタフェース入力画面の例示図である。
【０１９４】
図３４〜図４１を参照すると、図３４はオーダーメードペット購買者インタフェース（すなわち、「購買者１」会員が選択交配可能な親ペット情報を検索する親ペット検索窓）上の「母親ペットリスト」出力ボックス４０７−１から「母１（４０７−１１）」を「父親ペットリスト」出力ボックス４０７−２から「父１（４０７−２１）」を選択した後、「オーダーメードペットの購買申込」アイコン４１０をクリックした状態を図示したものである。
【０１９５】
図３４を参照すると、オーダーメードペット購買者はオーダーメードペット購買申込書情報が正しくなければ「出る」アイコン４１９をクリックすることによって、いつでもオーダーメードペット購買申込書情報を再び選択することができる。しかし、オーダーメードペット購買者が選択した情報が正しければ、オーダーメードペットの購買申込インタフェース（すなわち、「購買者１」会員が親ペット検索窓の「オーダーメードペットの購買申込」アイコンをクリック後に購買を申し込むオーダーメードペット購買申込書）は、オーダーメードペット購買申込書情報を構成する項目のうちすでに選択された項目である親ペットの種類４１１、親ペットの品種４１２、親ペットの地域４１３、母親ペット４１４、父親ペット４１５、オーダーメードペットの金額４１６、オーダーメードペット契約金４１７の情報とさらに入力しなければならないオーダーメードペットの胎名４２１、配送地域配送料４２５、配送地郵便番号４３１、配送地住所１  ４３４、配送地住所２  ４３６、銀行名４４１、口座番号４４４、預金者４４６に対してオーダーメードペット購買者がオーダーメードペット購買申込書情報を入力できるようにする。
【０１９６】
以下、対象オーダーメードペット個体のさらに入力しなければならないオーダーメードペットの胎名、配送地域配送料、配送地郵便番号、配送地住所１、配送地住所２、銀行名、口座番号、預金者がそれぞれ、「ミキ」、「親ペットと同一地域５万ウォン」、「０７３４５」、「ソウル特別市永登浦区６３路５０」、「６３スクエア」、「企業銀行」、「３３３３３３３３３３３」、「購買者１」である場合に、オーダーメードペット購買者がオーダーメードペット購買者端末機４００で表示されるオーダーメードペットの購買申込インターフェースを通じて対象オーダーメードペット個体のオーダーメードペット購買申込書情報を入力する実施例を説明する。
【０１９７】
オーダーメードペット購買者は、オーダーメードペット購買申込書情報を構成する項目の中で、まずオーダーメードペットの胎名４２１に対して対象オーダーメードペット個体のオーダーメードペット購買申込書情報を入力するために、マウスでオーダーメードペットの胎名入力ボックス４２２をクリックする。
【０１９８】
図３５は、図３４のオーダーメードペットの購買申込インターフェースでオーダーメードペットの胎名４２１に対して対象オーダーメードペット個体のオーダーメードペット購買申込書情報を入力するために、マウスでオーダーメードペットの胎名入力ボックス４２２をクリックする。図３５を参照すると、オーダーメードペットの胎名入力ボックス４２２をクリックしてオーダーメードペットの胎名を入力した。
【０１９９】
本実施例において、対象親ペット個体のオーダーメードペットの胎名はミキと仮定した。これに伴い、オーダーメードペット購買者は、オーダーメードペットの胎名に「ミキ」を入力する。入力された「ミキ」はオーダーメードペットの胎名に対して対象オーダーメードペット個体のオーダーメードペット購買申込書情報として入力される。
【０２００】
再び図３４を参照すると、オーダーメードペット購買者は、引き続き配送地域配送料４２５に対して対象オーダーメードペット個体のオーダーメードペット購買申込書情報を入力するために、マウスで配送地域配送料選択「▼」アイコン４２７をクリックする。
【０２０１】
図３６は、図３４のオーダーメードペットの購買申込インターフェースで配送地域配送料選択「▼」アイコン４２７がクリックされた状態を図示したものである。図３６を参照すると、配送地域配送料選択「▼」アイコン４２７のクリックによって配送地域配送料入力ボックス４２６から配送地域配送料選択ボックス４２６−１が開かれる。
【０２０２】
配送地域配送料選択ボックス４２６−１には配送地域配送料の種類に対して入力され得る配送地域配送料の種類リストが羅列される。このような配送地域配送料の種類は、養子縁組者が直接訪問０万ウォン（０００）、親ペットと同一地域５万ウォン（００５）、親ペットと異なる地域１０万ウォン（０１０）、片方のみ済州島地域３０万ウォン（０３０）等で構成され得る。オーダーメードペット購買者は、配送地域配送料の種類リストから一つを選択する。
【０２０３】
本実施例において、対象オーダーメードペット個体の配送地域配送料の種類は親ペットと同一地域５万ウォン（００５）と仮定した。これに伴い、オーダーメードペット生産者は、配送地域配送料の種類リストから「親ペットと同一地域５万ウォン（００５）」を選択する。選択された「親ペットと同一地域５万ウォン（００５）」は配送地域配送料の種類に対して対象オーダーメードペット個体のオーダーメードペット購買申込書情報として入力される。
【０２０４】
再び図３４を参照すると、オーダーメードペット購買者は、引き続き会員加入時の住所と配送地域の住所が同じであれば「同一」アイコン４３０をクリックし、同じでなければ「同一」アイコン４３０をクリックせずに直接入力しなければならない。
【０２０５】
本実施例において、対象オーダーメードペット個体の配送地住所は会員加入時の住所と同じであると仮定した。これに伴い、オーダーメードペット購買者は、「同一」アイコン４３０をクリックする。
【０２０６】
図３７は、図３４のオーダーメードペットの購買申込インターフェースで「同一」アイコン４３０がクリックされた状態を図示したものである。図３７を参照すると、「同一」アイコン４３０のクリックによって配送地郵便番号入力ボックス４３１、配送地住所１入力ボックス４３４、配送地住所２入力ボックス４３６にそれぞれ、「０７３４５」、「ソウル特別市永登浦区６３路５０」、「６３スクエア」が入力される。
【０２０７】
再び図３４を参照すると、オーダーメードペット購買者は、引き続きオーダーメード兄弟ペット販売手数料入金用銀行名４４１に対して対象親ペット個体のオーダーメードペット購買申込書情報を入力するために、マウスでまず銀行名選択「▼」アイコン４４３をクリックする。
【０２０８】
図３８は、図３４のオーダーメードペットの購買申込インターフェースで銀行名選択「▼」アイコン４４３がクリックされた状態を図示したものである。図３８を参照すると、銀行名選択「▼」アイコン４４２のクリックによって銀行名選択入力ボックス４４２から銀行名選択ボックス４４２−１が開かれる。
【０２０９】
銀行名選択ボックスには銀行名に対して入力され得る銀行名のリストが羅列される。このような銀行名は、企業銀行、第一銀行、新韓銀行、国民銀行、外換銀行、全北銀行、慶南銀行、釜山銀行、光州銀行、農協中央会などで構成され得る。オーダーメードペット購買者は、銀行名のリストから一つを選択する。
【０２１０】
本実施例において、対象オーダーメードペット個体のオーダーメード兄弟ペット販売手数料入金用銀行名の種類は企業銀行と仮定した。これに伴い、オーダーメードペット購買者は、銀行名のリストから「企業銀行」を選択する。選択された「企業銀行」は銀行の種類に対して対象オーダーメードペット個体のオーダーメードペット購買申込書情報として入力される。
【０２１１】
再び図３４を参照すると、オーダーメードペット購買者は、引き続きオーダーメード兄弟ペット販売手数料入金用口座番号４４４に対して対象オーダーメードペット個体のオーダーメードペット購買申込書情報を入力するために、マウスで口座番号入力ボックス４４５をクリックする。
【０２１２】
図３９は、図３４のオーダーメードペットの購買申込インターフェースで口座番号入力ボックス４４５をクリックして口座番号を入力した状態を図示したものである。図３９を参照すると、口座番号入力ボックス４４５をクリックして口座情報を入力した。
【０２１３】
本実施例において、対象親ペット個体のオーダーメード兄弟ペット販売手数料入金用口座番号は３３３３３３３３３３３と仮定した。これに伴い、オーダーメードペット購買者は、口座番号に「３３３３３３３３３３３」を入力する。入力された「３３３３３３３３３３３」は口座番号に対して対象オーダーメードペット個体のオーダーメードペット購買申込書情報として入力される。
【０２１４】
再び図３４を参照すると、オーダーメードペット購買者は、引き続きオーダーメード兄弟ペット販売手数料入金用預金者４４６に対して対象オーダーメードペット個体のオーダーメードペット購買申込書情報を入力するために、マウスで口座番号入力ボックス４４７をクリックする。
【０２１５】
図４０は、図３４のオーダーメードペットの購買申込インターフェースで預金者入力ボックス４４７をクリックして預金者を入力した状態を図示したものである。図４０を参照すると、預金者入力ボックス４４７をクリックして預金者を入力した。
【０２１６】
本実施例において、対象親ペット個体のオーダーメード兄弟ペット販売手数料入金用預金者は購買者１と仮定した。これに伴い、オーダーメードペット購買者は、預金者に「購買者１」を入力する。入力された「購買者１」は預金者に対して対象オーダーメードペット個体のオーダーメードペット購買申込書情報として入力される。
【０２１７】
図４１は、図３４のオーダーメードペットの購買申込インターフェースでそれぞれのオーダーメードペット購買申込書情報をすべて入力した後、「オーダーメードペット購買申込書入力」アイコン４９２をクリックした状態を図示したものである。
【０２１８】
図４１を参照すると、オーダーメードペット購買者は、「オーダーメードペット購買申込書修正」アイコン４９１をクリックすることによって、いつでも情報の入力を修正することができる。オーダーメードペット購買者は、オーダーメードペット購買申込書情報の入力を完了すると、「オーダーメードペット購買申込書保存」アイコン４９２をクリックする。そうすると、オーダーメードペット購買者端末機４００は項目（４１１〜４１７、４２１、４２５、４３１、４３４、４３６、４４１、４４４、４４６）に対して入力された対象オーダーメードペット個体のオーダーメードペット購買申込書情報をペット売買サーバー１００に伝送する。
【０２１９】
すなわち、オーダーメードペット購買者である「購買者１」会員の端末機４００は、親ペットの種類に対して入力された「子犬（１）」の値のうち親ペットの種類値は「子犬」親ペットの種類コード値は「１」、親ペットの品種に対して入力された「ボーダーコリー（０１）」の値のうち親ペットの品種値は「ボーダーコリー」親ペットの品種コード値は「０１」、親ペットの地域に対して入力された「ソウル特別市（０１）」の値のうち親ペットの地域値は「ソウル特別市」親ペットの地域コード値は「０１」、母親ペットに対して入力された「母１（１０１０１１００００００１００１）」の値のうち母親ペット値は「母１」母親ペットコード値は「１０１０１１００００００１００１」、父親ペットに対して入力された「父１（１０１０１２００００００２００１）」の値のうち父親ペット値は「父１」父親ペットコード値は「１０１０１２００００００２００１」、オーダーメードペットの金額に対して入力された「４０万ウォン（０４０）の値のうちオーダーメードペットの金額値は「４０万ウォン」オーダーメードペットの金額コード値は「０４０」、オーダーメードペット契約金に対して入力された「２０万ウォン（０２０）」の値のうちオーダーメードペット契約金値は「２０万ウォン」オーダーメードペット契約金コード値は「０２０」、オーダーメードペットの胎名に対して入力された「ミキ」、配送地域配送料に対して入力された「親ペットと同一地域５万ウォン（００５）」の値のうち配送地域配送料値は「親ペットと同一地域５万ウォン」配送地域配送料コード値は「００５」、郵便番号に対して入力された「０７３４５」、住所１に対して入力された「ソウル特別市永登浦区６３路５０」、住所２に対して入力された「６３スクエア」銀行名に対して入力された「企業銀行」、口座番号に対して入力された「３３３３３３３３３３３」、預金者に対して入力された「購買者１」というオーダーメードペット購買申込書情報をペット売買サーバー１００に送信する（Ｓ１３０）。
【０２２０】
この時、ペット売買サーバー１００は、「購買者１」会員が申し込んだオーダーメードペット「ミキ」を他の会員が申し込んだオーダーメードペットとの区分に使うオーダーメードペットコードを、オーダーメードペット購買者がオーダーメードペット購買申込書の「オーダーメードペット購買申込書保存」アイコン４９２をクリックする時に、オーダーメードペット購買申込書情報を利用して「ミキ」のオーダーメードペットコード（４９９）を「１０１０１１００００００１００１２００００００２００１００００００３０１」に自動生成する。
【０２２１】
すなわち、「生産者１」会員が母親ペット「母１」を選択交配可能な親ペットとして登録する時に生成された母１の親ペットコード（１０１０１１００００００１００１）の値で「１０１０１１００００００１００１」と「生産者２」会員が父親ペット「父１」を選択交配可能な親ペットとして登録する時に生成された父１の親ペットコード（１０１０１２００００００２００１）の値で前から５番目の桁の値を除いた「２００００００２００１」と「購買者１」会員の会員コード（００００００３）の値で「００００００３」を前からそれぞれのコード値を羅列し、追加的にオーダーメード兄弟ペットの間でオーダーメードペットとオーダーメード兄弟ペットを区別しながらオーダーメードペット＆オーダーメード兄弟ペットの最終選択時に選択順の基準となるように、「０１」を付与して「ミキ」のオーダーメードペットコードを「１０１０１１００００００１００１２００００００２００１００００００３０１」に自動生成した後、ペット売買サーバー１００の購買者情報ＤＢ１７０にミキのオーダーメードペットの購買情報として共に保存される。
【０２２２】
ペット売買サーバー１００は、オーダーメードペット購買者端末機４００からオーダーメードペット購買申込書（図２８〜図４１）情報を受信する。受信したオーダーメードペット購買申込書情報はペット売買サーバー１００の購買者情報ＤＢ１７０に保存される。その後、オーダーメードペット購買者がオーダーメードペット契約金を入金すると、オーダーメードペット購買申込書情報をオーダーメードペット生産者端末機３００に送信し、オーダーメードペット購買申込書情報に基づいて親ペットの交配を要請した後、オーダーメード兄弟ペット情報の入力を要請する（Ｓ１４５）。
【０２２３】
後で図示されるオーダーメードペット＆オーダーメード兄弟ペット情報入力書（図４２〜図４７）は、ペット売買サーバー１００からオーダーメードペットの交配要請を受信したオーダーメードペット生産者が、親ペットの交配の有無と母親ペットの出産の有無、そして生まれたオーダーメード兄弟ペットの成長過程を含むオーダーメード兄弟ペット情報を入力する過程を図示したものである。
【０２２４】
図４２〜図４７は、オーダーメードペット生産者端末機でオーダーメードペット購買者が交配を申し込んだ親ペットの交配情報と母親ペットの妊娠、出産およびオーダーメード兄弟ペットの成長情報であるオーダーメード兄弟ペット情報のインタフェース入力画面の例示図である。
【０２２５】
図４２は、オーダーメードペット生産者端末機３００で表示されるインタフェース入力画面ウェブページ（「生産者１」会員がオーダーメードペットの交配を開始するときに入力するオーダーメードペット＆オーダーメード兄弟ペット情報入力書）の例示図である。図４２を参照すると、オーダーメードペット生産者は、選択したオーダーメードペット＆オーダーメード兄弟ペット情報入力書でなければ「出る」アイコン５０９をクリックすることによって、いつでもオーダーメードペット＆オーダーメード兄弟ペット情報入力書を再び選択することができる。しかし、オーダーメードペット生産者が選択した情報が正しければ、オーダーメードペット生産者端末機３００に表示されたインタフェース入力画面ウェブページ（「生産者１」会員がオーダーメードペットの交配を開始するときに入力するオーダーメードペット＆オーダーメード兄弟ペット情報入力書）は、オーダーメードペット＆オーダーメード兄弟ペット情報入力書情報を構成する項目のうち、すでにオーダーメードペット購買者が選択したオーダーメードペットの胎名５０１、親ペットの種類５０２、親ペットの品種５０３、親ペットの地域５０４、母親ペット５０５、父親ペット５０６、オーダーメードペットの金額５０７、オーダーメード兄弟ペットの金額５０８の情報とさらにオーダーメードペット生産者が入力しなければならない交配の有無５１０、交配日５２０、出産予定日５３０、出産日５３５、配送予定日５４０、配送日５４５、最終選択日５５０、オーダーメード兄弟ペット数５５５、オーダーメード兄弟ペットの映像５６０、オーダーメード兄弟ペット０１写真５７１、オーダーメード兄弟ペット０２写真５７２、オーダーメード兄弟ペット０３写真５７３、オーダーメード兄弟ペット０４写真５７４、オーダーメード兄弟ペット０５写真５７５、オーダーメード兄弟ペット０６写真５７６、オーダーメード兄弟ペット０７写真５７７、オーダーメード兄弟ペット０８写真５７８、オーダーメード兄弟ペット０９写真５７９、オーダーメード兄弟ペットのその他の情報５８０に対してオーダーメードペット生産者がオーダーメードペット＆オーダーメード兄弟ペット情報入力書情報を入力できるようにする。
【０２２６】
以下、対象オーダーメードペット個体のさらに入力しなければならない交配の有無、交配日、出産予定日、出産日、配送予定日、配送日、最終選択日、オーダーメード兄弟ペット数、オーダーメード兄弟ペットの映像、オーダーメード兄弟ペット０１写真、オーダーメード兄弟ペット０２写真、オーダーメード兄弟ペット０３写真、オーダーメード兄弟ペット０４写真、オーダーメード兄弟ペット０５写真、オーダーメード兄弟ペット０６写真、オーダーメード兄弟ペット０７写真、オーダーメード兄弟ペット０８写真、オーダーメード兄弟ペット０９写真、オーダーメード兄弟ペットのその他の情報がそれぞれ、「出産」、「２０１５年」、「１１月」、「０１日」、「２０１６年」、「０１月」、「０１日」、「２０１６年」、「０１月」、「０２日」、「２０１６年」、「０３月」、「０１日」、「２０１６年」、「０３月」、「０３日」、「９匹」、「ミキオーダーメード兄弟ペット．ａｖｉ」、「ミキオーダーメード兄弟ペット０１．ｇｉｆ」、「ミキオーダーメード兄弟ペット０２．ｇｉｆ」、「ミキオーダーメード兄弟ペット０３．ｇｉｆ」、「ミキオーダーメード兄弟ペット０４．ｇｉｆ」、「ミキオーダーメード兄弟ペット０５．ｇｉｆ」、「ミキオーダーメード兄弟ペット０６．ｇｉｆ」、「ミキオーダーメード兄弟ペット０７．ｇｉｆ」、「ミキオーダーメード兄弟ペット０８．ｇｉｆ」、「ミキオーダーメード兄弟ペット０９．ｇｉｆ」、「元気で逞しい９兄弟です。」である場合に、オーダーメードペット生産者がオーダーメードペット生産者端末機３００に表示されたインタフェース入力画面ウェブページ（「生産者１」会員がオーダーメードペットの交配を開始するときに入力するオーダーメードペット＆オーダーメード兄弟ペット情報入力書）を通じて対象オーダーメードペット個体のオーダーメードペット＆オーダーメード兄弟ペット情報入力書情報を入力する実施例を説明する。
【０２２７】
オーダーメードペット生産者は、オーダーメードペット＆オーダーメード兄弟ペット情報入力書情報を構成する項目の中で、まず交配の有無５１０に対して対象オーダーメードペット個体のオーダーメードペット＆オーダーメード兄弟ペット情報入力書情報を入力するために、マウスで交配の有無選択「出産？」アイコン５１０をクリックする。
【０２２８】
図４３は、図４２のオーダーメードペット生産者インタフェース入力画面ウェブページ（「生産者１」会員がオーダーメードペットの交配を開始するときに入力するオーダーメードペット＆オーダーメード兄弟ペット情報入力書）で交配の有無選択「出産」アイコン５１０がクリックされた状態を図示したものである。
【０２２９】
本実施例において、対象オーダーメードペット個体の交配の有無は「出産？」と仮定した。これに伴い、オーダーメードペット生産者は、交配の有無は「出産？」を選択する。選択された「出産？」という交配の有無に対して対象オーダーメードペット個体のオーダーメードペット＆オーダーメード兄弟ペット情報入力書情報として入力される。
【０２３０】
再び図４２を参照すると、オーダーメードペット生産者は、引き続き交配日５２０に対して対象オーダーメードペット個体のオーダーメードペット＆オーダーメード兄弟ペット情報入力書情報を入力するために、マウスで交配日と年選択「▼」アイコン５２２をクリックする。
【０２３１】
図４４は、図４２のオーダーメードペット生産者インタフェース入力画面ウェブページ（「生産者１」会員がオーダーメードペットの交配を開始するときに入力するオーダーメードペット＆オーダーメード兄弟ペット情報入力書）で交配日と年選択「▼」アイコン５２２がクリックされた状態を図示したものである。図４４を参照すると、交配日と年選択「▼」アイコン５２２のクリックによって交配日と年の入力ボックス５２１から交配日と年選択ボックス５２１−１が開かれる。
【０２３２】
交配日と年選択ボックス５２１−１には交配日と年に対して入力され得る交配日と年のリストが羅列される。このような交配日と年は、２０１５年（２０１５）、２０１６年（２０１６）、２０１７年（２０１７）、２０１８年（２０１８）、２０１９年（２０１９）、２０２０年（２０２０）、２０２１年（２０２１）、２０２２年（２０２２）、２０２３年（２０２３）、２０２４年（２０２４）、２０２５年（２０２５）、２０２６年（２０２６）等で構成されている。オーダーメードペット生産者は、交配日と年のリストから一つを選択する。
【０２３３】
本実施例において、対象オーダーメードペット個体の交配日と年は２０１５年と仮定した。これに伴い、オーダーメードペット生産者は、交配日と年のリストから「２０１５年（２０１５）」を選択する。選択された「２０１５年（２０１５）」は交配日と年に対して対象オーダーメードペット個体のオーダーメードペット＆オーダーメード兄弟ペット情報入力書情報として入力される。
【０２３４】
再び図４２を参照すると、オーダーメードペット生産者は、引き続き交配日５２０に対して対象オーダーメードペット個体のオーダーメードペット＆オーダーメード兄弟ペット情報入力書情報を入力するために、マウスで交配日と月選択「▼」アイコン５２４をクリックする。
【０２３５】
図４５は、図４２のオーダーメードペット生産者インタフェース入力画面ウェブページ（「生産者１」会員がオーダーメードペットの交配を開始するときに入力するオーダーメードペット＆オーダーメード兄弟ペット情報入力書）で交配日と月選択「▼」アイコン５２４がクリックされた状態を図示したものである。図４４を参照すると、交配日と月選択「▼」アイコン５２４のクリックによって交配日と月入力ボックス５２３から交配日と月選択ボックス５２３−１が開かれる。
【０２３６】
交配日と月選択ボックス５２３−１には交配日と月に対して出力され得る交配日と月のリストが羅列される。このようなオーダーメードペット交配日と月は、０１月（０１）、０２月（０２）、０３月（０３）、０４月（０４）、０５月（０５）、０６月（０６）、０７月（０７）、０８月（０８）、０９月（０９）、１０月（１０）、１１月（１１）、１２月（１２）で構成されている。オーダーメードペット生産者は、交配日と月のリストから一つを選択する。
【０２３７】
本実施例において、対象オーダーメードペット個体の交配日と月は１１月と仮定した。これに伴い、オーダーメードペット生産者は、オーダーメードペット交配日と月のリストから「１１月（１１）」を選択する。選択された「１１月（１１）」はオーダーメードペット交配日と月に対して対象オーダーメードペット個体のオーダーメードペット＆オーダーメード兄弟ペット情報入力書情報として入力される。
【０２３８】
再び図４２を参照すると、オーダーメードペット生産者は、引き続きオーダーメードペット交配日５２０に対して対象オーダーメードペット個体のオーダーメードペット＆オーダーメード兄弟ペット情報入力書情報を入力するために、マウスで交配日選択「▼」アイコン５２６をクリックする。
【０２３９】
図４６は、図４２のオーダーメードペット生産者インタフェース入力画面ウェブページ（「生産者１」会員がオーダーメードペットの交配を開始するときに入力するオーダーメードペット＆オーダーメード兄弟ペット情報入力書）で交配日選択「▼」アイコン５２６がクリックされた状態を図示したものである。図４４を参照すると、交配日選択「▼」アイコン５２６のクリックによって交配日入力ボックス５２５から交配日選択ボックス５２５−１が開かれる。
【０２４０】
交配日選択ボックス５２５−１には交配日に対して出力され得る交配日のリストが羅列される。このような交配日は、０１日（０１）、０２日（０２）、０３日（０３）、０４日（０４）、０５日（０５）、０６日（０６）、０７日（０７）、０８日（０８）、０９日（０９）、１０日（１０）、１１日（１１）、１２日（１２）、１３日（１３）、１４日（１４）、１５日（１５）、１６日（１６）、１７日（１７）、１８日（１８）、１９日（１９）、２０日（２０）、２１日（２１）、２２日（２２）、２３日（２３）、２４日（２４）、２５日（２５）、２６日（２６）、２７日（２７）、２８日（２８）、２９日（２９）、３０日（３０）、３１日（３１）で構成されている。オーダーメードペット生産者は、交配日のリストから一つを選択する。
【０２４１】
本実施例において、対象オーダーメードペット個体の交配日は０１日と仮定した。これに伴い、オーダーメードペット生産者は、交配日のリストから「０１日（０１）」を選択する。選択された「０１日（０１）」は交配日に対して対象オーダーメードペット個体のオーダーメードペット＆オーダーメード兄弟ペット情報入力書情報として入力される。
【０２４２】
図４７は、図４２のオーダーメードペット生産者インタフェース入力画面ウェブページ（「生産者１」会員がオーダーメードペットの交配を開始するときに入力するオーダーメードペット＆オーダーメード兄弟ペット情報入力書）で前記項（図４２、図４３、図４４、図４５、図４６）で入力していない残りのオーダーメードペット＆オーダーメード兄弟ペット情報入力書情報をすべて入力した後、「オーダーメードペット＆オーダーメード兄弟ペット情報入力書入力」アイコン５９２をクリックした状態を図示したものである。図４７を参照すると、オーダーメードペット生産者は、オーダーメードペット＆オーダーメード兄弟ペット情報入力書情報の入力を完了すると、「オーダーメードペット＆オーダーメード兄弟ペット情報入力書入力」アイコン５９２をクリックする。そうすると、オーダーメードペット生産者端末機３００は項目（５０１〜５０７、５１０、５２０、５３０、５３５、５４０、５４５、５５０、５６０、５７１〜５８０）に対して入力された対象オーダーメードペット個体のオーダーメードペット＆オーダーメード兄弟ペット情報入力書情報をペット売買サーバー１００に伝送する。すなわち、オーダーメードペットの胎名に対して入力された「ミキ（１０１０１１００００００１００１２００００００２００１００００００３０１）」の値のうちオーダーメードペットの胎名値は「ミキ」オーダーメードペットコード値は「１０１０１１００００００１００１２００００００２００１００００００３０１」、親ペットの種類に対して入力された「子犬（１）」の値のうち親ペットの種類値は「子犬」親ペットの種類コード値は「１」、親ペットの品種に対して入力された「ボーダーコリー（０１）」の値のうち親ペットの品種値は「ボーダーコリー」親ペットの品種コード値は「０１」、親ペットの地域に対して入力された「ソウル特別市（０１）」の値のうち親ペットの地域値は「ソウル特別市」親ペットの地域コード値は「０１」、母親ペットに対して入力された「母１（１０１０１１００００００１００１）」の値のうち母親ペット値は「母１」母親ペットコード値は「１０１０１１００００００１００１」、父親ペットに対して入力された「父１（１０１０１２００００００２００１）」の値のうち父親ペット値は「父１」父親ペットコード値は「１０１０１２００００００２００１」、オーダーメードペットの金額に対して入力された「４０万ウォン（０４０）」の値のうちオーダーメードペットの金額値は「４０万ウォン」オーダーメードペットの金額コード値は「０４０」、オーダーメード兄弟ペットの金額に対して入力された「３４万ウォン（０３４）」の値のうちオーダーメード兄弟ペットの金額値は「３４万ウォン」オーダーメード兄弟ペットの金額コード値は「０３２」、交配の有無に対して入力された「出産」、交配日に対して入力された「２０１５年（２０１５）１１月（１１）０１日（０１）」の値のうち交配日値は「２０１５年１１月０１日」交配日コード値は「２０１５１１０１」、出産予定日に対して入力された「２０１６年（２０１６）０１月（０１）０１日（０１）」の値のうち出産予定日値は「２０１６年０１月０１日」出産予定日コード値は「２０１６０１０１」、出産日に対して入力された「２０１６年（２０１６）０１月（０１）０２日（０２）」の値のうち出産日値は「２０１６年０１月０２日」出産日コード値は「２０１６０１０２」、配送予定日に対して入力された「２０１６年（２０１６）０３月（０３）０１日（０１）」の値のうち配送予定日値は「２０１６年０３月０１日」配送予定日コード値は「２０１６０３０１」、配送日に対して入力された「２０１６年（２０１６）０３月（０３）０３日（０３）」の値のうち配送日値は「２０１６年０３月０３日」配送日コード値は「２０１６０３０３」、オーダーメード兄弟ペット数に対して「９匹（０９）」の値のうちオーダーメード兄弟ペット数値は「９匹」オーダーメード兄弟ペット数コード値は「０９」、オーダーメード兄弟ペットの映像に対して「ミキオーダーメード兄弟ペット．ａｖｉ」、オーダーメード兄弟ペット０１写真に対して「ミキオーダーメード兄弟ペット０１．ｇｉｆ」、オーダーメード兄弟ペット０２写真に対して「ミキオーダーメード兄弟ペット０２．ｇｉｆ」、オーダーメード兄弟ペット０３写真に対して「ミキオーダーメード兄弟ペット０３．ｇｉｆ」、オーダーメード兄弟ペット０４写真に対して「ミキオーダーメード兄弟ペット０４．ｇｉｆ」、オーダーメード兄弟ペット０５写真に対して「ミキオーダーメード兄弟ペット０５．ｇｉｆ」、オーダーメード兄弟ペット０６写真に対して「ミキオーダーメード兄弟ペット０６．ｇｉｆ」、オーダーメード兄弟ペット０７写真に対して「ミキオーダーメード兄弟ペット０７．ｇｉｆ」、オーダーメード兄弟ペット０８写真に対して「ミキオーダーメード兄弟ペット０８．ｇｉｆ」、オーダーメード兄弟ペット０９写真に対して「ミキオーダーメード兄弟ペット０９．ｇｉｆ」、オーダーメード兄弟ペットのその他の情報に対して入力された「元気で逞しい９兄弟です。」というオーダーメードペット＆オーダーメード兄弟ペット情報入力書情報をペット売買サーバー１００に送信すると、受信したオーダーメードペット＆オーダーメード兄弟ペット情報入力書情報は生産者情報ＤＢ１６０にミキのオーダーメードペット交配情報として入力される。
【０２４３】
ペット売買サーバー１００は、オーダーメードペット生産者端末機３００からオーダーメードペット＆オーダーメード兄弟ペット情報入力書（図４２〜図４７）情報を受信する。受信したオーダーメードペット＆オーダーメード兄弟ペット情報入力書情報はペット売買サーバー１００の生産者情報ＤＢ１６０に保存される。その後、ペット売買サーバー１００は、生産者情報ＤＢ１６０でオーダーメードペット生産者から受信した親ペットの交配の有無と母親ペットの出産の有無、そして生まれたオーダーメード兄弟ペットの成長過程を含むオーダーメード兄弟ペット情報をオーダーメードペット購買者端末機４００とオーダーメード兄弟ペット購買者端末機５００またはオーダーメード兄弟ペット購買者端末機５００のオーダーメード兄弟ペット検索窓にも送信する（Ｓ１５５）。後で図示されるオーダーメード兄弟ペット検索インタフェース（図４８〜図５２）は所望するオーダーメード兄弟ペットを検索した後、オーダーメード兄弟ペットの購買申込書（図５３〜図５７）の情報を入力する過程を図示したものである。
【０２４４】
図４８〜図５２は、オーダーメード兄弟ペット購買者端末機において、オーダーメードペット購買者およびオーダーメード兄弟ペット購買者が購入してから残ったオーダーメード兄弟ペットの中から購買可能なオーダーメード兄弟ペット情報を検索できるオーダーメード兄弟ペット検索窓の例示図である。
【０２４５】
図４８〜図５２を参照すると、図４８はオーダーメード兄弟ペット購買者端末機５００で表示されるオーダーメード兄弟ペット検索インタフェース（すなわち、「購買者１」会員がオーダーメード兄弟ペット情報を検索するオーダーメード兄弟ペット検索窓）の例示図である。図４８を参照すると、オーダーメード兄弟ペット購買者端末機５００に表示されたインタフェース入力画面ウェブページ（「購買者１」会員がオーダーメード兄弟ペット情報を検索するオーダーメード兄弟ペット検索窓）はオーダーメード兄弟ペット購買者がオーダーメードペット購買者の選択交配申込で出産したオーダーメード兄弟ペットの成長過程を見守って所望するオーダーメード兄弟ペットがある場合、オーダーメード兄弟ペットの購買を申し込むようにオーダーメード兄弟ペット情報を提供する。
【０２４６】
以下、対象オーダーメード兄弟ペット個体のオーダーメード兄弟ペットの種類、オーダーメード兄弟ペットの品種、オーダーメード兄弟ペットの地域がそれぞれ、「子犬」、「ボーダーコリー」、「ソウル特別市」であるオーダーメード兄弟ペットのうち「ミキ」のオーダーメード兄弟ペットを購入しようとする場合、オーダーメード兄弟ペット購買者がオーダーメード兄弟ペット購買者端末機５００に表示されたインタフェース入力画面ウェブページ（「購買者１」会員がオーダーメード兄弟ペット情報を検索するオーダーメード兄弟ペット検索窓）を通じて対象オーダーメード兄弟ペットを選択してオーダーメード兄弟ペットを申し込む実施例を説明する。
【０２４７】
オーダーメード兄弟ペット購買者は、オーダーメードペット生産者が提供したオーダーメード兄弟ペット情報を構成する項目の中で、まずオーダーメード兄弟ペットの種類６０１に対してオーダーメード兄弟ペットの種類を選択するために、マウスでオーダーメード兄弟ペットの種類選択「▼」アイコン６０２をクリックする。
【０２４８】
図４９は、図４８のオーダーメード兄弟ペット検索インターフェースでオーダーメード兄弟ペットの種類選択「▼」アイコン６０２がクリックされた状態を図示したものである。図４９を参照すると、オーダーメード兄弟ペットの種類選択「▼」アイコン６０２のクリックによってオーダーメード兄弟ペットの種類入力ボックス６０１からオーダーメード兄弟ペットの種類選択ボックス６０１−１が開かれる。
【０２４９】
オーダーメード兄弟ペットの種類選択ボックス６０１−１にはオーダーメード兄弟ペットの種類に対して出力され得るオーダーメード兄弟ペットの種類のリストが羅列される。このようなオーダーメード兄弟ペットの種類は、子犬（１）、猫（２）、愛玩鳥（３）等で構成されている。オーダーメード兄弟ペット購買者は、オーダーメード兄弟ペットの種類のリストから一つを選択する。
【０２５０】
本実施例において、対象オーダーメード兄弟ペット個体のオーダーメード兄弟ペットの種類は子犬（１）と仮定した。これに伴い、オーダーメード兄弟ペット購買者は、オーダーメード兄弟ペットの種類のリストから「子犬（１）」を選択する。選択された「子犬（１）」はオーダーメード兄弟ペットの種類コード値である「１」だけがオーダーメード兄弟ペットの種類に対して対象オーダーメード兄弟ペット個体のオーダーメード兄弟ペット検索窓情報として選択される。
【０２５１】
そうすると、オーダーメード兄弟ペット購買者端末機５００は項目６０１に対して入力されたオーダーメード兄弟ペット検索窓情報をペット売買サーバー１００に伝送する。すなわち、オーダーメード兄弟ペット購買者端末機５００はオーダーメード兄弟ペットの種類に対して入力された「１」というオーダーメード兄弟ペット検索窓情報をペット売買サーバー１００に送信する。そうすると、ペット売買サーバー１００は、オーダーメード兄弟ペット購買者から受信した「１」の値を生産者情報ＤＢ１６０に保存されたオーダーメードペット生産者が入力したオーダーメードペットコード値の最初の桁と比較し、値が一致する項目のオーダーメードペットのオーダーメード兄弟ペット情報をオーダーメード兄弟ペット購買者端末機５００上の「オーダーメード兄弟ペットリスト」出力ボックス６０９に表示する。
【０２５２】
しかし、本実施例において、対象オーダーメード兄弟ペット個体のオーダーメード兄弟ペットの種類、オーダーメード兄弟ペットの品種、オーダーメード兄弟ペットの地域がそれぞれ、「子犬」、「ボーダーコリー」、「ソウル特別市」であるオーダーメード兄弟ペットのうち「ミキ」のオーダーメード兄弟ペットを購入する場合であるので、引き続きオーダーメード兄弟ペット購買者は、オーダーメード兄弟ペットの品種６０３に対して対象オーダーメード兄弟ペット個体のオーダーメード兄弟ペット検索窓情報を入力するために、再びマウスでオーダーメード兄弟ペットの品種選択「▼」アイコン６０４をクリックする。
【０２５３】
図５０は、図４８のオーダーメード兄弟ペット検索インターフェースでオーダーメード兄弟ペットの品種選択「▼」アイコン６０４がクリックされた状態を図示したものである。図５０を参照すると、オーダーメード兄弟ペットの品種選択「▼」アイコン６０４のクリックによってオーダーメード兄弟ペットの品種入力ボックス６０３からオーダーメード兄弟ペットの品種選択ボックス６０３−１が開かれる。
【０２５４】
オーダーメード兄弟ペットの品種選択ボックス６０３−１にはオーダーメード兄弟ペットの品種に対して出力され得るオーダーメード兄弟ペットの品種のリストが羅列される。このようなオーダーメード兄弟ペットの品種は、ボーダーコリー（０１）、プードル（０２）、ジャーマンシェパード（０３）、ゴールデンレトリバー（０４）、ドーベルマンピンシャー（０５）、シェットランドシープドッグ（０６）、レトリーバー（０７）、パピヨン（０８）、ロットワイラー（０９）、キャトルドッグ（１０）等で構成されている。オーダーメード兄弟ペット購買者は、オーダーメード兄弟ペットの品種のリストから一つを選択する。
【０２５５】
本実施例において、対象オーダーメード兄弟ペット個体のオーダーメード兄弟ペットの品種はボーダーコリー（０１）と仮定した。これに伴い、オーダーメード兄弟ペット購買者は、オーダーメード兄弟ペットの品種のリストから「ボーダーコリー（０１）」を選択する。選択された「ボーダーコリー（０１）」はオーダーメード兄弟ペットの品種コード値である「０１」だけがオーダーメード兄弟ペットの品種に対して対象オーダーメード兄弟ペット個体のオーダーメード兄弟ペット検索窓情報として選択される。そうすると、オーダーメード兄弟ペット購買者端末機５００は項目（６０１、６０３）に対して入力されたオーダーメード兄弟ペット検索窓情報をペット売買サーバー１００に伝送する。すなわち、オーダーメード兄弟ペット購買者端末機５００はオーダーメード兄弟ペットの種類に対して入力された「１」、オーダーメード兄弟ペットの品種に対して入力された「０１」というオーダーメード兄弟ペット検索窓情報をペット売買サーバー１００に送信する。そうすると、ペット売買サーバー１００は、オーダーメード兄弟ペット購買者から受信した「１」、「０１」の値を生産者情報ＤＢ１６０に保存されたオーダーメードペット生産者が入力したオーダーメードペットコード値の最初の桁から３番目の桁まで比較し、すべての数字が一致する項目のオーダーメードペットのオーダーメード兄弟ペット情報をオーダーメード兄弟ペット購買者端末機５００上の「オーダーメード兄弟ペットリスト」出力ボックス６０９に表示する。
【０２５６】
しかし、本実施例において、対象オーダーメード兄弟ペット個体のオーダーメード兄弟ペットの種類、オーダーメード兄弟ペットの品種、オーダーメード兄弟ペットの地域がそれぞれ、「子犬」、「ボーダーコリー」、「ソウル特別市」であるオーダーメード兄弟ペットのうち「ミキ」のオーダーメード兄弟ペットを購入する場合であるので、引き続きオーダーメード兄弟ペット購買者は、オーダーメード兄弟ペットの地域６０５に対して対象オーダーメード兄弟ペット個体のオーダーメード兄弟ペット検索窓情報を入力するために、マウスでオーダーメード兄弟ペットの地域選択「▼」アイコン６０６をクリックする。
【０２５７】
図５１は、図４８のオーダーメード兄弟ペット検索インターフェースでオーダーメード兄弟ペットの地域選択「▼」アイコン６０６がクリックされた状態を図示したものである。図５１を参照すると、オーダーメード兄弟ペットの地域選択「▼」アイコン６０６のクリックによってオーダーメード兄弟ペットの地域入力ボックス６０５からオーダーメード兄弟ペットの地域選択ボックス６０５−１が開かれる。
【０２５８】
オーダーメード兄弟ペットの地域選択ボックス６０５−１にはオーダーメード兄弟ペットの地域に対して出力され得るオーダーメード兄弟ペットの地域のリストが羅列される。このようなオーダーメード兄弟ペットの地域は、ソウル特別市（０１）、仁川広域市（０２）、大田広域市（０３）、大邱広域市（０４）、釜山広域市（０５）、蔚山広域市（０６）、光州広域市（０７）、忠清南道（０８）、忠清北道（０９）、慶尚南道（１０）、慶尚北道（１１）、全羅南道（１２）、全羅北道（１３）、京畿道（１４）、江原道（１５）、済州島（１６）等で構成されている。オーダーメード兄弟ペット購買者は、オーダーメード兄弟ペットの地域のリストから一つを選択する。
【０２５９】
本実施例において、対象オーダーメード兄弟ペット個体のオーダーメード兄弟ペットの地域はソウル特別市（０１）と仮定した。これに伴い、オーダーメード兄弟ペット購買者は、オーダーメード兄弟ペットの地域のリストから「ソウル特別市（０１）」を選択する。選択された「ソウル特別市（０１）」はオーダーメード兄弟ペットの地域コード値である「０１」だけがオーダーメード兄弟ペットの地域に対して対象オーダーメード兄弟ペット個体のオーダーメード兄弟ペット検索窓情報として選択される。そうすると、オーダーメード兄弟ペット購買者端末機５００は項目（６０１、６０３、６０５）に対して入力されたオーダーメード兄弟ペット検索窓情報をペット売買サーバー１００に伝送する。すなわち、オーダーメード兄弟ペット購買者端末機５００は、オーダーメード兄弟ペットの種類に対して入力された「１」、オーダーメード兄弟ペットの品種に対して入力された「０１」、オーダーメード兄弟ペットの地域に対して入力された「０１」というオーダーメード兄弟ペット検索窓情報をペット売買サーバー１００に送信する。そうすると、ペット売買サーバー１００は、オーダーメード兄弟ペット購買者から受信した「１」、「０１」、「０１」の値を生産者情報ＤＢ１６０に保存されたオーダーメードペット生産者が入力したオーダーメードペットコード値の最初の桁から５番目の桁まで比較し、すべての数字が一致する項目のオーダーメードペットのオーダーメード兄弟ペット情報をオーダーメード兄弟ペット購買者端末機５００上の「オーダーメード兄弟ペットリスト」出力ボックス６０９に表示する。
【０２６０】
図５２は、図４８のオーダーメード兄弟ペット検索インターフェースでオーダーメード兄弟ペット購買者が選択したオーダーメード兄弟ペットの種類に対して入力された「子犬（１）」、オーダーメード兄弟ペットの品種に対して入力された「ボーダーコリー（０１）」、オーダーメード兄弟ペットの地域に対して入力された「ソウル特別市（０１）」というすべての条件を満足するペット売買サーバー１００の生産者情報ＤＢ１６０上の情報が羅列されたものである。
【０２６１】
本実施例において、対象オーダーメード兄弟ペットの購買を申し込むオーダーメード兄弟ペットはミキと仮定した。これに伴い、オーダーメード兄弟ペット購買者は、「オーダーメード兄弟ペットリスト」出力ボックス６０９でオーダーメードペットの胎名が「ミキ」情報ボックス６０９−１上の「オーダーメード兄弟ペットの購買申込」アイコン６０９−１１をクリックする。
【０２６２】
図５３〜図５７は、オーダーメード兄弟ペット購買者端末機において、購買可能なオーダーメード兄弟ペットのうち購買を申し込むオーダーメード兄弟ペット購買申込情報のインタフェース入力画面の例示図である。
【０２６３】
図５３〜図５７を参照すると、図５３は、図４８のオーダーメード兄弟ペット検索インターフェースで「オーダーメード兄弟ペットリスト」出力ボックス６０９のオーダーメードペット胎名が「ミキ」である情報ボックス６０９−１上の「オーダーメード兄弟ペットの購買申込」アイコン６０９−１１をクリックした状態を図示したものである。図５３を参照すると、オーダーメード兄弟ペット購買者は、オーダーメード兄弟ペットの購買申込書情報が正しくなければ「出る」アイコン６１９をクリックすることによって、いつでもオーダーメード兄弟ペットの購買申込書情報を再び選択することができる。しかし、オーダーメード兄弟ペット購買者が選択した情報が正しければ、オーダーメード兄弟ペット購買者インタフェース（すなわち、「購買者１」会員がオーダーメード兄弟ペット検索窓の「オーダーメード兄弟ペットの購買申込」アイコンをクリック後に購買を申し込むオーダーメード兄弟ペットの購買申込書）はオーダーメード兄弟ペットの購買申込書情報を構成する項目のうち、すでに選択された項目である、オーダーメードペットの胎名６１１、オーダーメード兄弟ペットの種類６１２、オーダーメード兄弟ペットの品種６１３、オーダーメード兄弟ペットの地域６１４、母親ペット６１５、父親ペット６１６、オーダーメード兄弟ペットの金額６１７、オーダーメード兄弟ペットの契約金６１８の情報とさらに入力しなければならない配送地域配送料６２１、配送地郵便番号６３１、配送地住所１  ６３４、配送地住所２  ６３６に対してオーダーメード兄弟ペット購買者がオーダーメード兄弟ペットの購買申込書情報を入力できるようにする。
【０２６４】
以下、対象オーダーメード兄弟ペット個体のさらに入力しなければならない配送地域配送料、配送地郵便番号、配送地住所１、配送地住所２がそれぞれ、「親ペットと同一地域５万ウォン」、「０７３４５」、「ソウル特別市永登浦区６３路５０」、「６３スクエア」である場合に、オーダーメード兄弟ペット購買者がオーダーメード兄弟ペット購買者端末機５００に表示されたインタフェース入力画面ウェブページ（「購買者１」会員がオーダーメード兄弟ペット検索窓の「オーダーメード兄弟ペットの購買申込」アイコンをクリック後に購買を申し込むオーダーメード兄弟ペットの購買申込書）を通じて対象オーダーメード兄弟ペット個体のオーダーメード兄弟ペットの購買申込書情報を入力する実施例を説明する。
【０２６５】
オーダーメード兄弟ペット購買者は、オーダーメード兄弟ペットの購買申込書情報を構成する項目の中で、まず配送地域配送料６２１に対して対象オーダーメード兄弟ペット個体のオーダーメード兄弟ペットの購買申込書情報を入力するために、マウスで配送地域配送料選択「▼」アイコン６２３をクリックする。
【０２６６】
図５４は、図５３のオーダーメード兄弟ペット購買者インタフェース入力画面ウェブページ（「購買者１」会員がオーダーメード兄弟ペット検索窓の「オーダーメード兄弟ペットの購買申込」アイコンをクリック後に購買を申し込むオーダーメード兄弟ペットの購買申込書）で配送地域配送料選択「▼」アイコン６２３がクリックされた状態を図示したものである。図５４を参照すると、配送地域配送料選択「▼」アイコン６２３のクリックによって配送地域配送料入力ボックス６２２から配送地域配送料選択ボックス６２２−１が開かれる。
【０２６７】
配送地域配送料選択ボックス６２２−１には配送地域配送料の種類に対して入力され得る配送地域配送料の種類リストが羅列される。このような配送地域配送料の種類は、養子縁組者が直接訪問０万ウォン（０００）、親ペットと同一地域５万ウォン（００５）、親ペットと異なる地域１０万ウォン（０１０）、片方だけが済州島地域３０万ウォン（０３０）等で構成され得る。オーダーメード兄弟ペット購買者は、配送地域配送料の種類リストから一つを選択する。
【０２６８】
本実施例において、対象オーダーメード兄弟ペット個体の配送地域配送料の種類は親ペットと同一地域５万ウォン（００５）と仮定した。これに伴い、オーダーメード兄弟ペット購買者は、配送地域配送料の種類リストから「親ペットと同一地域５万ウォン（００５）」を選択する。選択された「親ペットと同一地域５万ウォン（００５）」は配送地域配送料の種類に対して対象オーダーメード兄弟ペット個体のオーダーメード兄弟ペットの購買申込書情報として入力される。
【０２６９】
再び図５３を参照すると、オーダーメード兄弟ペット購買者は、引き続き会員加入時の住所と配送地域の住所が同じであれば「同一」アイコン６３０をクリックし、同じでなければ「同一」アイコン６３０をクリックせずに直接入力しなければならない。
【０２７０】
本実施例において、対象オーダーメード兄弟ペット個体の配送地住所は会員加入時の住所と同じであると仮定した。これに伴い、オーダーメード兄弟ペット購買者は、「同一」アイコン６３０をクリックする。
【０２７１】
図５５は、図５３のオーダーメード兄弟ペット購買者インタフェース入力画面ウェブページ（「購買者１」会員がオーダーメード兄弟ペット検索窓の「オーダーメード兄弟ペットの購買申込」アイコンをクリック後に購買を申し込むオーダーメード兄弟ペットの購買申込書）で「同一」アイコン６３０がクリックされた状態を図示したものである。図５５を参照すると、「同一」アイコン６３０のクリックによって配送地郵便番号入力ボックス６３１、配送地住所１入力ボックス６３４、配送地住所２入力ボックス６３６にそれぞれ、「０７３４５」、「ソウル特別市永登浦区６３路５０」、「６３スクエア」が対象オーダーメード兄弟ペット個体のオーダーメード兄弟ペットの購買申込書情報として入力される。
【０２７２】
図５６は、図５３のオーダーメード兄弟ペット購買者インタフェース入力画面ウェブページ（「購買者１」会員がオーダーメード兄弟ペット検索窓の「オーダーメード兄弟ペットの購買申込」アイコンをクリック後に購買を申し込むオーダーメード兄弟ペットの購買申込書）でそれぞれのオーダーメード兄弟ペットの購買申込書情報をすべて入力した後、「オーダーメード兄弟ペットの購買申込書保存」アイコン６９２をクリックした状態を図示したものである。図５６を参照すると、オーダーメード兄弟ペット購買者は、「オーダーメード兄弟ペットの購買申込書修正」アイコン６９１をクリックすることによって、いつでも情報入力を修正することができる。オーダーメード兄弟ペット購買者は、オーダーメード兄弟ペットの購買申込書情報入力を完了すると、「オーダーメード兄弟ペットの購買申込書保存」アイコン６９２をクリックする。そうすると、オーダーメード兄弟ペット購買者端末機５００は項目（６１１、６１２、６１３、６１４、６１５、６１６、６１７、６１８、６２１、６３１、６３４、６３６）に対して入力された対象オーダーメード兄弟ペット個体のオーダーメード兄弟ペットの購買申込書情報をペット売買サーバー１００に伝送する。すなわち、オーダーメード兄弟ペット購買者である「購買者１」会員の端末機５００は、オーダーメードペットの胎名に対して入力された「ミキ（１０１０１１００００００１００１２００００００２００１００００００３０１）」の値のうちオーダーメードペットの胎名値は「ミキ」オーダーメードペットコード値は「１０１０１１００００００１００１２００００００２００１００００００３０１」、オーダーメード兄弟ペットの種類に対して入力された「子犬（１）」の値のうちオーダーメード兄弟ペットの種類値は「子犬」オーダーメード兄弟ペットの種類コード値は「１」、オーダーメード兄弟ペットの品種に対して入力された「ボーダーコリー（０１）」の値のうちオーダーメード兄弟ペットの品種値は「ボーダーコリー」オーダーメード兄弟ペットの品種コード値は「０１」、オーダーメード兄弟ペットの地域に対して入力された「ソウル特別市（０１）」の値のうちオーダーメード兄弟ペットの地域値は「ソウル特別市」オーダーメード兄弟ペットの地域コード値は「０１」、母親ペットに対して入力された「母１（１０１０１１００００００１００１）」の値のうち母親ペット値は「母１」母親ペットコード値は「１０１０１１００００００１００１」、父親ペットに対して入力された「父１（１０１０１２００００００２００１）」の値のうち父親ペット値は「父１」父親ペットコード値は「１０１０１２００００００２００１」、オーダーメード兄弟ペットの金額に対して入力された「３４万ウォン（０３４）」の値のうちオーダーメード兄弟ペットの金額値は「３４万ウォン」オーダーメード兄弟ペットの金額コード値は「０３２」、オーダーメード兄弟ペットの契約金に対して入力された「６万ウォン（００６）」の値のうちオーダーメード兄弟ペットの契約金値は「６万ウォン」オーダーメード兄弟ペットの契約金コード値は「００６」、配送地域配送料に対して入力された「親ペットと同一地域５万ウォン（００５）」の値のうち配送地域配送料値は「親ペットと同一地域５万ウォン」配送地域配送料コード値は「００５」、配送地郵便番号に対して入力された「０７３４５」、配送地住所１に対して入力された「ソウル特別市永登浦区６３路５０」、配送地住所２に対して入力された「６３スクエア」というオーダーメード兄弟ペットの購買申込書情報をペット売買サーバー１００に送信する（Ｓ１７１）。この時、ペット売買サーバー１００は、「購買者１」会員が申し込んだオーダーメード兄弟ペットの名前とオーダーメード兄弟ペットコードを「オーダーメード兄弟ペットの購買申込書保存」アイコン６９２をクリックする時にオーダーメード兄弟ペットの購買申込書情報を利用して「ミキ」のオーダーメードペットコード値「１０１０１１００００００１００１２００００００２００１００００００３０１」の中で後から９桁を除いた２７桁値「１０１０１１００００００１００１２００００００２００１」をペット売買サーバー１００の購買者情報ＤＢ１７０に保存されたオーダーメード兄弟ペットコード値の中で後から９桁を除いた２７桁値と比較し、一致する値がなければ２桁の数字値「０２」を付与してオーダーメード兄弟ペットの名前としてはオーダーメードペットの胎名値「ミキ」に「０２」を合わせて「ミキ０２」に自動生成し、オーダーメード兄弟ペットコードは「ミキ」のオーダーメードペットコード値「１０１０１１００００００１００１２００００００２００１００００００３０１」の中で後から９桁を除いた２７桁値と「購買者１」会員の会員コード値「００００００３」７桁値と「０２」２桁の数字値を合わせて「１０１０１１００００００１００１２００００００２００１００００００３０２」に自動生成する。しかし、一致する値が存在すれば、一致するオーダーメード兄弟ペットコード値の３６桁の数字のうち後から２桁の数字値が最も大きいコード値に「１」を足した数字をオーダーメードペットの胎名値「ミキ」と合わせてオーダーメード兄弟ペットの名前として自動生成し、オーダーメード兄弟ペットコードは「ミキ」のオーダーメードペットコード値「１０１０１１００００００１００１２００００００２００１００００００３０１」の中で後から９桁を除いた２７桁値「１０１０１１００００００１００１２００００００２００１」と「購買者１」会員の会員コード値の中で７桁値「００００００３」と一致するオーダーメード兄弟ペットコード値の３６桁の数字のうち後から２桁の数字値が最も大きいコード値に「１」を足した数字を加えた２桁の数字値を合わせて３６桁値のオーダーメード兄弟ペットコードを自動生成した後、ペット売買サーバー１００の購買者情報ＤＢ１７０にオーダーメード兄弟ペットの購買情報として共に保存される。しかし、「購買者１」会員の場合は一致するオーダーメード兄弟ペットコード値がないと仮定して、オーダーメード兄弟ペットの名前値は「ミキ０２」に、オーダーメード兄弟ペットコード値は「１０１０１１００００００１００１２００００００２００１００００００３０２」として共に入力される。そうすると、ペット売買サーバー１００の購買者情報ＤＢ１７０にオーダーメード兄弟ペット購買者である「購買者１」会員のオーダーメード兄弟ペットの購買情報として保存される。そして、本発明の一実施例に係るオンライン販売方法である、オンライン上でペットを選択交配して販売するためにコンピュータで具現される方法を効率的に説明するために、追加的に図５７においてさらに他のオーダーメード兄弟ペット購買者情報をペット売買サーバー１００の購買者情報ＤＢ１７０に入力した実施例を説明する。
【０２７３】
図５７は、さらに他のオーダーメード兄弟ペット購買者インタフェース入力画面ウェブページ（「購買者２」会員がオーダーメード兄弟ペット検索窓の「オーダーメード兄弟ペットの購買申込」アイコンをクリック後に購買を申し込むオーダーメード兄弟ペットの購買申込書）でそれぞれのオーダーメード兄弟ペットの購買申込書情報をすべて入力した後、「オーダーメード兄弟ペットの購買申込書保存」アイコン６９２をクリックした状態を図示したものである。図５７を参照すると、オーダーメード兄弟ペット購買者は、「オーダーメード兄弟ペットの購買申込書修正」アイコン６９１をクリックすることによって、いつでも情報の入力を修正することができる。オーダーメード兄弟ペット購買者は、オーダーメード兄弟ペットの購買申込書情報の入力を完了すると、「オーダーメード兄弟ペットの購買申込書保存」アイコン６９２をクリックする。そうすると、オーダーメード兄弟ペット購買者端末機５００は、項目（６１１〜６１８、６２１、６３１、６３４、６３６）に対して入力された対象オーダーメード兄弟ペット個体のオーダーメード兄弟ペットの購買申込書情報をペット売買サーバー１００に伝送する。すなわち、オーダーメード兄弟ペット購買者である「購買者２」会員端末機５００は、オーダーメードペットの胎名に対して入力された「ミキ（１０１０１１００００００１００１２００００００２００１００００００３０１）」の値のうちオーダーメードペットの胎名値は「ミキ」オーダーメードペットコード値は「１０１０１１００００００１００１２００００００２００１００００００３０１」、オーダーメード兄弟ペットの種類に対して入力された「子犬（１）」の値のうちオーダーメード兄弟ペットの種類値は「子犬」オーダーメード兄弟ペットの種類コード値は「１」、オーダーメード兄弟ペットの品種に対して入力された「ボーダーコリー（０１）」の値のうちオーダーメード兄弟ペットの品種値は「ボーダーコリー」オーダーメード兄弟ペットの品種コード値は「０１」、オーダーメード兄弟ペットの地域に対して入力された「ソウル特別市（０１）」の値のうちオーダーメード兄弟ペットの地域値は「ソウル特別市」オーダーメード兄弟ペットの地域コード値は「０１」、母親ペットに対して入力された「母１（１０１０１１００００００１００１）」の値のうち母親ペット値は「母１」母親ペットコード値は「１０１０１１００００００１００１」、父親ペットに対して入力された「父１（１０１０１２００００００２００１）」の値のうち父親ペット値は「父１」父親ペットコード値は「１０１０１２００００００２００１」、オーダーメード兄弟ペットの金額に対して入力された「３４万ウォン（０３４）」の値のうちオーダーメード兄弟ペットの金額値は「３４万ウォン」オーダーメード兄弟ペットの金額コード値は「０３２」、オーダーメード兄弟ペットの契約金に対して入力された「６万ウォン（００６）」の値のうちオーダーメード兄弟ペットの契約金値は「６万ウォン」オーダーメード兄弟ペットの契約金コード値は「００６」、配送地域配送料に対して入力された「親ペットと異なる地域１０万ウォン（０１０）」の値のうち配送地域配送料値は「親ペットと異なる地域１０万ウォン」配送地域配送料コード値は「０１０」、配送地郵便番号に対して入力された「２２３８２」、配送地住所１に対して入力された「仁川広域市中区空港路２７２」、配送地住所２に対して入力された「仁川国際空港」というオーダーメード兄弟ペットの購買申込書情報をペット売買サーバー１００に送信する（Ｓ１７１）。この時、「購買者２」会員の場合は一致するオーダーメード兄弟ペットコード値があると仮定し、オーダーメード兄弟ペットコード値のうち最も大きいコード値が「１０１０１１００００００１００１２００００００２００１００００００３０２」と仮定し、オーダーメード兄弟ペットコード値の３６桁の数字のうち後から２桁の数字値「０２」に「１」を加えた値「０３」をオーダーメードペットの胎名値「ミキ」と「０３」を合わせて「購買者２」会員のオーダーメード兄弟ペットの名前を「ミキ０３」に自動生成し、オーダーメード兄弟ペットコードは「ミキ」のオーダーメードペットコード値「１０１０１１００００００１００１２００００００２００１００００００３０１」の中で後から９桁数字値を除いた２７桁値「１０１０１１００００００１００１２００００００２００１」と「購買者２」会員の会員コード値のうち７桁値「００００００４」と「購買者１」会員のオーダーメード兄弟ペットコード値の３６桁の数字のうち後から２桁の数字値「０２」で「０２」に「１」を加えた２桁の数字値「０３」を前から順に羅列して３６桁の数字値である「ミキ０３」のオーダーメード兄弟ペットコードを「１０１０１１００００００１００１２００００００２００１００００００４０３」に自動生成した後、ペット売買サーバー１００の購買者情報ＤＢ１７０に「ミキ０３」のオーダーメード兄弟ペットの購買情報として共に入力される。そうすると、ペット売買サーバー１００の購買者情報ＤＢ１７０にオーダーメード兄弟ペット購買者である「購買者２」会員のオーダーメード兄弟ペットの購買情報として保存される。
【０２７４】
ペット売買サーバー１００は、オーダーメード兄弟ペット購買者端末機５００からオーダーメード兄弟ペットの購買申込書（図５３、図５４、図５５、図５６、図５７）情報を受信する。受信したオーダーメード兄弟ペットの購買申込書情報はペット売買サーバー１００の購買者情報ＤＢ１７０に保存される。その後、オーダーメード兄弟ペット購買者がオーダーメード兄弟ペットの契約金を入金すると、オーダーメード兄弟ペット購買申込情報をオーダーメードペット生産者端末機３００に送信する。以下では、オーダーメードペット購買者である「購買者１」会員はオーダーメードペットとオーダーメード兄弟ペットを同時に２匹を購入してオーダーメードペット最終選択情報とオーダーメード兄弟ペットの最終選択情報を入力したと仮定し、オーダーメード兄弟ペット購買者である「購買者２」会員はオーダーメード兄弟ペットを１匹を購入してオーダーメード兄弟ペットの最終選択情報を入力しなかったと仮定する。後で図示されるオーダーメードペット＆オーダーメード兄弟ペット最終選択書（図５８、図５９、図６０）はオーダーメード兄弟ペットのうち最終選択１順位であるオーダーメードペット購買者である「購買者１」会員がペット売買サーバー１００からオーダーメードペット最終選択情報を入力する過程を図示したものであり、その次に図示されるオーダーメードペット＆オーダーメード兄弟ペット最終選択書（図７１、図６２、図６３）はオーダーメード兄弟ペットのうち最終選択２順位であるオーダーメード兄弟ペット購買者である「購買者１」会員がペット売買サーバー１００からオーダーメード兄弟ペットの最終選択情報を入力する過程を図示したものである。
【０２７５】
図５８〜図６０は、オーダーメードペット購買者端末機において、オーダーメード兄弟ペットのうち最も気に入るオーダーメードペットを最終選択する情報のインタフェース入力画面の例示図である。
【０２７６】
図５８は、オーダーメードペット購買者端末機４００で表示されるオーダーメードペットおよびオーダーメード兄弟ペット最終選択インターフェースの例示図である。図５８を参照すると、オーダーメードペット購買者端末機４００で表示されるオーダーメードペットおよびオーダーメード兄弟ペット最終選択インターフェースは、オーダーメードペット＆オーダーメード兄弟ペット最終選択書情報を構成する項目のうちオーダーメードペット購買者である「購買者１」会員が選択しなければならない１順位のオーダーメードペット７３１に対してオーダーメードペット購買者がオーダーメードペット＆オーダーメード兄弟ペット最終選択書情報を入力できるようにする。
【０２７７】
以下、対象オーダーメードペット個体の追加に選択しなければならない１順位のオーダーメードペット選択が「オーダーメード兄弟ペット０７」である場合に、オーダーメードペット購買者がオーダーメードペット購買者端末機４００で表示されるインタフェース入力画面ウェブページ（「購買者１」会員がオーダーメードペットの最終選択を開始する時に入力するオーダーメードペット＆オーダーメード兄弟ペット最終選択書）を通じて対象オーダーメードペット個体のオーダーメードペット＆オーダーメード兄弟ペット最終選択書情報を入力する実施例を説明する。
【０２７８】
オーダーメードペット購買者は、オーダーメードペット＆オーダーメード兄弟ペット最終選択書情報を構成する項目の中から１順位のオーダーメードペット７３１に対して対象オーダーメードペット個体のオーダーメードペット＆オーダーメード兄弟ペット最終選択書情報を入力するために、マウスで１順位のオーダーメードペット選択「▼」アイコン７３３をクリックする。
【０２７９】
図５９は、図５８のオーダーメードペット購買者端末機４００で表示されるインタフェース入力画面ウェブページ（「購買者１」会員がオーダーメードペットの最終選択を開始する時に入力するオーダーメードペット＆オーダーメード兄弟ペット最終選択書）で１順位のオーダーメードペット選択「▼」アイコン７３３がクリックされた状態を図示したものである。図５９を参照すると、１順位のオーダーメードペット選択「▼」アイコン７３３のクリックによって１順位のオーダーメードペット入力ボックス７３２から１順位のオーダーメードペット選択ボックス７３２−１が開かれる。
【０２８０】
１順位のオーダーメードペット選択ボックス７３２−１には１順位オーダーメードペットに対して入力され得る１順位のオーダーメードペットのリストが羅列される。このような１順位のオーダーメードペットは、オーダーメード兄弟ペット０１（０１）、オーダーメード兄弟ペット０２（０２）、オーダーメード兄弟ペット０３（０３）、オーダーメード兄弟ペット０４（０４）、オーダーメード兄弟ペット０５（０５）、オーダーメード兄弟ペット０６（０６）、オーダーメード兄弟ペット０７（０７）、オーダーメード兄弟ペット０８（０８）、オーダーメード兄弟ペット０９（０９）等で構成されている。オーダーメードペット購買者は、１順位のオーダーメードペットのリストから一つを選択する。
【０２８１】
本実施例において、対象オーダーメードペット個体の１順位のオーダーメードペットはオーダーメード兄弟ペット０７と仮定した。これに伴い、オーダーメードペット購買者は、１順位のオーダーメードペットのリストから「オーダーメード兄弟ペット０７（０７）」を選択する。選択された「オーダーメード兄弟ペット０７（０７）」は１順位オーダーメードペットに対して対象オーダーメードペット個体のオーダーメードペット＆オーダーメード兄弟ペット最終選択書情報として入力される。
【０２８２】
図６０は、図５８のオーダーメードペット購買者端末機４００に表示されたインタフェース入力画面ウェブページ（「購買者１」会員がオーダーメードペットの最終選択を開始する時に入力するオーダーメードペット＆オーダーメード兄弟ペット最終選択書）でオーダーメードペット＆オーダーメード兄弟ペット最終選択書情報を入力した後、「オーダーメードペット＆オーダーメード兄弟ペット最終選択書保存」アイコン７９２をクリックした状態を図示したものである。図６０を参照すると、オーダーメードペット購買者は、「オーダーメードペット＆オーダーメード兄弟ペット最終選択書を出る」アイコン７９１をクリックすることによって、いつでも情報の入力から抜け出ることができる。オーダーメードペット購買者は、オーダーメードペット＆オーダーメード兄弟ペット最終選択書情報の入力を完了すると、「オーダーメードペット＆オーダーメード兄弟ペット最終選択書保存」アイコン７９２をクリックする。そうすると、オーダーメードペット購買者端末機４００は項目７３１に対して入力された対象オーダーメードペット個体のオーダーメードペット＆オーダーメード兄弟ペット最終選択書情報をペット売買サーバー１００に伝送する。すなわち、オーダーメードペット購買者である「購買者１」会員の端末機４００は、１順位オーダーメードペットに対して入力された「オーダーメード兄弟ペット０７（０７）」の値のうち１順位のオーダーメードペット値は「オーダーメード兄弟ペット０７」１順位のオーダーメードペットコード値は「０７」というオーダーメードペット＆オーダーメード兄弟ペット最終選択書情報をペット売買サーバー１００に送信する（Ｓ１７６）。そうすると、ペット売買サーバー１００の購買者情報ＤＢ１７０にオーダーメードペット購買者である「購買者１」会員のオーダーメードペット最終選択情報として保存される。次は２順位であるオーダーメード兄弟ペット購買者のオーダーメード兄弟ペット２順位最終選択日が到来してペット売買サーバー１００からオーダーメード兄弟ペットの最終選択情報を入力する過程を図示したものである。
【０２８３】
図６１〜図６３は、オーダーメード兄弟ペット購買者端末機５００でオーダーメードペット購買者およびオーダーメード兄弟ペット購買者が購入してから残ったオーダーメード兄弟ペットの中から最も気に入るオーダーメード兄弟ペットを最終選択する情報のインタフェース入力画面の例示図である。
【０２８４】
図６１〜図６３を参照すると、図６１はオーダーメード兄弟ペット購買者端末機５００に表示されたインタフェース入力画面ウェブページ（「購買者１」会員がオーダーメード兄弟ペットの最終選択を開始する時に入力するオーダーメードペット＆オーダーメード兄弟ペット最終選択書）の例示図である。図６１でオーダーメード兄弟ペット購買者端末機５００に表示されたインタフェース入力画面ウェブページ（「購買者１」会員がオーダーメード兄弟ペットの最終選択を開始する時に入力するオーダーメードペット＆オーダーメード兄弟ペット最終選択書）は、オーダーメードペット＆オーダーメード兄弟ペット最終選択書情報を構成する項目のうちオーダーメード兄弟ペット購買者である「購買者１」会員が選択しなければならない２順位オーダーメード兄弟ペット７３５に対してオーダーメード兄弟ペット購買者がオーダーメードペット＆オーダーメード兄弟ペット最終選択書情報を入力できるようにする。
【０２８５】
以下、対象オーダーメード兄弟ペット個体の追加に選択しなければならない２順位オーダーメード兄弟ペット選択が「オーダーメード兄弟ペット０４」である場合に、オーダーメード兄弟ペット購買者がオーダーメード兄弟ペット購買者端末機５００に表示されたオーダーメードペットおよびオーダーメード兄弟ペット最終選択インタフェース（すなわち、「購買者１」会員がオーダーメード兄弟ペットの最終選択を開始する時に入力するオーダーメードペット＆オーダーメード兄弟ペット最終選択書）を通じて対象オーダーメード兄弟ペット個体のオーダーメードペット＆オーダーメード兄弟ペット最終選択書情報を入力する実施例を説明する。
【０２８６】
オーダーメードペット購買者は、オーダーメードペット＆オーダーメード兄弟ペット最終選択書情報を構成する項目の中から２順位オーダーメード兄弟ペット７３５に対して対象オーダーメード兄弟ペット個体のオーダーメードペット＆オーダーメード兄弟ペット最終選択書情報を入力するために、マウスで２順位オーダーメード兄弟ペット選択「▼」アイコン７３７をクリックする。
【０２８７】
図６２は、図６１のオーダーメード兄弟ペット購買者端末機５００に表示されたオーダーメードペットおよびオーダーメード兄弟ペット最終選択インターフェースで２順位オーダーメード兄弟ペット選択「▼」アイコン７３７がクリックされた状態を図示したものである。図６１を参照すると、２順位オーダーメード兄弟ペット選択「▼」アイコン７３７のクリックによって２順位オーダーメード兄弟ペット入力ボックス７３６から２順位オーダーメード兄弟ペット選択ボックス７３６−１が開かれる。
【０２８８】
２順位オーダーメード兄弟ペット選択ボックス７３６−１には２順位オーダーメード兄弟ペットに対して入力され得る２順位オーダーメード兄弟ペットのリストが羅列される。このような２順位オーダーメード兄弟ペットは、オーダーメード兄弟ペット０１（０１）、オーダーメード兄弟ペット０２（０２）、オーダーメード兄弟ペット０３（０３）、オーダーメード兄弟ペット０４（０４）、オーダーメード兄弟ペット０５（０５）、オーダーメード兄弟ペット０６（０６）、選択完了、オーダーメード兄弟ペット０８（０８）、オーダーメード兄弟ペット０９（０９）等で構成されている。オーダーメード兄弟ペット購買者は、２順位オーダーメード兄弟ペットのリストから一つを選択する。
【０２８９】
本実施例において、対象オーダーメード兄弟ペット個体の２順位オーダーメード兄弟ペットはオーダーメード兄弟ペット０４と仮定した。これに伴い、オーダーメード兄弟ペット購買者は、２順位オーダーメード兄弟ペットのリストから「オーダーメード兄弟ペット０４（０４）」を選択する。選択された「オーダーメード兄弟ペット０４（０４）」は２順位オーダーメード兄弟ペットに対して対象オーダーメード兄弟ペット個体のオーダーメードペット＆オーダーメード兄弟ペット最終選択書情報として入力される。
【０２９０】
図６３は、図６１のオーダーメード兄弟ペット購買者端末機５００に表示されたオーダーメードペットおよびオーダーメード兄弟ペット最終選択インターフェースでオーダーメードペット＆オーダーメード兄弟ペット最終選択書情報を入力した後、「オーダーメードペット＆オーダーメード兄弟ペット最終選択書保存」アイコン７９２をクリックした状態を図示したものである。
【０２９１】
図６３を参照すると、オーダーメード兄弟ペット購買者は、「オーダーメードペット＆オーダーメード兄弟ペット最終選択書を出る」アイコン７９１をクリックすることによって、いつでも情報の入力から抜け出ることができる。オーダーメード兄弟ペット購買者は、オーダーメードペット＆オーダーメード兄弟ペット最終選択書情報の入力を完了すると、「オーダーメードペット＆オーダーメード兄弟ペット最終選択書保存」アイコン７９２をクリックする。
【０２９２】
そうすると、オーダーメード兄弟ペット購買者端末機５００は、項目７３５に対して入力された対象オーダーメード兄弟ペット個体のオーダーメードペット＆オーダーメード兄弟ペット最終選択書情報をペット売買サーバー１００に伝送する。すなわち、オーダーメード兄弟ペット購買者である「購買者１」会員の端末機５００は、２順位オーダーメード兄弟ペットに対して入力された「オーダーメード兄弟ペット０４」の値のうち２順位オーダーメード兄弟ペット値は「オーダーメード兄弟ペット０４」２順位オーダーメード兄弟ペットコード値は「０４」というオーダーメードペット＆オーダーメード兄弟ペット最終選択書情報をペット売買サーバー１００に送信する（Ｓ１７６）。
【０２９３】
そうすると、ペット売買サーバー１００の購買者情報ＤＢ１７０にオーダーメード兄弟ペット購買者である「購買者１」会員のオーダーメード兄弟ペットの最終選択情報として保存される。このように、定められた配送日の２日前までにオーダーメードペット最終選択情報およびオーダーメード兄弟ペットの最終選択情報が受信された購買者の場合には、配送日となると最終選択順位別に購買者が要請した場所に訪問したオーダーメード兄弟ペット配送車両で購買者が最終選択したオーダーメードペットまたはオーダーメード兄弟ペットを直接確認し、養子縁組をした後残金を入金するとすべての過程が終了する（Ｓ１８２）。
【０２９４】
しかし、「購買者２」会員の場合のように定められた配送日の２日前までにオーダーメードペットおよびオーダーメード兄弟ペットの最終選択情報が受信されなかった購買者の場合は、まず最終選択情報が受信された購買者から配送日に配送をすべて終える。その後、「購買者２」会員のように最終選択情報が受信されなかった購買者はオーダーメード兄弟ペット最終選択順位別に購買者が要請した場所に訪問したオーダーメード兄弟ペット配送車両で選択されずに残ったオーダーメード兄弟ペットの中から本人が直接最終選択し、養子縁組をした後残金を入金するとすべての過程が終了する（Ｓ１８１）。
【０２９５】
図６４〜図６９は、オーダーメードペット生産者端末機、オーダーメードペット購買者端末機およびオーダーメード兄弟ペット購買者端末機において、オーダーメードペット生産者、オーダーメードペット購買者およびオーダーメード兄弟ペット購買者がユーザー用ウェブサイトでペットを売買し管理する情報のインタフェース入力画面の例示図である。
【０２９６】
図６４は、ユーザー端末機２００で表示されるペット売買管理インターフェースの例示図である。図６４を参照すると、オーダーメードペット生産者端末機３００に表示されたペット売買管理インターフェースは、ユーザー管理窓情報を構成する項目のうち最初の窓である親ペット管理窓８１０では「親ペット登録申込」アイコン８１１をクリックすると親ペット情報入力書（図１２）に連結され、「登録した親ペット要請情報」出力ボックス８１２のリストのうち一つをクリックするとペット売買情報確認窓（図６７）に連結され、「母親ペットの交配、出産、成長情報の入力および修正」出力ボックス８１３のリストのうち一つをクリックするとオーダーメードペット＆オーダーメード兄弟ペット情報入力書（図４２）に連結され、「オーダーメードペットとオーダーメード兄弟ペット購買者および最終選択情報確認」出力ボックス８１４のリストのうち一つをクリックするとオーダーメードペット＆オーダーメード兄弟ペット情報入力書（図４２）に連結され、「オーダーメードペットとオーダーメード兄弟ペットの最終選択情報確認」出力ボックス８１４のリストのうち一つをクリックするとペット売買情報確認窓（図６７）に連結され、「登録した親ペット情報確認および変更」出力ボックス８１５のリストのうち一つをクリックすると親ペット情報入力書（図２６）に連結されるなどのユーザーが親ペット管理ができるようにする。２番目の窓であるオーダーメードペット管理窓８２０では含まれた「オーダーメードペットの購買申込」アイコン８２１をクリックするとオーダーメードペット検索窓（図２８）に連結され、「申し込んだオーダーメードペット要請情報」出力ボックス８２２のリストのうち一つをクリックするとペット売買情報確認窓（図６７）に連結され、「オーダーメードペット生産者が入力した最近のオーダーメードペット情報確認」出力ボックス８２３のリストのうち一つをクリックするとペット売買情報確認窓（図６７）に連結され、「オーダーメードペット最終選択および再選択情報入力」出力ボックス８２４のリストのうち一つをクリックするとオーダーメードペット＆オーダーメード兄弟ペット最終選択書（図５８）に連結され、「購買を申し込んだオーダーメードペット情報確認および変更」出力ボックス８２５のリストのうち一つをクリックするとペット売買情報確認窓（図６７）に連結されるなどのユーザーがオーダーメードペット管理ができるようにする。３番目の窓であるオーダーメード兄弟ペット管理窓８３０に含まれた「オーダーメード兄弟ペットの購買申込」アイコン８３１をクリックするとオーダーメード兄弟ペット検索インターフェースに連結され、「申し込んだオーダーメード兄弟ペット要請情報」出力ボックス８３２のリストのうち一つをクリックするとペット売買情報確認窓（図６７）に連結され、「オーダーメードペット生産者が入力した最近のオーダーメード兄弟ペット情報確認」出力ボックス８３３のリストのうち一つをクリックするとペット売買情報確認窓（図６７）に連結され、「オーダーメード兄弟ペット最終選択および再選択情報入力」出力ボックス８３４のリストのうち一つをクリックするとオーダーメードペット＆オーダーメード兄弟ペット最終選択書（図５８）に連結され、「購買を申し込んだオーダーメード兄弟ペット情報確認および変更」出力ボックス８３５のリストのうち一つをクリックするとペット売買情報確認窓（図６７）に連結されるなどのユーザーがオーダーメード兄弟ペット管理ができるようにする。以下では、「生産者１」会員と「購買者１」会員がユーザー管理窓情報を使う実施例を説明する。
【０２９７】
図６５は、オーダーメードペット生産者端末機３００で表示されるユーザーペット売買管理インタフェース（すなわち、「生産者１」会員のペット売買管理のためのユーザー管理窓）に「生産者１」会員が接続すると、まずペット売買サーバー１００が提供する会員管理ＤＢ１５０で「生産者１」会員の会員コード値「００００００１」を読み出す。その後、ユーザー管理窓（図６４）の情報のうち最初にある親ペット管理窓８１０内に構成された「登録した親ペット要請情報」出力ボックス８１２には「生産者１」会員の会員コード値である「００００００１」をペット売買サーバー１００が提供する要請情報ＤＢ１８０のオーダーメードペットコード３６桁のうち７番目の桁から１３番目の桁までの７桁値と、または１８番目の桁から２４番目の桁までの７桁値を比較し、値が一致する項の要請情報値を最近の登録日順で出力ボックスに羅列し、「母親ペットの交配、出産、成長情報の入力および修正」出力ボックス８１３には「生産者１」会員の会員コード値「００００００１」とペット売買サーバー１００の生産者情報ＤＢ１６０の親ペットコード１６桁のうち７番目の桁から１３番目の桁まで比較し、値が一致する項のうち親ペットコード値１６桁のうち６番目の桁の値が「１」の母親ペット項の親ペットの名前値を最近の登録日順でそれぞれの出力ボックスに羅列し、「オーダーメードペットとオーダーメード兄弟ペット購買者および最終選択情報確認」出力ボックス８１４および「登録した親ペット情報確認および変更」出力ボックス８１５には「生産者１」会員の会員コード値「００００００１」とペット売買サーバー１００の生産者情報ＤＢ１６０の親ペットコード１６桁のうち７番目の桁から１３番目の桁まで比較し、値が一致する項の親ペットの名前値を最近の登録日順でそれぞれの出力ボックスに羅列する。
【０２９８】
例えば、もしオーダーメードペット生産者端末機３００に表示されたユーザーペット売買管理インターフェースで、「生産者１」会員が親ペット管理窓８１２内に構成された「登録した親ペット要請情報」出力ボックス８１２で出力されたリストが「母１」［交配要請］、「母１」［交配、妊娠、出産情報要請］、「母１」［配送予定日情報要請］、「母１」［最終配送情報確認要請］、「母１」［配送要請］とすれば、このような情報のうち「母１」［交配要請］を例えば、ペット売買サーバー１００が提供する生産者情報ＤＢ１６０に保存された情報のうち「生産者１」会員が選択交配可能な親ペット情報として登録した「母１（１０１０１１００００００１００１）」と「生産者２」会員が選択交配可能な親ペット情報として登録した「父１（１０１０１２００００００２００１）」を親ペット検索窓を通じて、「購買者１」会員が「母１（１０１０１１００００００１００１）」と「父１（１０１０１２００００００２００１）」を選択してオーダーメードペットの購買を申し込んだ後、オーダーメードペット契約金を入金すると、ペット売買サーバー１００が提供する要請情報ＤＢ１８０に「母１（１０１０１１００００００１００１）」の情報を利用して名前値は「母１」、親ペットコード値は「１０１０１１００００００１００１」および要請情報値は「交配要請」を保存し、「父１（１０１０１２００００００２００１）」の情報を利用して名前値は「父１」、親ペットコード値は「１０１０１２００００００２００１」および要請情報値は「交配要請」を保存する。その後、「生産者１」会員がユーザーペット売買管理インターフェースに接続した時にユーザー管理窓（図６４）の情報のうち最初にある親ペット管理窓８１０内に構成された「登録した親ペット要請情報」出力ボックス８１２に「生産者１」会員の会員コード値である「００００００１」をペット売買サーバー１００が提供する要請情報ＤＢ１８０の親ペットコード１６桁のうち７番目の桁から１３番目の桁までの７桁値と比較し、一致する項の要請情報値を最近の登録日順で出力ボックスに羅列する。
【０２９９】
２番目にあるオーダーメードペット管理窓８２０内に構成された「申し込んだオーダーメードペット要請情報」出力ボックス８２２には「生産者１」会員の会員コード値である「００００００１」をペット売買サーバー１００が提供する要請情報ＤＢ１８０のオーダーメードペットコード３６桁のうち２８番目の桁から３４番目の桁まで比較し、値が一致する項の要請情報値を最近の登録日順で出力ボックスに羅列し、「オーダーメードペット生産者が入力した最近のオーダーメードペット情報確認」出力ボックス８２３、「オーダーメードペット最終選択および再選択情報入力」出力ボックス８２４および「購買を申し込んだオーダーメードペット情報確認および変更」出力ボックス８２５には「生産者１」会員の会員コード値「００００００１」とペット売買サーバー１００の購買者情報ＤＢ１６０のオーダーメードペットコード３６桁のうち２８番目の桁から３４番目の桁まで比較し、値が一致する項のオーダーメードペットの胎名値を最近の登録日順でそれぞれの出力ボックスに羅列する。
【０３００】
３番目にあるオーダーメード兄弟ペット管理窓８３０内に構成された「申し込んだオーダーメード兄弟ペット要請情報」出力ボックス８３２には「生産者１」会員の会員コード値である「００００００１」をペット売買サーバー１００が提供する要請情報ＤＢ１８０のオーダーメード兄弟ペットコード３６桁のうち２８番目の桁から３４番目の桁まで比較し、値が一致する項の要請情報値を最近の登録日順で出力ボックスに羅列し、「オーダーメードペット生産者が入力した最近のオーダーメード兄弟ペット情報確認」出力ボックス８３３、「オーダーメード兄弟ペット最終選択および再選択情報入力」出力ボックス８３４および「購買を申し込んだオーダーメード兄弟ペット情報確認および変更」出力ボックス８３５には「生産者１」会員の会員コード値「００００００１」とペット売買サーバー１００の購買者情報ＤＢ１６０のオーダーメード兄弟ペットコード３６桁のうち２８番目の桁から３４番目の桁まで比較し、値が一致する項のオーダーメード兄弟ペットの名前値を最近の登録日順でそれぞれの出力ボックスに羅列する。
【０３０１】
本実施例において、「生産者１」会員は選択交配可能な親ペットである「母１」一つだけを親ペットとして登録した。これに伴い、オーダーメードペット生産者端末機３００に表示されたユーザーペット売買管理インターフェースには親ペット管理窓８１０内に構成された「登録した親ペット要請情報」出力ボックス８１２には「母１」の要請情報値が羅列され、「母親ペットの交配、出産、成長情報の入力および修正」出力ボックス８１３には「母１（１０１０１１００００００１００１）」が羅列され、「オーダーメードペットとオーダーメード兄弟ペットの最終選択情報確認」出力ボックス８１４には「母１（１０１０１１００００００１００１）」が羅列され、「登録した親ペット情報確認および変更」出力ボックス８１５には「母１（１０１０１１００００００１００１）」が羅列される。しかし、オーダーメードペット管理窓８２０とオーダーメード兄弟ペット管理窓８３０にはオーダーメードペットとオーダーメード兄弟ペットを購入しなかったので一致する値が存在せず、何の値も羅列されない。例えば、もしオーダーメードペット生産者端末機３００に表示されたユーザーペット売買管理インターフェースで「生産者１」会員が親ペット管理窓８１０内に構成された「登録した親ペット情報確認および変更」出力ボックス８１５から出力されたリストの中で「母１（１０１０１１００００００１００１）」をクリックすると、オーダーメードペット生産者端末機３００に表示されたユーザーペット売買管理インターフェースには「母１」の親ペットコード値「１０１０１１００００００１００１」とペット売買サーバー１００の生産者情報ＤＢ１６０の親ペットコード１６桁のうち７番目の桁から１３番目の桁まで比較し、値が一致する項の親ペット情報を親ペット情報入力書（図２６）窓に出力する。
【０３０２】
図６６は、オーダーメードペット購買者端末機４００で表示されるユーザーペット売買管理インターフェースに「購買者１」会員が接続すると、まずペット売買サーバー１００が提供する会員管理ＤＢ１５０で「購買者１」会員の会員コード値「００００００３」を読み出す。その後、ユーザー管理窓（図６４）の情報のうち最初にある親ペット管理窓８１０内に構成された「登録した親ペット要請情報」出力ボックス８１２には「購買者１」会員の会員コード値である「００００００３」をペット売買サーバー１００が提供する要請情報ＤＢ１８０のオーダーメードペットコード３６桁のうち７番目の桁から１３番目の桁までの７桁値と、または１８番目の桁から２４番目の桁までの７桁値を比較し、値が一致する項の要請情報値を最近の登録日順で出力ボックスに羅列し、「母親ペットの交配、出産、成長情報の入力および修正」出力ボックス８１３には「購買者１」会員の会員コード値「００００００３」とペット売買サーバー１００の生産者情報ＤＢ１６０の親ペットコード１６桁のうち７番目の桁から１３番目の桁まで比較し、値が一致する項のうち親ペットコード値１６桁のうち６番目の桁の値が「１」の母親ペット項の親ペットの名前値を最近の登録日順でそれぞれの出力ボックスに羅列し、「オーダーメードペットとオーダーメード兄弟ペット購買者および最終選択情報確認」出力ボックス８１４および「登録した親ペット情報確認および変更」出力ボックス８１５には「購買者１」会員の会員コード値「００００００３」とペット売買サーバー１００の生産者情報ＤＢ１６０の親ペットコード１６桁のうち７番目の桁から１３番目の桁まで比較し、値が一致する項の親ペットの名前値を最近の登録日順でそれぞれの出力ボックスに羅列する。
【０３０３】
２番目にあるオーダーメードペット管理窓８２０内に構成された「申し込んだオーダーメードペット要請情報」出力ボックス８２２には「購買者１」会員の会員コード値である「００００００３」をペット売買サーバー１００が提供する要請情報ＤＢ１８０のオーダーメードペットコード３６桁のうち２８番目の桁から３４番目の桁まで比較し、値が一致する項の要請情報値を最近の登録日順で出力ボックスに羅列し、「オーダーメードペット生産者が入力した最近のオーダーメードペット情報確認」出力ボックス８２３、「オーダーメードペット最終選択および再選択情報入力」出力ボックス８２４および「購買を申し込んだオーダーメードペット情報確認および変更」出力ボックス８２５には「購買者１」会員の会員コード値「００００００３」とペット売買サーバー１００の購買者情報ＤＢ１６０のオーダーメードペットコード３６桁のうち２８番目の桁から３４番目の桁まで比較し、値が一致する項のオーダーメードペットの胎名値を最近の登録日順でそれぞれの出力ボックスに羅列する。
【０３０４】
３番目にあるオーダーメード兄弟ペット管理窓８３０内に構成された「申し込んだオーダーメード兄弟ペット要請情報」出力ボックス８３２には「購買者１」会員の会員コード値である「００００００３」をペット売買サーバー１００が提供する要請情報ＤＢ１８０のオーダーメード兄弟ペットコード３６桁のうち２８番目の桁から３４番目の桁まで比較し、値が一致する項の要請情報値を最近の登録日順で出力ボックスに羅列し、「オーダーメードペット生産者が入力した最近のオーダーメード兄弟ペット情報確認」出力ボックス８３３、「オーダーメード兄弟ペット最終選択および再選択情報入力」出力ボックス８３４および「購買を申し込んだオーダーメード兄弟ペット情報確認および変更」出力ボックス８３５には「購買者１」会員の会員コード値「００００００３」とペット売買サーバー１００の購買者情報ＤＢ１６０のオーダーメード兄弟ペットコード３６桁のうち２８番目の桁から３４番目の桁まで比較し、値が一致する項のオーダーメード兄弟ペットの名前値を最近の登録日順でそれぞれの出力ボックスに羅列する。
【０３０５】
本実施例において、「購買者１」会員はオーダーメードペットである「ミキ」とオーダーメード兄弟ペットである「ミキ０２」の購買を申し込んでいる。これに伴い、オーダーメードペット購買者端末機４００に表示されたユーザーペット売買管理インターフェースにはユーザー管理窓（図６５）内に構成された親ペット管理窓８１０には「購買者１」会員が選択交配可能な親ペットを登録しなかったので何の値も羅列されない。
【０３０６】
しかし、オーダーメードペット管理窓８２０内には「申し込んだオーダーメードペット要請情報」出力ボックス８２２には「ミキ」の要請情報値が羅列され、「オーダーメードペット生産者が入力した最近のオーダーメードペット情報確認」出力ボックス８２３には「ミキ（１０１０１１００００００１００１２００００００２００１００００００３０１）」が羅列され、「オーダーメードペット最終選択および再選択情報入力」出力ボックス８２４には「ミキ（１０１０１１００００００１００１２００００００２００１００００００３０１）」が羅列され、「購買を申し込んだオーダーメードペット情報確認および変更」出力ボックス８２５には「ミキ（１０１０１１００００００１００１２００００００２００１００００００３０１）」が羅列される。同様にオーダーメード兄弟ペット管理窓８３０内には「申し込んだオーダーメード兄弟ペット要請情報」出力ボックス８３２には「ミキ０２」の要請情報値が羅列され、「オーダーメードペット生産者が入力した最近のオーダーメード兄弟ペット情報確認」出力ボックス８３３には「ミキ０２（１０１０１１００００００１００１２００００００２００１００００００３０２）」が羅列され、「オーダーメード兄弟ペット最終選択および再選択情報入力」出力ボックス８３４には「ミキ０２（１０１０１１００００００１００１２００００００２００１００００００３０２）」が羅列され、「購買を申し込んだオーダーメード兄弟ペット情報確認および変更」出力ボックス８３５には「ミキ０２（１０１０１１００００００１００１２００００００２００１００００００３０２）」が羅列される。例えば、もしオーダーメード兄弟ペット購買者端末機５００に表示されたユーザーペット売買管理インターフェースで「購買者１」会員がオーダーメード兄弟ペット管理窓８３０内に構成された「オーダーメードペット生産者が入力した最近のオーダーメード兄弟ペット情報確認」出力ボックス８３３から出力されたリストの中で「ミキ０２（１０１０１１００００００１００１２００００００２００１００００００３０２）」をクリックすると、オーダーメード兄弟ペット購買者端末機５００に表示されたユーザーペット売買管理インターフェースには「ミキ０２」のオーダーメード兄弟ペットコード値「１０１０１１００００００１００１２００００００２００１００００００３０２」３６桁のうち７番目の桁から１３番目の桁までの値「００００００１」とペット売買サーバー１００の生産者情報ＤＢ１６０の親ペットコード１６桁のうち７番目の桁から１３番目の桁まで比較し、値が一致する項のオーダーメードペット生産者情報と「ミキ０２」のオーダーメード兄弟ペットコード値「１０１０１１００００００１００１２００００００２００１００００００３０２」３６桁のうち最初の桁から３４番目の桁までの値「１０１０１１００００００１００１２００００００２００１００００００３」とペット売買サーバー１００の購買者情報ＤＢ１７０のオーダーメードペットコード値３６桁のうち最初の桁から３４番目の桁までの値が一致する項のオーダーメードペット購買者情報、そして「ミキ０２」のオーダーメード兄弟ペットコード値「１０１０１１００００００１００１２００００００２００１００００００３０２」３６桁のうち最初の桁から３４番目の桁までの値「１０１０１１００００００１００１２００００００２００１００００００３」とペット売買サーバー１００の購買者情報ＤＢ１７０のオーダーメード兄弟ペットコード値３６桁のうち最初の桁から３４番目の桁までの値が一致する項のオーダーメード兄弟ペット購買者情報をオーダーメード兄弟ペットの購買申込インターフェースのそれぞれの該当項目に出力する。また、追加的にたとえば、「購買者２」会員が「オーダーメードペット最終選択および再選択情報入力」出力ボックス８３４のリストのうち一つをクリックするとオーダーメードペット＆オーダーメード兄弟ペット最終選択書（図５８）に連結されるが、この時、「購買者２」会員が購買を申し込んだオーダーメード兄弟ペットである「ミキ０３」のオーダーメードペットコード値「１０１０１１００００００１００１２００００００２００１００００００４０３」３６桁のうち最初の桁から３４番目の桁までの値「１０１０１１００００００１００１２００００００２００１００００００３」とペット売買サーバー１００の購買者情報ＤＢ１７０のオーダーメードペットコード値３６桁のうち最初の桁から３４番目の桁までの値が一致する項である「購買者１」会員の情報として名前値は「購買者１」、オーダーメードペットの胎名値は「ミキ」１順位のオーダーメードペット値は「オーダーメード兄弟ペット０７（０７）」を１順位のオーダーメードペット該当位置７３１、７３２に出力し、ペット売買サーバー１００の購買者情報ＤＢ１７０のオーダーメード兄弟ペットコード値３６桁のうち最初の桁から３４番目の桁までの値が一致する項のオーダーメード兄弟ペット購買者情報のうちオーダーメード兄弟ペットコード値３６桁のうち３５番目の桁から３６番目の桁までの値が「０２」の「購買者１」会員の情報として名前値は「購買者１」、オーダーメード兄弟ペットの名前値は「ミキ０２」２順位オーダーメード兄弟ペット値は「オーダーメード兄弟ペット０４（０４）」を２順位オーダーメード兄弟ペット該当位置７３４、７３５に出力し、ペット売買サーバー１００の購買者情報ＤＢ１７０のオーダーメード兄弟ペットコード値３６桁のうち最初の桁から３４番目の桁までの値が一致する項のオーダーメード兄弟ペット購買者情報のうちオーダーメード兄弟ペットコード値３６桁のうち３５番目の桁から３６番目の桁までの値が「０３」の「購買者２」会員の情報として名前値は「購買者２」、オーダーメード兄弟ペットの名前値は「ミキ０３」を３順位オーダーメード兄弟ペット該当位置７３７に出力し、３順位オーダーメード兄弟ペットの最終選択だけができるように選択ボックス７３８、７３９を活性化させ、１順位のオーダーメードペット選択ボックス７３３と２順位オーダーメード兄弟ペット選択ボックス７３６は活性化させない。
【０３０７】
このようにオンライン上で購買者別のオーダーメード型ペット選択交配および売買システムは、生産者がオンライン上のウェブサイトに選択交配可能な親ペットを入力すれば、購買者はオンライン上のウェブサイトで入力された親ペットを検索して選択交配を申し込んで生まれたペットを購入する方式で構成される。これは生産者が任意に親ペットを交配した後、出産したペットを購買者に販売する従来技術に比べて相対的に、費用だけでなく生産者が在庫を懸念することなく多様な種類のペットを販売できるようにする。
【０３０８】
オンライン上で、あるペットの購買者が多様な選択によるペットの購買を所望するにも関わらず、すでに出産されたペットの中から選択しなければならない画一的な問題点を改善し、選択交配を通じてのオーダーメード生産によりペットの購買費用を節減し、病気および斃死率を低くするペット売買方法を提供することができる。
【０３０９】
ペット売買サーバー１００は、代金の決済が完了すると、（Ｓ１８１、Ｓ１８２）オーダーメードペット購買者の口座にオーダーメード兄弟ペット販売手数料を振り込みすることによって、オーダーメードペット購買者は手数料を通じて直接的な収益を創出できるだけでなく、もしオーダーメードペット購買者およびオーダーメード兄弟ペット購買者が動物病院またはペットショップなどの関連業種事業者である場合、養子縁組時に訪問するオーダーメードペット購買者およびオーダーメード兄弟ペット購買者から間接的な収益を創り出すこともできる。このような事業者である場合にはペットを購入するために事業場に訪問する顧客にオーダーメードペットまたはオーダーメード兄弟ペットを提供することによって、より多様な選択方法とよい血統を受け継いだペットを提供することによって顧客との信頼を築くことができる。
【０３１０】
本発明に係るペット売買方法は、ペットを含む家畜、すなわちすべての動物たちに対しても適用され得る。この場合に、対象動物の身体情報を構成する項目は該当動物に適合したものなどに変更され、選択交配および購買方法などもそれに応じて変更される。
【０３１１】
すなわち、家畜である豚を例にすると、豚購買者はオンライン上に豚生産者が入力した選択交配可能な親豚を検索して交配を要請する。そして、親豚が出産すれば子豚の状態で購入するか、または子豚を購買者が望む飼育方法、身体の大きさなどを選択して育てた後、屠殺して購入するなどの購買方法に変更され得る。
【０３１２】
これまで本発明に係る具体的な実施例に関して説明したが、本発明の範囲を逸脱しない限度内では多様な変形が可能である。したがって、本発明の範囲は説明された実施例に限定されず、後述する特許請求の範囲だけでなく、この特許請求の範囲と均等なものなどによって定められる。
【０３１３】
以上のように本発明は、たとえ限定された実施例と図面によって説明されたが、本発明は前記の実施例に限定されず、本発明が属する分野で通常の知識を有する者であればこのような記載から多様な修正および変形が可能である。したがって、本発明の思想は下記に記載された特許請求の範囲によってのみ把握されるべきであり、これと均等または等価的な変形はすべて本発明の思想の範疇に属する。
【図１】
2019508833.tif 000003
【図２】
2019508833.tif 000004
【図３】
2019508833.tif 000005
【図４】
2019508833.tif 000006
【図５】
2019508833.tif 000007
【図６】
2019508833.tif 000008
【図７】
2019508833.tif 000009
【図８】
2019508833.tif 000010
【図９】
2019508833.tif 000011
【図１０】
2019508833.tif 000012
【図１１】
2019508833.tif 000013
【図１２】
2019508833.tif 000014
【図１３】
2019508833.tif 000015
【図１４】
2019508833.tif 000016
【図１５】
2019508833.tif 000017
【図１６】
2019508833.tif 000018
【図１７】
2019508833.tif 000019
【図１８】
2019508833.tif 000020
【図１９】
2019508833.tif 000021
【図２０】
2019508833.tif 000022
【図２１】
2019508833.tif 000023
【図２２】
2019508833.tif 000024
【図２３】
2019508833.tif 000025
【図２４】
2019508833.tif 000026
【図２５】
2019508833.tif 000027
【図２６】
2019508833.tif 000028
【図２７】
2019508833.tif 000029
【図２８】
2019508833.tif 000030
【図２９】
2019508833.tif 000031
【図３０】
2019508833.tif 000032
【図３１】
2019508833.tif 000033
【図３２】
2019508833.tif 000034
【図３３】
2019508833.tif 000035
【図３４】
2019508833.tif 000036
【図３５】
2019508833.tif 000037
【図３６】
2019508833.tif 000038
【図３７】
2019508833.tif 000039
【図３８】
2019508833.tif 000040
【図３９】
2019508833.tif 000041
【図４０】
2019508833.tif 000042
【図４１】
2019508833.tif 000043
【図４２】
2019508833.tif 000044
【図４３】
2019508833.tif 000045
【図４４】
2019508833.tif 000046
【図４５】
2019508833.tif 000047
【図４６】
2019508833.tif 000048
【図４７】
2019508833.tif 000049
【図４８】
2019508833.tif 000050
【図４９】
2019508833.tif 000051
【図５０】
2019508833.tif 000052
【図５１】
2019508833.tif 000053
【図５２】
2019508833.tif 000054
【図５３】
2019508833.tif 000055
【図５４】
2019508833.tif 000056
【図５５】
2019508833.tif 000057
【図５６】
2019508833.tif 000058
【図５７】
2019508833.tif 000059
【図５８】
2019508833.tif 000060
【図５９】
2019508833.tif 000061
【図６０】
2019508833.tif 000062
【図６１】
2019508833.tif 000063
【図６２】
2019508833.tif 000064
【図６３】
2019508833.tif 000065
【図６４】
2019508833.tif 000066
【図６５】
2019508833.tif 000067
【図６６】
2019508833.tif 000068
【図６７】
2019508833.tif 000069
【図６８】
2019508833.tif 000070
【図６９】
2019508833.tif 000071
【国際調査報告】
2019508833.tif 000072
2019508833.tif 000073
2019508833.tif 000074
2019508833.tif 000075